(57)【要約】１つのコンテンツ情報を複数の記録媒体にまたがって記録し、さらに再生順序を保証し、シームレスな再生を行う。  コンテンツ制御部６１６は、コンテンツ情報の一部分を第１の記録媒体へ記録するとともに、コンテンツ情報の他の部分を、第１の記録媒体とは異なる第２の記録媒体に記録し、コンテンツ付属情報管理部６１８は、コンテンツ情報の第１の記録媒体に記録されている一部分と第２の記録媒体に記録されている他の部分とが連続していることを表すリンク情報を作成し、作成したリンク情報を第１の記録媒体及び第２の記録媒体の少なくとも一方に記録し、コンテンツ情報が記録されているファイルとは別のファイルにリンク情報を記録する。【特許請求の範囲】
【請求項１】
コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、
前記リンク情報記録部は、前記コンテンツ情報が記録されているファイルとは別のファイルに前記リンク情報を記録することを特徴とする情報記録再生装置。
【請求項２】
前記リンク情報記録部は、前記コンテンツ情報が記録されているディレクトリとは別のディレクトリに前記リンク情報を記録することを特徴とする請求項１記載の情報記録再生装置。
【請求項３】
前記リンク情報記録部は、前記第１の記録媒体及び前記第２の記録媒体とは異なる第３の記録媒体に前記リンク情報を記録することを特徴とする請求項１又は２記載の情報記録再生装置。
【請求項４】
前記リンク情報は、前記第１の記録媒体の種別を示す情報及び前記第２の記録媒体の種別を示す情報の少なくとも一方を含むことを特徴とする請求項１〜３のいずれかに記載の情報記録再生装置。
【請求項５】
前記リンク情報は、前記第１の記録媒体を識別するための識別情報及び前記第２の記録媒体を識別するための識別情報の少なくとも一方を含むことを特徴とする請求項１〜４のいずれかに記載の情報記録再生装置。
【請求項６】
前記リンク情報は、前記第１の記録媒体の前記コンテンツ情報が記録されているディレクトリを識別するための識別情報及び前記第２の記録媒体のコンテンツ情報が記録されているディレクトリを識別するための識別情報の少なくとも一方を含むことを特徴とする請求項１〜５のいずれかに記載の情報記録再生装置。
【請求項７】
前記リンク情報は、前記第１の記録媒体の前記コンテンツ情報が記録されているファイルを識別するための識別情報及び前記第２の記録媒体の前記コンテンツ情報が記録されているファイルを識別するための識別情報の少なくとも一方を含むことを特徴とする請求項１〜６のいずれかに記載の情報記録再生装置。
【請求項８】
前記リンク情報は、前記コンテンツ情報のリンク先を表すリンク先情報及びリンク元を表すリンク元情報の少なくとも一方を含むことを特徴とする請求項１〜７のいずれかに記載の情報記録再生装置。
【請求項９】
前記リンク情報記録部は、前記コンテンツ情報の他の部分を記録している領域が複数存在する場合、前記コンテンツ情報の前記第１の記録媒体に記録されている一部分と前記第２の記録媒体に記録されているそれぞれの領域とが連続していることを表すリンク情報を作成し、作成したリンク情報を前記第１の記録媒体及び前記第２の記録媒体の少なくとも一方に記録することを特徴とする請求項１〜８のいずれかに記載の情報記録再生装置。
【請求項１０】
前記リンク情報を読み出すリンク情報読出部と、
前記第１の記録媒体から前記コンテンツ情報を読み出して再生するとともに、前記リンク情報読出部によって読み出されたリンク情報に基づいて、前記第２の記録媒体から前記コンテンツ情報を読み出して再生する再生部とをさらに備えることを特徴とする請求項１〜９のいずれかに記載の情報記録再生装置。
【請求項１１】
前記第１の記録媒体から前記コンテンツ情報を削除するコンテンツ情報削除部と、
前記リンク情報を読み出すリンク情報読出部と、
前記削除部によって削除された前記コンテンツ情報に対応する前記リンク情報を削除するリンク情報削除部とを備え、
前記コンテンツ情報削除部は、前記リンク情報読出部によって読み出されたリンク情報に基づいて前記コンテンツ情報のリンク先である前記第２の記録媒体から前記コンテンツ情報を削除することを特徴とする請求項１〜１０のいずれかに記載の情報記録再生装置。
【請求項１２】
前記第１の記録媒体に記録されている前記コンテンツ情報と前記第２の記録媒体に記録されている前記コンテンツ情報とを対応付けて表示する表示部をさらに備えることを特徴とする請求項１〜１１のいずれかに記載の情報記録再生装置。
【請求項１３】
前記表示部は、前記第１の記録媒体と前記第２の記録媒体とが同一の記録媒体であるか否かを区別して表示することを特徴とする請求項１２記載の情報記録再生装置。
【請求項１４】
前記表示部は、前記第１の記録媒体に記録されている前記コンテンツ情報と、前記第２の記録媒体に記録されている前記コンテンツ情報との順序関係を認識可能な態様で表示することを特徴とする請求項１２又は１３記載の情報記録再生装置。
【請求項１５】
前記表示部は、前記第１の記録媒体及び前記第２の記録媒体に記録されている前記コンテンツ情報のファイル数を認識可能な態様で表示することを特徴とする請求項１２〜１４のいずれかに記載の情報記録再生装置。
【請求項１６】
前記表示部は、前記第１の記録媒体及び前記第２の記録媒体の種別、前記第１の記録媒体及び前記第２の記録媒体を識別するための識別情報、前記第１の記録媒体及び前記第２の記録媒体が装着されているドライブ、及び前記第１の記録媒体及び前記第２の記録媒体が装着されているスロットの少なくとも１つを認識可能な態様で表示することを特徴とする請求項１２〜１５のいずれかに記載の情報記録再生装置。
【請求項１７】
前記コンテンツ情報記録部は、１つのコンテンツ情報を複数のファイルに分割して前記第１の記録媒体と前記第２の記録媒体とに記録し、
前記複数のファイルを一括して表示する第１の表示態様と、前記複数のファイルを記録媒体毎に表示する第２の表示態様との切り替えを受け付ける切替受付部をさらに備え、
前記表示部は、前記切替受付部によって受け付けられた表示態様で表示することを特徴とする請求項１２記載の情報記録再生装置。
【請求項１８】
コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備えることを特徴とする情報記録再生装置。
【請求項１９】
前記リンク情報記録部は、前記第１の記録媒体に記録されている前記コンテンツ情報の終端部分と、前記第２の記録媒体に記録されている前記コンテンツ情報の先頭部分とを入れ替えて記録することを特徴とする請求項１８記載の情報記録再生装置。
【請求項２０】
前記リンク情報記録部は、前記第１の記録媒体に記録されている前記コンテンツ情報の終端部分と、前記第２の記録媒体に記録されている前記コンテンツ情報の先頭部分とをインターリーブして記録することを特徴とする請求項１８記載の情報記録再生装置。
【請求項２１】
コンテンツ情報の一部分を第１の記録媒体へ記録するとともに、前記コンテンツ情報の他の部分を、前記第１の記録媒体とは異なる第２の記録媒体に記録するコンテンツ情報記録ステップと、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、
前記リンク情報記録ステップは、前記コンテンツ情報が記録されているファイルとは別のファイルに前記リンク情報を記録することを特徴とする情報記録再生方法。
【請求項２２】
コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、前記リンク情報記録制御部は、前記コンテンツ情報が記録されているファイルとは別のファイルに前記リンク情報を記録するように指示することを特徴とする情報記録再生プログラム。
【請求項２３】
コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、前記リンク情報記録制御部は、前記コンテンツ情報が記録されているファイルとは別のファイルに前記リンク情報を記録するように指示することを特徴とする情報記録再生プログラムを記録したコンピュータ読み取り可能な記録媒体。
【発明の詳細な説明】
【技術分野】
【０００１】  本発明は、各種のコンテンツ情報、例えば動画像情報、静止画像情報、音声情報、文字情報、その他の情報、及びこれらの幾つかを記録、再生及び編集する情報記録再生装置、情報記録再生方法、情報記録再生プログラム及び情報記録再生プログラムを記録したコンピュータ読み取り可能な記録媒体に関するものである。【０００２】  特に、１つのコンテンツ情報を複数の記録媒体に分けて記録し、これらの複数の記録媒体に分けて記録されたコンテンツ情報を系統的に再生する、情報記録再生装置、情報記録再生方法、情報記録再生プログラム及び情報記録再生プログラムを記録したコンピュータ読み取り可能な記録媒体に関するものである。
【背景技術】
【０００３】  従来の、各種のコンテンツ情報、例えば動画像情報、静止画像情報、音声情報、文字情報、その他の情報、およびこれらの幾つかを記録し、再生する、情報記録再生装置、情報記録再生方法、情報記録再生プログラム及び情報記録再生プログラムを記録したコンピュータ読み取り可能な記録媒体には、例えば、下記特許文献１に記載された情報記録装置があった。【０００４】  図２７は、従来の情報記録装置の一例である情報記録装置９００の構成を示す図である。入力スタッカー９０１に、識別情報が付加された複数の記録媒体９０２が装填される。記録媒体９０２は、例えばフレキシブルディスクであり、識別情報は、例えばバーコードで表され、そのバーコードを表示したシールがフレキシブルディスクの表面に貼り付けられている。【０００５】  入力スタッカー９０１に装填された記録媒体９０２は、１枚ずつ取り出し口９０９から取り出され、読み取り部９０３へ送られる。読み取り部９０３では、記録媒体９０２の表面に貼り付けられたバーコードを光学式スキャナで読み取り、この読み取った識別情報を制御部９０４へ送る。【０００６】  制御部９０４は、この識別情報を記録管理し、この識別情報と関連付けて、記録媒体９０２に記録するべき情報を情報記録部９０５へ送る。読み取り部９０３でバーコードが読み取られた記録媒体９０２は、次に情報記録部９０５に送られる。情報記録部９０５は、制御部９０４から送られた情報を読み取り部９０３から送られた記録媒体９０２に記録する。【０００７】  この時、この記録媒体９０２に記録するべき情報が必ずしも１つの記録媒体９０２に納まるとは限らない。例えば、記録するべき情報が高画質の動画像情報等でる場合、通常極めて情報量が多いので、１つの記録媒体９０２に納まる可能性は低くなる。【０００８】  このような時、制御部９０４は、１つの記録媒体９０２の記録容量を把握しているので、記録するべき情報のうち、１つの記録媒体９０２に記録可能な部分だけを情報記録部９０５に送る。そして、制御部９０４は、別の記録媒体９０２が情報記録部９０５に送られた時に、記録するべき情報のそれ以外の部分を情報記録部９０５に送る。このように、記録するべき情報のそれ以外の部分は別の記録媒体９０２に記録される。【０００９】  上記のとおり、制御部９０４は、記録媒体９０２の識別情報と関連付けて、記録媒体９０２に記録するべき情報を情報記録部９０５へ送る。したがって、記録するべき情報が複数の記録媒体９０２にまたがって記録されている時にも、情報のどの部分がどの記録媒体に記録されているかを把握し管理することができる。【００１０】  その後、情報記録部９０５で情報が記録された記録媒体９０２は、出力スタッカー９０６へ送られ、保管及び発送等の処理が行われる。また、読み取り部９０３で識別情報の読み取りに失敗した記録媒体９０２や、情報記録部９０５で情報の記録に失敗した記録媒体９０２は、不良品スタッカー９０７に送られる。【００１１】  しかしながら、上記のような、従来の情報記録装置９００では、制御部９０４が記録媒体９０２に記録されている情報と、その記録媒体９０２の識別情報との対応関係を把握管理している。そのため、１つの情報が複数の記録媒体９０２にまたがって記録されている時、この記録媒体９０２を他の機器で使用するならば、１つの情報が記録されている一連の記録媒体９０２を把握管理し、これらの記録媒体９０２を使って１つの情報を連続して利用することができないという課題があった。【００１２】  また、他の機器が何らかの方法で、記録媒体９０２に記録されている情報と記録媒体９０２の識別情報との対応関係を把握したとしても、この対応関係は記録されている情報と記録媒体毎の識別情報であるため、例えば１つの記録媒体９０２に複数の情報が記録されているような時には、連続する情報が記録されている複数の情報のどれに相当するかは知ることができないという課題があった。
【特許文献１】特開平１０−１８７５０３号公報
【発明の開示】
【００１３】  本発明は、上記の問題を解決するためになされたもので、１つのコンテンツ情報を複数の記録媒体にまたがって記録することができ、さらに再生順序を保証することができ、シームレスな再生を行うことができる情報記録再生装置、情報記録再生方法、情報記録再生プログラム及び情報記録再生プログラムを記録したコンピュータ読み取り可能な記録媒体を提供することを目的とするものである。
【００１４】  本発明の一局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、前記リンク情報記録部は、前記コンテンツ情報が記録されているファイルとは別のファイルに前記リンク情報を記録する。
【００１５】  本発明の他の局面に係る情報記録再生方法は、コンテンツ情報の一部分を第１の記録媒体へ記録するとともに、前記コンテンツ情報の他の部分を、前記第１の記録媒体とは異なる第２の記録媒体に記録するコンテンツ情報記録ステップと、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、前記リンク情報記録制御ステップは、前記コンテンツ情報が記録されているファイルとは別のファイルに前記リンク情報を記録する。
【００１６】  本発明の他の局面に係る情報記録再生プログラムは、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、前記リンク情報記録制御部は、前記コンテンツ情報が記録されているファイルとは別のファイルに前記リンク情報を記録するように指示する。
【００１７】  本発明の他の局面に係る情報記録再生プログラムを記録したコンピュータ読み取り可能な記録媒体は、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させる情報記録再生プログラムを記録し、前記リンク情報記録制御部は、前記コンテンツ情報が記録されているファイルとは別のファイルに前記リンク情報を記録するように指示する。
【００１８】  これらの構成によれば、コンテンツ情報の一部分が第１の記録媒体へ記録されるとともに、コンテンツ情報の他の部分が、第１の記録媒体とは異なる第２の記録媒体に記録される。そして、コンテンツ情報の第１の記録媒体に記録されている一部分と第２の記録媒体に記録されている他の部分とが連続していることを表すリンク情報が作成され、作成されたリンク情報が第１の記録媒体及び第２の記録媒体の少なくとも一方に記録される。このとき、コンテンツ情報が記録されているファイルとは別のファイルにリンク情報が記録される。
【００１９】  したがって、コンテンツ情報の第１の記録媒体に記録されている一部分と第２の記録媒体に記録されている他の部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。
【００２０】  本発明の他の局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備える。
【００２１】  この構成によれば、コンテンツ情報の一部分が第１の記録媒体へ記録されるとともに、コンテンツ情報の他の部分が、第１の記録媒体とは異なる第２の記録媒体に記録される。そして、第１の記録媒体に記録されているコンテンツ情報の一部分と、第２の記録媒体に記録されているコンテンツ情報の他の部分とが連続していることを表すリンク情報が作成され、作成されたリンク情報が第１の記録媒体に記録されているコンテンツ情報の一部分及び第２の記録媒体に記録されているコンテンツ情報の他の部分に記録される。
【００２２】  したがって、別途リンク情報を保持する必要が無く、第１の記録媒体に記録されているコンテンツ情報の一部分を再生しながら、第２の記録媒体に記録されているコンテンツ情報の他の部分を再生することができる。
【００２３】  本発明の目的、特徴及び利点は、以下の詳細な説明と添付図面とによって、より明白となる。
【図面の簡単な説明】
【００２４】
【図１】本発明の実施の形態１に係る情報記録再生装置の複数の情報記録メディアにコンテンツ情報がまたがって記録されている状態を示す概念図である。
【図２】本発明の実施の形態１に係る情報記録再生装置の複数の情報記録メディアにコンテンツ情報がまたがって記録されている時のディレクトリ構造の第１例を示す図である。
【図３】本発明の実施の形態１に係る情報記録再生装置の複数の情報記録メディアにコンテンツ情報がまたがって記録されている時のディレクトリ構造の第２例を示す図である。
【図４】本発明の実施の形態１に係る情報記録再生装置の複数の情報記録メディアにコンテンツ情報がまたがって記録されている時のディレクトリ構造の第３例を示す図である。
【図５】コンテンツ付属情報ファイルに記録される全メディア関連情報統合管理テーブルの一例を示す図である。
【図６】本発明の実施の形態１に係る情報記録再生装置のモジュール構成を示す図である。
【図７】本発明の実施の形態１に係る情報記録再生装置の機能ブロックを示す図である。
【図８】図６に示す情報記録再生装置による記録処理について説明するための第１のフローチャートである。
【図９】図６に示す情報記録再生装置による記録処理について説明するための第２のフローチャートである。
【図１０】図８のステップＳ８におけるリンク情報作成処理について説明するためのフローチャートである。
【図１１】図６に示す情報記録再生装置によるコンテンツ情報の記録処理について説明するためのフローチャートである。
【図１２】図６に示す情報記録再生装置によるコンテンツ情報の編集処理について説明するためのフローチャートである。
【図１３】図１２のステップＳ５７におけるリンク情報編集処理について説明するためのフローチャートである。
【図１４】本発明の実施の形態２に係る情報記録再生装置のモジュール構成を示す図である。
【図１５】本発明の実施の形態２に係る情報記録再生装置の機能ブロックを示す図である。
【図１６】本発明の実施の形態２に係る情報記録再生装置の複数の情報記録メディアにコンテンツ情報がまたがって記録されている状態を示す概念図である。
【図１７】本発明の実施の形態２に係る情報記録再生装置の複数の情報記録メディアにコンテンツ情報がまたがって記録されている状態の他の例を示す概念図である。
【図１８】本発明の実施の形態２に係る情報記録再生装置における全メディア関連情報統合管理テーブルの一例を示す図である。
【図１９】本発明の実施の形態３に係る情報記録再生装置の複数の情報記録メディアにコンテンツ情報がまたがって記録されている状態を示す概念図である。
【図２０】図１９に示すコンテンツ情報の記録状態における表示画面の一例を示す図である。
【図２１】本発明の実施の形態３に係る情報記録再生装置の複数の情報記録メディアにコンテンツ情報がまたがって記録されている状態の他の例を示す概念図である。
【図２２】図２１に示すコンテンツ情報の記録状態における表示画面の一例を示す図である。
【図２３】コンテンツ情報が情報記録メディアにまたがって記録されている状態の他の第２例を示す図である。
【図２４】コンテンツ情報が情報記録メディアにまたがって記録されている状態の他の第３例を示す図である。
【図２５】コンテンツ情報が情報記録メディアにまたがって記録されている状態の他の第４例を示す図である。
【図２６】コンテンツ情報が情報記録メディアにまたがって記録されている状態の他の第５例を示す図である。
【図２７】従来の情報記録装置の一例である情報記録装置の構成を示す図である。
【発明を実施するための最良の形態】
【００２５】  以下に、本発明の一実施の形態に係る情報記録再生装置ついて図面を参照しながら説明する。【００２６】  （実施の形態１）
図１は、本発明の実施の形態１に係る情報記録再生装置の複数の情報記録メディアにコンテンツ情報がまたがって記録されている状態を示す概念図である。具体的には、図１では、ＳＤ（Ｓｅｃｕｒｅ  Ｄｉｇｉｔａｌ）カード１０１、ＳＤカード１０２及びＳＤカード１０３にコンテンツ情報がまたがって記録されている。【００２７】  図１に示すＳｈｏｔ１１１とＳｈｏｔ１１２とが、本発明に係るコンテンツ情報に相当し、具体的には例えば、動画像情報、静止画像情報、音声情報、文字情報、その他の情報、及びこれらの幾つかを含むストリーム情報である。【００２８】  図１に示す例では、Ｓｈｏｔ１１１は比較的容量が小さなコンテンツ情報であるため、１つの記録メディアであるＳＤカード１０１に記録しているが、Ｓｈｏｔ１１２は比較的容量が大きなコンテンツ情報であるため、１つの記録メディアに記録することができず、ＳＤカード１０１とＳＤカード１０２とＳＤカード１０３との、３つのＳＤカードにまたがって記録されている。【００２９】  また、１つのコンテンツ情報に相当する各Ｓｈｏｔの記録メディア毎の部分をＣｌｉｐと呼ぶ。Ｓｈｏｔ１１１は、全体がＳＤカード１０１に記録されているので、Ｃｌｉｐ１２１だけから構成されている。Ｓｈｏｔ１１２は、３つのＳＤカード１０１，１０２，１０３にまたがって記録されているので、Ｃｌｉｐ１２２、Ｃｌｉｐ１２３及びＣｌｉｐ１２４の３つのＣｌｉｐから構成されている。【００３０】  Ｃｌｉｐ１２２は、Ｓｈｏｔ１１２のＳＤカード１０１内の部分であり、Ｃｌｉｐ１２３は、Ｓｈｏｔ１１２のＳＤカード１０２内の部分であり、Ｃｌｉｐ１２４は、Ｓｈｏｔ１１２のＳＤカード１０３内の部分である。【００３１】  ＳＤカード１０２は、その記録可能な領域全てにＣｌｉｐ１２３を記録しており、他のコンテンツ情報を記録することはできないが、ＳＤカード１０１は、その記録可能な領域にＳｈｏｔ１１１のＣｌｉｐ１２１とＳｈｏｔ１１２のＣｌｉｐ１２２とを記録している。ＳＤカード１０３は、その記録可能な領域にＳｈｏｔ１１２のＣｌｉｐ１２４を記録しているが、その記録可能な領域全てを使い切っていない可能性があり、そのような時には、他のコンテンツ情報のＣｌｉｐを記録できる可能性も残されている。【００３２】  従来のＳＤカード規格等に準拠したコンテンツ情報の記録では、例えばＦＡＴ（Ｆｉｌｅ  Ａｌｌｏｃａｔｉｏｎ  Ｔａｂｌｅ）１６やＦＡＴ３２等のファイルシステムに基づく制限、メディアの記録容量に基づく制限、又は管理可能ファイル数及びディレクトリ数に基づく制限等のために、複数の記録メディアにまたがるコンテンツ情報であるＳｈｏｔ１１２の記録・再生ができない仕様になっている。また、仕様を拡張変更して複数の記録メディアにまたがってＳｈｏｔ１１２の記録を行ったとしても、機器によってどの記録メディアが装着されているかを特定することは困難である。特に、記録メディアがリムーバブルメディア等である場合、機器によってどの記録メディアが装着されているかを特定することは困難である。記録メディア間をまたがって記録されているコンテンツ情報の再生順序を保証したり、シームレスな再生を保証することができなかった。【００３３】  ���かしながら、本発明の実施の形態１に係る情報記録再生装置は、複数の記録メディア、すなわちＳＤカード１０１、ＳＤカード１０２及びＳＤカード１０３にまたがって記録されているコンテンツ情報の再生順序を保証し、シームレスな再生を保証することが可能である。【００３４】  図２は、本発明の実施の形態１に係る情報記録再生装置の複数の情報記録メディアにコンテンツ情報がまたがって記録されている時のディレクトリ構造の第１例を示す図である。図２では、具体的には、ＳＤカード１０１、ＳＤカード１０２及びＳＤカード１０３にコンテンツ情報がまたがって記録されている時のディレクトリ構造を示している。【００３５】  ＲＯＯＴディレクトリ２００は、１つの情報記録メディア全体の基本となるディレクトリであり、１つの記録メディア毎に必ず１つだけ存在するディレクトリである。１つの記録メディアの中の全てのディレクトリは、このＲＯＯＴディレクトリ２００の下に作られる。【００３６】  この第１例では、ＲＯＯＴディレクトリ２００の下にメディアディレクトリ２１０が作成される。メディアディレクトリ２１０は、１つの情報記録メディアを管轄するディレクトリであるが、必ずしも１つの情報記録メディアに１つとは限らず、２つ以上あっても構わない。この場合、１つの情報記録メディアはあたかも２つ以上の情報記録メディアであるかのように管理される。【００３７】  この第１例では、メディアディレクトリ２１０の下にコンテンツディレクトリが作成される。コンテンツディレクトリは、コンテンツ情報の数に応じて作成される。図２の例では、コンテンツ１−ディレクトリ２２０とコンテンツ２−ディレクトリ２３０だけを示しているが、必ずしもコンテンツディレクトリは２つに限るものではなく、各メディアディレクトリ２１０の下に幾つ存在しても構わない。【００３８】  コンテンツディレクトリは、コンテンツ情報を記録するためのディレクトリであり、原則１つのコンテンツディレクトリに１つのコンテンツ情報が記録される。例えば、図１に示す例では、ＳＤカード１０１のメディアディレクトリの下に２つのコンテンツディレクトリが作成される。それは、例えばコンテンツ１１１ディレクトリとコンテンツ１１２ディレクトリとである。なお、ここでは、Ｓｈｏｔ１１１に対応するコンテンツディレクトリをコンテンツ１１１ディレクトリと呼び、Ｓｈｏｔ１１２に対応するコンテンツディレクトリをコンテンツ１１２ディレクトリと呼ぶ。【００３９】  コンテンツ１１１ディレクトリには、Ｓｈｏｔ１１１のＳＤカード１０１に記録される部分、即ちＣｌｉｐ１２１が記録される。上記のとおり、このＣｌｉｐ１２１はＳｈｏｔ１１１の全体を含んでいる。コンテンツ１１２ディレクトリには、Ｓｈｏｔ１１２のＳＤカード１０１に記録される部分、即ちＣｌｉｐ１２２が記録される。上記のとおり、このＣｌｉｐ１２２はＳｈｏｔ１１２の全体ではなく、Ｓｈｏｔ１１２の他の部分はＳＤカード１０２とＳＤカード１０３とに記録されている。【００４０】  同様に、ＳＤカード１０２のメディアディレクトリの下には、１つのコンテンツディレクトリが作成される。それは例えば、コンテンツ１１２ディレクトリである。しかしながら、必ず��もＳＤカード１０２のメディアディレクトリの下のコンテンツディレクトリは１つに限るものではなく、他のコンテンツディレクトリが存在しても構わない。このＳＤカード１０２のメディアディレクトリの下のコンテンツ１１２ディレクトリには、Ｓｈｏｔ１１２のＳＤカード１０２に記録される部分、即ちＣｌｉｐ１２３が記録される。【００４１】  同様に、ＳＤカード１０３のメディアディレクトリの下には、１つのコンテンツディレクトリが作成される。それは例えば、コンテンツ１１２ディレクトリである。しかしながら、必ずしもＳＤカード１０３のメディアディレクトリの下のコンテンツディレクトリは１つに限るものではなく、他のコンテンツディレクトリが存在しても構わない。このＳＤカード１０３のメディアディレクトリの下のコンテンツ１１２ディレクトリには、Ｓｈｏｔ１１２のＳＤカード１０３に記録される部分、即ちＣｌｉｐ１２４が記録される。【００４２】  各コンテンツディレクトリの下には、１つのコンテンツ付属情報ファイルと幾つかのコンテンツデータファイルとが作成され、それぞれにコンテンツ付属情報とコンテンツデータとが記録される。例えば、図２に示す例では、コンテンツ１−ディレクトリ２２０の下に、１つのコンテンツ１−付属情報ファイル２２１と、２つのコンテンツデータファイル、即ちコンテンツ１−データファイル２２２とコンテンツ１−データファイル２２３とが作成され、それぞれにコンテンツ付属情報とコンテンツデータとが記録されている。【００４３】  同様に、コンテンツ２−ディレクトリ２３０の下に、１つのコンテンツ２−付属情報ファイル２３１と、２つのコンテンツデータファイル、即ちコンテンツ２−データファイル２３２とコンテンツ２−データファイル２３３とが作成され、それぞれにコンテンツ付属情報とコンテンツデータとが記録されている。【００４４】  上記のとおり、各メディアディレクトリの下に含まれるコンテンツディレクトリの数が２つに限らないのと同様、各コンテンツディレクトリに含まれるコンテンツ付属情報ファイルは１つとは限らないし、コンテンツデータファイルは２つとは限らない。【００４５】  コンテンツ付属情報ファイルには、このコンテンツディレクトリに含まれるコンテンツ情報に関する各種の属性情報や付属関連情報が記録される。なお、コンテンツ付属情報ファイルの詳細な例については後述する。【００４６】  コンテンツデータファイルには、コンテンツ情報そのものが記録され、コンテンツ情報は、各ファイルシステム、ファイル管理及びそのコンテンツの属性や性質等に応じて、種々の形式で符号化、ストリーム化又は暗号化等が行われ、種々のサイズに分割されてコンテンツデータとして記録保存される。【００４７】  例えば、コンテンツ情報が動画像情報であれば、コンテンツデータファイルには、ＭＰＥＧ−２形式やＭＰＥＧ−４形式で符号化されたトランスポートストリーム形式の情報が記憶され、コンテンツ情報が音声情報であれば、ＭＰ３形式で符号化された情報が記憶され、コンテンツ情報が静止画像情報であれば、ＪＰＥＧ形式で符号化された１枚の絵に関する情報が記憶され、コンテンツ情報が文書情報であれば、ＭＳ−ＷＯＲＤ（登録商標）形式の１つの文書情報が記憶される。【００４８】  図３は、本発明の実施の形態１に係る情報記録再生装置の複数の情報記録メディアにコンテンツ情報がまたがって記録されている時のディレクトリ構造の第２例を示す図である。図３では、具体的には、ＳＤカード１０１、ＳＤカード１０２及びＳＤカード１０３にコンテンツ情報がまたがって記録されている時のディレクトリ構造を示している。【００４９】  ＲＯＯＴディレクトリ３００は、１つの情報記録メディア全体の基本となるディレクトリであり、１つの記録メディア毎に必ず１つだけ存在するディレクトリである。１つの記録メディアの中の全てのディレクトリは、このＲＯＯＴディレクトリ３００の下に作られる。【００５０】  この第２例では、ＲＯＯＴディレクトリ３００の下にメディアディレクトリ３１０が作成される。メディアディレクトリ３１０は、１つの情報記録メディアを管轄するディレクトリであるが、必ずしも１つの情報記録メディアに１つとは限らず、２つ以上あっても構わない。この場合、１つの情報記録メディアはあたかも２つ以上の情報記録メディアであるかのように管理される。これについては、上記第１例と同様である。【００５１】  この第２例では、メディアディレクトリ３１０の下に１つのコンテンツ付属情報ディレクトリ３２０と、１つのコンテンツディレクトリ３３０とが作成される。なお、コンテンツ付属情報ディレクトリ３２０とコンテンツディレクトリ３３０とは、必ずしもそれぞれ１つだけに限るものではなく、それぞれ幾つ存在しても構わない。【００５２】  コンテンツ付属情報ディレクトリ３２０は、コンテンツ付属情報ファイルを記録保管するためのディレクトリであり、コンテンツディレクトリ３３０はコンテンツ情報自体を記録保管するためのディレクトリである。コンテンツ付属情報ファイルは、コンテンツ情報の数に応じて作成される。そして、コンテンツ付属情報ファイルには、コンテンツディレクトリに記録保管されているコンテンツ情報に関する各種の属性情報や付属関連情報が記録される。なお、コンテンツ付属情報ファイルの詳細な例については後述する。図３の例では、コンテンツ１−付属情報ファイル３２１とコンテンツ２−付属情報ファイル３２２との２つだけが示されているが、必ずしもコンテンツ付属情報ファイルは２つに限るものではなく、各メディアディレクトリの下に幾つ存在しても構わない。【００５３】  コンテンツディレクトリ３３０は、コンテンツ情報自体を記録保管するためのディレクトリである。コンテンツディレクトリ３３０には、コンテンツ１−データファイル３３１、コンテンツ１−データファイル３３２、・・・、コンテンツ２−データファイル３３３、コンテンツ２−データファイル３３４が記録保管されている。なお、これはあくまでも一例であって、コンテンツディレクトリ３３０に記録保管されるのはこれらのコンテンツデータファイルに限るものではなく、幾つのコンテンツデータファイルが記録保管されても構わない。【００５４】  例えば、図１に示す例では、コンテンツ１−データファイル３３１とコンテンツ１−データファイル３３２とは、ＳＤカード１０１内に記録保管されているコンテンツ情報であるＳｈｏｔ１１１である。このＳ���ｏｔ１１１が例えばＪＰＥＧ形式で符号化された静止画像情報である場合、コンテンツ１−データファイル３３１は１枚の静止画像情報であり、コンテンツ１−データファイル３３２は他の１枚の静止画像情報であっても構わない。【００５５】  また、例えば、同様に図１に示す例では、コンテンツ２−データファイル３３３とコンテンツ２−データファイル３３４とは、ＳＤカード１０１内に記録保管されているコンテンツ情報であるＳｈｏｔ１１２のＣｌｉｐ１２２である。このＣｌｉｐ１２２が例えばＭＰＥＧ−２形式で符号化された動画像情報である場合、コンテンツ２−データファイル３３３は動画情報の１つのＧＯＰ（Ｇｒｏｕｐ  Ｏｆ  Ｐｉｃｔｕｒｅ）であり、コンテンツ２−データファイル３３４は他の１つのＧＯＰであっても構わない。なお、このようなケースでは、図３にはコンテンツ２−データファイルとして、コンテンツ２−データファイル３３３とコンテンツ２−データファイル３３４としか示していないが、実際にはより多くのコンテンツ２−データファイルが含まれている。【００５６】  また、上記のとおり、コンテンツディレクトリ３３０に記録保管されるのは、図３に示すコンテンツデータファイルに限るものではなく、幾つのコンテンツデータファイルが記録保管されても構わない。例えば、コンテンツ１−データファイル、コンテンツ２−データファイル、コンテンツ３−データファイル、・・・、コンテンツＮ−データファイルが記録保管されても構わない。このようなケースでは、各コンテンツｎ−データファイル（１≦ｎ≦Ｎ）に対応したコンテンツｎ−付属情報ファイル（１≦ｎ≦Ｎ）がコンテンツ付属情報ディレクトリ３２０に記録保管される。【００５７】  さらにまた、各コンテンツｎ−データファイル（１≦ｎ≦Ｎ）も、コンテンツｎ−データファイル１、コンテンツｎ−データファイル２、コンテンツｎ−データファイル３、・・・、コンテンツｎ−データファイルＫ（１≦Ｋ）のように、幾つのコンテンツデータファイルを含んでいても構わない。但し、Ｎ、ｎ、Ｋはそれぞれ正の整数である。【００５８】  このように、コンテンツデータファイルが記録されているディレクトリとは別のディレクトリにコンテンツ付属情報ファイルが記録されるので、コンテンツ付属情報ファイルがコンテンツデータファイルとともに記録されておらず、コンテンツ付属情報ファイルのみを個別に読み出して利用することができる。【００５９】  図４は、本発明の実施の形態１に係る情報記録再生装置の複数の情報記録メディアにコンテンツ情報がまたがって記録されている時のディレクトリ構造の第３例を示す図である。図３では、具体的には、ＳＤカード１０１、ＳＤカード１０２及びＳＤカード１０３にコンテンツ情報がまたがって記録されている時のディレクトリ構造を示している。【００６０】  ＲＯＯＴディレクトリ４００は、１つの情報記録メディア全体の基本となるディレクトリであり、１つの記録メディア毎に必ず１つだけ存在するディレクトリである。１つの記録メディアの中の全てのディレクトリは、このＲＯＯＴディレクトリ４００の下に作られる。【００６１】  この第３例では、ＲＯＯＴディレクトリ４００の下にメディアディレクトリ４１０が作���される。メディアディレクトリ４１０は、１つの情報記録メディアを管轄するディレクトリであるが、必ずしも１つの情報記録メディアに１つとは限らず、２つ以上あっても構わない。この場合、１つの情報記録メディアはあたかも２つ以上の情報記録メディアであるかのように管理される。これについては、上記第１例及び第２例と同様である。【００６２】  この第３例では、メディアディレクトリ４１０の下に１つのコンテンツ付属情報ディレクトリ４２０と、任意の個数のコンテンツデータファイルとが作成される。なお、コンテンツ付属情報ディレクトリ４２０は、必ずしも１つだけに限るものではなく、幾つ存在しても構わない。【００６３】  コンテンツ付属情報ディレクトリ４２０は、コンテンツ付属情報ファイルを記録保管するためのディレクトリである。コンテンツ付属情報ファイルは、コンテンツ情報の数に応じて作成される。そして、コンテンツ付属情報ファイルには、記録メディアに記録保管されているコンテンツ情報に関する各種の属性情報や付属関連情報が記録される。
なお、コンテンツ付属情報ファイルの詳細な例については後述する。図４の例では、コンテンツ１−付属情報ファイル４２１とコンテンツ２−付属情報ファイル４２２との２つだけが示されているが、必ずしもコンテンツ付属情報ファイルは２つに限るものではなく、各メディアディレクトリの下に幾つ存在しても構わない。【００６４】  上記第２例では、コンテンツ情報自体は、コンテンツ情報自体を記録保管するためのコンテンツディレクトリに記録保存されていたが、この第３例では、コンテンツディレクトリは存在せず、コンテンツ情報自体はメディアディレクトリ４１０の下に直接記録保存されている。すなわち、第３例では、メディアディレクトリ４１０の直下に、コンテンツ１−データファイル４３１、コンテンツ１−データファイル４３２、・・・、コンテンツ２−データファイル４３３、コンテンツ２−データファイル４３４が記録保管されている。なお、これはあくまでも一例であって、メディアディレクトリ４１０の直下に記録保管されるのはこれらのコンテンツデータファイルに限るものではなく、幾つのコンテンツデータファイルが記録保管されても構わない。【００６５】  また、コンテンツ１−データファイル４３１、コンテンツ１−データファイル４３２、・・・、コンテンツ２−データファイル４３３、コンテンツ２−データファイル４３４の内容については、上記第２例と同様であるから、説明を省略する。また、メディアディレクトリ４１０の直下に記録保管されるのは、例えば、コンテンツ１−データファイル、コンテンツ２−データファイル、コンテンツ３−データファイル、・・・、コンテンツＮ−データファイルであっても構わないことも、上記第２例と同様である。このようなケースでは、各コンテンツｎ−データファイル（１≦ｎ≦Ｎ）に対応したコンテンツｎ−付属情報ファイル（１≦ｎ≦Ｎ）がコンテンツ付属情報ディレクトリ４２０に記録保管されていることも、上記第２例と同様である。【００６６】  さらにまた、各コンテンツｎ−データファイル（１≦ｎ≦Ｎ）も、コンテンツｎ−データファイル１、コンテンツｎ−データファイル２、コンテンツｎ−データファイル３、・・・、コンテンツｎ−データファイルＫ（１≦Ｋ）のように、幾つのコンテンツデータファイルを含んでいても構わないことも、上記第２例と同様である。【００６７】  このような、メディアディレクトリ、コンテンツ付属情報ディレクトリ、コンテンツディレクトリ、コンテンツ付属情報ファイル、コンテンツデータファイルによって、複数の記録メディアにまたがって記録されているコンテンツ情報の再生順序を保証し、シームレスな再生を保証することが可能になる。【００６８】  ここで、コンテンツ付属情報ファイルについて説明する。図５は、コンテンツ付属情報ファイルに記録される全メディア関連情報統合管理テーブルの一例を示す図である。全メディア関連情報統合管理テーブルは、例えば、各ＳＤカードの各Ｓｈｏｔの各Ｃｌｉｐ単位に作成される。【００６９】  記録される項目は、例えば、記録年月日及び記録時分秒を含む関連情報、記録メディアの種別、メディアＩＤ番号、その記録メディアが存在する所在パス、このＣｌｉｐの前の部分が記録されているリンク先（ＰＲＥＶ）についての情報、及びこのＣｌｉｐの後の部分が記録されているリンク先（ＮＥＸＴ）についての情報等である。なお、全メディア関連情報統合管理テーブルについてのこれらの項目は、あくまでも１つの例であって、これらに限るものではない。【００７０】  例えば、図５に示す全メディア関連情報統合管理テーブルの最初の項目には、ＳＤカードに記録されている１つのＣｌｉｐについての関連情報が記録されている。その関連情報には、このＣｌｉｐが記録されたのが２００５年０２月２１日であり、記録された時刻が２３時１２分３０秒であることが記録されている。【００７１】  なお、これもまたあくまでも１つの例であり、必ずしもこのような内容に限るものではなく、時刻もより詳細な時刻、例えばミリ秒単位やマイクロ秒、ナノ秒単位の情報を含んでいても構わないし、記録開始時刻と記録終了時刻、あるいは記録中の時間長に関する情報等を含んでいても構わない。【００７２】  全メディア関連情報統合管理テーブルの第２の項目には、このＣｌｉｐが記録されている記録メディアの種別、例えばＳＤカードや、ＢＤ（ブルーレイディスク）、ＤＶＤ（デジタル・バーサタイル・ディスク）、ＨＤ（ハードディスク）、あるいはその他の各種記録メディアの種別が記録されている。図５に示す最初のレコードには、記録メディアの種別がＳＤ（ＳＤカード）であることを示す情報が記録されており、図５に示す第２のレコードには、記録メディアの種別がＤＶＤ（デジタル・バーサタイル・ディスク）であることを示す情報が記録されている。【００７３】  全メディア関連情報統合管理テーブルの第３の項目には、このＣｌｉｐが記録されている記録メディアのメディアＩＤ番号が記録されている。このメディアＩＤ番号は、記録メディアの種別に応じて、各種の形式があり得るが、その記録メディアを識別するための固有のＩＤ番号である。【００７４】  図５に示す最初のレコードには、記録メディアのメディアＩＤ番号が‘０１２４５’であることが記録されており、図５に示す第２のレコードには、記録メディアのメディアＩＤ番号が‘ＤＶＤ１０９’であることが記録されている。なお、このメディアＩＤ番号は、世界でただ１つの番号であっても構わないし、各利用者にとって不都合が無い限りでただ１つの番号であっても構わない。また、図５の例にも示すとおり、必ずしも数字だけに限るものではなく、文字を含んでいても構わない。【００７５】  全メディア関連情報統合管理テーブルの第４の項目には、このＣｌｉｐが記録されている記録メディアが存在する記録ドライブの所在、例えば、ファイルシステムやＯＳ（Ｏｐｅｒａｔｉｎｇ
Ｓｙｓｔｅｍ）によって特定されるアクセスや管理のためのパスやドライブ名が記録されている。この情報によって、情報記録再生装置は、このＣｌｉｐが記録されている記録メディアが存在又は装着されている記録ドライブを識別することができると共に、その記録ドライブとその記録メディアとにアクセスすることができ、また、その記録ドライブとその記録メディアとを管理することができる。【００７６】  図５に示す最初のレコードには、記録ドライブの所在・パスが‘／ＭＦ／ＣＦ１／ＳＤＲ００１’であることを示す情報が記録されており、図５に示す第２のレコードには、記録ドライブの所在・パスが‘／ＭＦ／ＣＦ２／ＤＶＤ００２’であることを示す情報が記録されている。【００７７】  全メディア関連情報統合管理テーブルの第５の項目には、このＣｌｉｐの前の部分が記録されているリンク先（ＰＲＥＶ）についての情報が記録されている。具体的には、例えば、図５に示す最初のレコードには、このＣｌｉｐの前の部分が記録されている記録メディアのメディア種別がＨＤ（ハードディスク）であり、そのＨＤのメディアＩＤは‘ＨＤＤ０１６’であり、その記録メディアが存在する記録ドライブの所在・パスは‘／ＭＦ／ＣＦ３／ＨＤＤ０１３’であることが記録されている。【００７８】  また、例えば、図５に示す第２のレコードには、このＣｌｉｐの前の部分が記録されている記録メディアのメディア種別がＳＤ（ＳＤカード）であり、そのＳＤカードのメディアＩＤは‘０１２４５’であり、その記録メディアが存在する記録ドライブの所在・パスは‘／ＭＦ／ＣＦ１／ＳＤＲ００１’であることが記録されている。【００７９】  この第２のレコードのリンク先におけるメディアＩＤと記録ドライブの所在・パスとは、図５の第１番目のレコードに示すメディアＩＤ及び所在・パスと同一であり、このことから、図５に示す例の第２番目のレコードに記録されているＣｌｉｐの前の部分は、図５に示す例の第１番目のレコードに記録されているものであることが解る。すなわち、言い換えると、図５に示す例の全メディア関連情報統合管理テーブルに記録されている最初のレコードに対応するＣｌｉｐと、第２のレコードに対応するＣｌｉｐとは、１つのＳｈｏｔの連続したＣｌｉｐであることが解る。【００８０】  但し、これはあくまでも１つの例であって、必ずしもこの例のように、全メディア関連情報統合管理テーブルに記録されているＣｌｉｐは、１つのＳｈｏｔの連続したＣｌｉｐの順に記録されていることは必要で無く、どのような順番に記録されていても構わない。【００８１】  全メディア関連情報統合管理テーブルの第６の項目には、このＣｌｉｐの後の部分が記録されているリンク先（ＮＥＸＴ）についての情報が記録されている。具体的には、例えば、図５に示す最初のレコードには、このＣｌｉｐの後の部分が記録されている記録メディアのメディア種別がＤＶＤ（デジタル・バーサタイル・ディスク）であり、そのＤＶＤのメディアＩＤは‘ＤＶＤ１０９’であり、その記録メディアが存在する記録ドライブの所在・パスは‘／ＭＦ／ＣＦ２／ＤＶＤ００２’であることが記録されている。【００８２】  この第１のレコードのリンク先におけるメディアＩＤと記���ドライブの所在・パスとは、図５の第２番目のレコードに示すメディアＩＤ及び所在・パスと同一であり、このことから、図５に示す例の第１番目のレコードに記録されているＣｌｉｐの後の部分は、図５に示す例の第２番目のレコードに記録されているものであることが解る。すなわち、言い換えると、図５に示す例の全メディア関連情報統合管理テーブルに記録されている最初のレコードに対応するＣｌｉｐと、第２のレコードに対応するＣｌｉｐとは、１つのＳｈｏｔの連続したＣｌｉｐであることが解る。【００８３】  但し、これはあくまでも１つの例であって、必ずしもこの例のように、全メディア関連情報統合管理テーブルに記録されているＣｌｉｐは、１つのＳｈｏｔの連続したＣｌｉｐの順に記録されていることは必要で無く、どのような順番に記録されていても構わない。【００８４】  また、例えば、図５に示す第２のレコードには、このＣｌｉｐの後の部分は‘−’だけが記録されている。これは、このＣｌｉｐの後の部分は存在しない、あるいは未だ記録されていない、あるいは未だ特定されていないことを示している。【００８５】  また、この全メディア関連情報統合管理テーブルによって管理されている記録メディアがリムーバブル・タイプの記録メディアである場合、メディア種別やメディアＩＤは通常の利用形態に伴って変るということは普通考えられないが、その記録メディアが存在する記録ドライブの所在・パスは通常の利用形態に伴って変り得る。従って、各Ｃｌｉｐを記録している記録メディアが存在する記録ドライブの所在・パスは利用に伴って変る可能性がある。この全メディア関連情報統合管理テーブルに記録されているのは、最新の状態を示す情報であるが、その状態が変わった時にはその都度更新される。【００８６】  これは、この全メディア関連情報統合管理テーブルの‘所在・ドライブ／パス’の項目だけでなく、‘リンク先（ＰＲＥＶ）’の項目の中の‘所在・ドライブ／パス’や、‘リンク先（ＮＥＸＴ）’の項目の中の‘所在・ドライブ／パス’も同様である。【００８７】  また、この図５に示す全メディア関連情報統合管理テーブルには、２つのＣｌｉｐについてのみ示しているが、これもあくまでも１つの例であり、全メディア関連情報統合管理テーブルには幾つのＣｌｉｐについての情報が記録されていても構わない。【００８８】  また、この例では、全メディア関連情報統合管理テーブルは、コンテンツ付属情報ファイルに記録されるとして説明したが、これもあくまでも１つの例であり、コンテンツ付属情報ファイル以外の記録メディアに記録されていてもよく、情報記録再生装置の他の部分、例えば不揮発性メモリや、揮発性メモリや、ＲＯＭ、ＲＡＭ、あるいはその他の外部記録媒体に記録されていてもよく、他のコンピュータ、例えばネットワーク接続されたサーバ等に記録されていても構わない。【００８９】  このように、リンク情報が第１の記録媒体の種別を示す情報及び第２の記録媒体の種別を示す情報の少なくとも一方を含んでいるので、複数の種別の記録媒体にまたがってコンテンツ情報を記録することができる。【００９０】  また、リンク情報が、第１の記録媒体を識別するためのメディアＩＤ及び第２の記録媒体を識別するためのメディアＩＤの少なくとも一方を含んでいるので、コンテンツ情報が記録されている記録媒体を容易に特定することができる。【００９１】  さらに、リンク情報が、第１の記録媒体のコンテンツ情報が記録されているディレクトリを識別するための識別情報及び第２の記録媒体のコンテンツ情報が記録されているディレクトリを識別するための識別情報の少なくとも一方を含んでいるので、コンテンツ情報が記録されているディレクトリを容易に特定することができる。【００９２】  さらにまた、リンク情報が、第１の記録媒体のコンテンツ情報が記録されているファイルを識別するための識別情報及び第２の記録媒体のコンテンツ情報が記録されているファイルを識別するための識別情報の少なくとも一方を含んでいるので、コンテンツ情報が記録されているファイルを容易に特定することができる。【００９３】  また、リンク情報が、コンテンツ情報のリンク先を表すリンク先情報及びリンク元を表すリンク元情報の少なくとも一方を含んでいるので、リンク先情報を参照することで、複数の記録媒体にまたがって記録されたコンテンツ情報を順方向に再生することができ、リンク元情報を参照することで、複数の記録媒体にまたがって記録されたコンテンツ情報を逆方向に再生することができる。【００９４】  図６は、本発明の実施の形態１に係る情報記録再生装置のモジュール構成を示す図である。図７は、本発明の実施の形態１に係る情報記録再生装置の機能ブロックを示す図である。【００９５】  図６に示す情報記録再生装置６００は、ユーザインタフェース部６１２、アプリケーション部６１４、コンテンツ制御部６１６、コンテンツ付属情報管理部６１８、ＳＤメディアコア制御部６２１、ＢＤメディアコア制御部６２３、ＤＶＤメディアコア制御部６２５、ＨＤメディアコア制御部６２７、ファイルシステム・インタフェース部６３１、ＳＤファイルシステム部６４１、ＢＤファイルシステム部６４３、ＤＶＤファイルシステム部６４５、ＨＤファイルシステム部６４７、ＳＤデバイスドライバ部６５１、ＢＤデバイスドライバ部６５３、ＤＶＤデバイスドライバ部６５５、ＨＤデバイスドライバ部６５７、及びメディア部６７１を備えて構成される。【００９６】  メディア部６７１は、各種の記録メディアであるＳＤ（ＳＤカード）６８１，６８２、ＢＤ（ブルーレイディスク）６８３，６８４、ＤＶＤ（デジタル・バーサタイル・ディスク）６８５，６８６、及びＨＤ（ハードディスク）６８７，６８８を備える。【００９７】  なお、このような情報記録再生装置６００の主要モジュール構成は、あくまでも１つの例であって、このような構成に限るものではなく、特に各種のデバイスドライバや記録メディアの種類と数は、図６に示す例に限るものではない。【００９８】  図７に示す情報記録再生装置６００の主要機能ブロックは、ユーザインタフェース処理部７１１、コンテンツ管理部７１２、メディアアクセス処理部７４１及びメディア部７５１を備えて構成される。コンテンツ管理部７１２は、コンテンツ制御部７２２、コンテンツ付属情報管理部７２３、ＳＤフォーマット処理部７３１、ＳＤリンク情報処理部７３２、ＢＤフォーマット処理部７３３、ＢＤリンク情報処理部７３��、ＤＶＤフォーマット処理部７３５、ＤＶＤリンク情報処理部７３６、ＨＤフォーマット処理部７３７、ＨＤリンク情報処理部７３８を備えて構成される。【００９９】  コンテンツ制御部７２２は、コンテンツ処理部７１３及びリンク情報利用部７１４を備えて構成される。コンテンツ付属情報管理部７２３は、コンテンツ付属情報処理部７１５を備えて構成される。メディア部７５１は、各種の記録メディアであるＳＤ（ＳＤカード）７６１，７６２、ＢＤ（ブルーレイディスク）７６３，７６４、ＤＶＤ（デジタル・バーサタイル・ディスク）７６５，７６６、及びＨＤ（ハードディスク）７６７，７６８を備える。【０１００】  なお、このような情報記録再生装置６００の主要機能ブロック構成は、あくまでも１つの例であって、このような構成に限るものではなく、特に各種のフォーマット処理部やリンク情報処理部や記録メディアの種類と数は、図７に示す例に限るものではない。【０１０１】  図６のユーザインタフェース部６１２は、図７のユーザインタフェース処理部７１１に対応している。ユーザインタフェース部６１２は、情報記録再生装置６００を利用者が利用する時の操作、例えば操作ボタンの入力を検知し、入力に対応した動作を行う。また、ユーザインタフェース部６１２は、利用者による操作に対応する出力を液晶表示装置に表示したり、音声出力装置から出力したりする。【０１０２】  図６のアプリケーション部６１４は、図７のコンテンツ管理部７１２の一部に対応している。アプリケーション部６１４は、アプリケーションプログラムによって制御される。アプリケーション部６１４は、ユーザインタフェース部６１２からの操作入力情報を受信し、各種情報を記録するための要求、各種情報を再生するための要求及び各種情報を編集するための要求に対応する制御信号を他のモジュールに送信するとともに、他のモジュールからの応答に対応する制御信号を受信する。【０１０３】  図６のコンテンツ制御部６１６は、図７のコンテンツ制御部７２２に対応している。コンテンツ制御部６１６は、アプリケーション部６１４からの制御信号に基づき、コンテンツ情報の制御、例えばストリーム制御やファイル制御を行う。また、コンテンツ制御部６１６は、ストリーム制御やファイル制御が行われたコンテンツ情報を各種記録メディアに対応したメディアコア制御部６２１〜６２７へ出力する。【０１０４】  また、コンテンツ情報の制御は、図７に示すように、コンテンツ処理部７１３によって行われるコンテンツ自体に対する処理と、リンク情報利用部７１４によって行われるコンテンツのリンク情報を利用した処理とに分けられる。【０１０５】  コンテンツのリンク情報を利用した処理とは、上記のように例えば、コンテンツ付属情報ファイルに記録されている全メディア関連情報統合管理テーブルを読み出し、その内容を解析し、そのリンク情報を辿ることによってコンテンツ自体を読み出す処理である。これは、複数の記録メディアにまたがって記録されているコンテンツ情報の再生順序を保証し、シームレスな再生を保証するための処理の一部に相当する。なお、本実施の形態におけるコンテンツ付属情報ファイルは、メディア部７５１の少なくとも１つの記録媒体に記録される。【０１０６】  図６のコンテンツ付属情報管理部６１８は、図７のコンテンツ付属情報管理部７２３に対応している。コンテンツ付属情報管理部６１８は、アプリケーション部６１４からの制御信号に基づき、全メディア関連情報統合管理テーブルを管理する。【０１０７】  そして、図７のメディア部７５１は、コンテンツ・リンク情報（コンテンツ付属情報ファイル）を記憶している。また、メディア部７５１は、例えば上記のように、コンテンツ付属情報ファイルを記録しているが、これもあくまでも１つの例であり、本発明に係る情報記録再生装置の他の部分、例えば不揮発性メモリや、揮発性メモリや、ＲＯＭ、ＲＡＭ、あるいはその他の外部記録媒体、他のコンピュータ、例えばネットワーク接続されたサーバ等に相当するものであっても構わない。【０１０８】  このコンテンツ付属情報管理部６１８が行う処理の１つである、コンテンツ・リンク情報に対する処理もまた、上記のように例えば、コンテンツ付属情報ファイルに記録されている全メディア関連情報統合管理テーブルを読み出し、その内容を解析し、そのリンク情報を辿ることによってコンテンツ自体を読み出す処理である。これは、複数の記録メディアにまたがって記録されているコンテンツ情報の再生順序を保証し、シームレスな再生を保証するための処理の一部に相当する。【０１０９】  図６のＳＤメディアコア制御部６２１は、図７のＳＤフォーマット処理部７３１とＳＤリンク情報処理部７３２とに対応し、ＢＤメディアコア制御部６２３は、ＢＤフォーマット処理部７３３とＢＤリンク情報処理部７３４とに対応し、ＤＶＤメディアコア制御部６２５は、ＤＶＤフォーマット処理部７３５とＤＶＤリンク情報処理部７３６とに対応し、ＨＤメディアコア制御部６２７は、ＨＤフォーマット処理部７３７とＨＤリンク情報処理部７３８とに対応している。【０１１０】  情報記録再生装置６００に装着されている記録メディアの一例である、例えば、ＳＤカード、ＢＤ（ブルーレイディスク）、ＤＶＤ（デジタル・バーサタイル・ディスク）及びＨＤ（ハードディスク）等は、それぞれ独自の規格化された記録フォーマットが定められており、コンテンツ情報やリンク情報を初めとするコンテンツ管理情報は、この規格化された記録フォーマットに従って記録する必要がある。【０１１１】  そして、ＳＤフォーマット処理部７３１、ＢＤフォーマット処理部７３３、ＤＶＤフォーマット処理部７３５及びＨＤフォーマット処理部７３７は、この規格化された各記録フォーマットに対応した記録のための処理を行う。また、ＳＤリンク情報処理部７３２、ＢＤリンク情報処理部７３４、ＤＶＤリンク情報処理部７３６及びＨＤリンク情報処理部７３８は、各記録フォーマットと関連してリンク情報を辿ったり、更新管理するのに必要となる処理を行う。【０１１２】  そして、これらは上記のとおり、記録メディア毎に必要となるので、これらの部分は各記録メディア、すなわち、ここに示す例では、ＳＤカード、ＢＤ（ブルーレイディスク）、ＤＶＤ（デジタル・バーサタイル・ディスク）及びＨＤ（ハードディスク）に対応してそれぞれ存在する。【０１１３】  なお、上記のとおり、これらの記録メディアはあくまでも１つの例であ��から、記録メディアが増えたり、新しい記録メディアが追加された時には、メディアコア制御部、すなわち新しく追加された記録メディア用のフォーマット処理部とリンク情報処理部とが必要になり、これらを追加しなければならない。【０１１４】  逆にいうならば、これらのメディアコア制御部、すなわち新しい記録メディア用のフォーマット処理部とリンク情報処理部とさえ追加するならば、どのような記録メディアであっても、この情報記録再生装置６００に新たに追加することが可能である。しかも、その新しい記録メディアと既存の記録メディアとの間で、コンテンツ情報をまたがって記録することができる。さらに、新しく追加された如何なる記録メディアと、既存の記録メディアとにまたがって記録されているコンテンツ情報の再生順序を保証し、シームレスな再生を保証することが可能となる。これは、本発明の最も大きな特徴の１つである。【０１１５】  図６のファイルシステム・インタフェース部６３１、ＳＤファイルシステム部６４１、ＳＤデバイスドライバ部６５１、ＢＤファイルシステム部６４３、ＢＤデバイスドライバ部６５３、ＤＶＤファイルシステム部６４５、ＤＶＤデバイスドライバ部６５５、ＨＤファイルシステム部６４７及びＨＤデバイスドライバ部６５７は、図７のメディアアクセス処理部７４１に相当する。【０１１６】  すなわち、これらの全てのモジュールは、機能的には、各記録メディアにアクセスするための処理を行うものであり、ファイルシステム・インタフェース部６３１は、各メディアコア制御部と各記録メディアのファイルシステム部とのデータの受け渡しの仲介を行う。【０１１７】  ＳＤファイルシステム部６４１、ＢＤファイルシステム部６４３、ＤＶＤファイルシステム部６４５及びＨＤファイルシステム部６４７のそれぞれは、既存のＰＣ（パーソナルコンピュータ）等で通常一般的に使用されている各記録メディアに対応したファイルシステム管理ソフトウエアと同じである。また、ＳＤデバイスドライバ部６５１、ＢＤデバイスドライバ部６５３、ＤＶＤデバイスドライバ部６５５及びＨＤデバイスドライバ部６５７のそれぞれは、各記録メディアに対応したデバイスドライバ・ソフトウエアと同じものである。これらは、それぞれの記録メディア毎に定められた規格に準拠したファイルシステムに従ってコンテンツ情報を記録するためのデバイスドライバに相当する部分である。【０１１８】  但し、この時にも、新しい記録メディアが追加された時には、その記録メディアに対応したファイルシステム部とデバイスドライバ部とを追加しなければならない。また、逆にいうならば、これらのファイルシステム部とデバイスドライバ部とさえ追加するならば、どのような記録メディアであっても、この情報記録再生装置６００に新たに追加することが可能である。しかも、その新しい記録メディアと既存の記録メディアとの間で、コンテンツ情報をまたがって記録することができる。さらに、新しく追加された如何なる記録メディアと、既存の記録メディアとにまたがって記録されているコンテンツ情報の再生順序を保証し、シームレスな再生を保証することが可能となる。これは、本発明の最も大きな特徴の１つである。【０１１９】  なお、本実��の形態において、コンテンツ制御部６１６がコンテンツ情報記録部及びコンテンツ情報記録制御部の一例に相当し、コンテンツ付属情報管理部６１８がリンク情報記録部及びリンク情報記録制御部の一例に相当し、コンテンツ付属情報管理部６１８がリンク情報読出部の一例に相当し、コンテンツ制御部６１６が再生部の一例に相当し、コンテンツ付属情報管理部６１８がコンテンツ情報削除部の一例に相当し、コンテンツ付属情報管理部６１８がリンク情報読出部の一例に相当し、コンテンツ付属情報管理部６１８がリンク情報削除部の一例に相当し、ユーザインタフェース部６１２が表示部の一例に相当する。【０１２０】  ここで、本発明の実施の形態１に係る情報記録再生装置の動作について説明する。まず、コンテンツ情報を記録メディアに記録する記録処理について説明する。図８及び図９は、図６に示す情報記録再生装置による記録処理について説明するためのフローチャートである。【０１２１】  まず、ステップＳ１において、コンテンツ制御部６１６は、これから記録しようとする記録メディアの空き容量、ディレクトリ数及びファイル数を取得し、記録メディアの空き容量が不足しているか否か、又は記録メディアのディレクトリ数及びファイル数が当該記録メディアに対して予め規格化されている上限数を超えているか否かを判断する。ここで、記録メディアの空き容量が不足していないと判断された場合、又は記録メディアのディレクトリ数及びファイル数が規格上限数を超えていないと判断された場合（ステップＳ１でＮＯ）、ステップＳ２において、コンテンツ付属情報管理部６１８は、同一の記録メディア内にこれから記録するコンテンツ情報に対応するコンテンツ付属情報ファイルをオープンする。【０１２２】  一方、記録メディアの空き容量が不足していると判断された場合、又は記録メディアのディレクトリ数及びファイル数が規格上限数を超えていると判断された場合（ステップＳ１でＹＥＳ）、ステップＳ３において、コンテンツ付属情報管理部６１８は、他に記録可能な記録メディアがあるか否かを判断する。ここで、他に記録可能な記録メディアがないと判断された場合（ステップＳ３でＮＯ）、ステップＳ４において、コンテンツ付属情報管理部６１８は、コンテンツ情報を記録することができないことを表す記録エラー通知をユーザインタフェース部６１２へ出力する。ユーザインタフェース部６１２は、記録エラー画面を表示装置に表示し、コンテンツ情報を記録メディアに記録することができないことをユーザに通知する。【０１２３】  他に記録可能な記録メディアがあると判断された場合（ステップＳ３でＹＥＳ）、ステップＳ５において、コンテンツ付属情報管理部６１８は、他の記録メディア内にこれから記録するコンテンツ情報に対応するコンテンツ付属情報ファイルをオープンする。【０１２４】  次に、ステップＳ６において、コンテンツ付属情報管理部６１８は、リンク先のメディア種別とメディアＩＤとを取得し、内部のメモリに記憶する。なお、本実施の形態では、リンク先のメディア種別とメディアＩＤとを内部のメモリに記憶しているが、本発明は特にこれに限定されず、メディア種別及びメディアＩＤに加えてコンテンツを識別するためのコンテ���ツＩＤを取得して記憶してもよい。【０１２５】  次に、ステップＳ７において、コンテンツ制御部６１６は、コンテンツ情報を記憶するためのコンテンツファイルをオープンする。次に、ステップＳ８において、コンテンツ付属情報管理部６１８は、リンク情報を作成するリンク情報作成処理を実行する。ここで、リンク情報作成処理について説明する。図１０は、図８のステップＳ８におけるリンク情報作成処理について説明するためのフローチャートである。【０１２６】  ステップＳ２１において、コンテンツ付属情報管理部６１８は、リンク先があるか否かを判断する。すなわち、コンテンツ付属情報管理部６１８は、リンク先のメディア種別とメディアＩＤとが記憶されているか否かを判断し、リンク先のメディア種別とメディアＩＤとが記憶されている場合、リンク先があると判断し、リンク先のメディア種別とメディアＩＤとが記憶されていない場合、リンク先がないと判断する。【０１２７】  ここで、リンク先があると判断された場合（ステップＳ２１でＹＥＳ）、ステップＳ２２において、コンテンツ付属情報管理部６１８は、リンク元のコンテンツ付属情報に含まれるリンク先情報を作成し、作成したリンク先情報をリンク元のコンテンツ付属情報ファイル用キャッシュデータに一時的に記憶する。具体的に、コンテンツ付属情報管理部６１８は、リンク先のメディア種別とメディアＩＤとをリンク先（ＮＥＸＴ）としてリンク元のコンテンツ付属情報ファイル用キャッシュデータに記憶する。【０１２８】  次に、ステップＳ２３において、コンテンツ付属情報管理部６１８は、リンク先のコンテンツ付属情報に含まれるリンク先情報及びリンク元情報を作成し、作成したリンク先情報及びリンク元情報をリンク先のコンテンツ付属情報ファイル用キャッシュデータに一時的に記憶する。具体的に、コンテンツ付属情報管理部６１８は、リンク元のメディア種別とメディアＩＤとをリンク元（ＰＲＥＶ）としてリンク先のコンテンツ付属情報ファイル用キャッシュデータに記憶する。また、コンテンツ付属情報管理部６１８は、‘ＮＵＬＬ’という値をリンク先（ＮＥＸＴ）としてリンク先のコンテンツ付属情報ファイル用キャッシュデータに記憶する。【０１２９】  一方、リンク先がないと判断された場合（ステップＳ２１でＮＯ）、ステップＳ２４において、コンテンツ付属情報管理部６１８は、リンク元のコンテンツ付属情報に含まれるリンク先情報を作成し、作成したリンク先情報をリンク元のコンテンツ付属情報ファイル用キャッシュデータに一時的に記憶する。ここでは、複数の記録メディアにまたがってコンテンツ情報が記録されないので、リンク先情報は、リンク先（ＮＥＸＴ）及びリンク先（ＰＲＥＶ）ともに‘ＮＵＬＬ’をリンク元のコンテンツ付属情報ファイル用キャッシュデータに記憶する。【０１３０】  図８に戻って、ステップＳ９において、コンテンツ付属情報管理部６１８は、リンク元があるか否かを判断する。ここで、リンク元がないと判断された場合（ステップＳ９でＮＯ）、ステップＳ１２の処理へ移行する。一方、リンク元があると判断された場合（ステップＳ９でＹＥＳ）、ステップＳ１０において、コンテンツ付属情報管理部６１８は、リンク元のコンテン���付属情報ファイル用キャッシュデータに一時的に記憶されているリンク先情報をリンク元のコンテンツ付属情報ファイルに書き込む。次に、ステップＳ１１において、コンテンツ付属情報管理部６１８は、リンク元のコンテンツ付属情報ファイルをクローズする。【０１３１】  次に、ステップＳ１２において、コンテンツ制御部６１６は、コンテンツファイルのサイズが予め設定されている上限値に達したか否かを判断する。ここで、コンテンツファイルのサイズが上限値に達したと判断された場合（ステップＳ１２でＹＥＳ）、ステップＳ１の処理へ戻る。本実施の形態では、ＦＡＴ１６やＦＡＴ３２等のファイルシステムにより１つのコンテンツファイルのサイズ（容量）の上限値が予め規定されている。したがって、コンテンツファイルのサイズが上限値に達した場合、ステップ１の処理へ戻り、新たなコンテンツファイルが作成される。なお、ファイルシステムによってはコンテンツのファイルサイズの上限値が規定されていない場合もある（例えば、ＵＤＦ２．５等）。この場合、ステップＳ１２の処理を省略してもよく、また、任意の上限値を設定してもよい。【０１３２】  コンテンツファイルのサイズが上限値に達していないと判断された場合（ステップＳ１２でＮＯ）、ステップＳ１３において、コンテンツ制御部６１６は、コンテンツファイルにストリーム情報を書き込む。次に、ステップＳ１４において、コンテンツ付属情報管理部６１８は、記録メディアにおけるコンテンツ情報の記録位置を表すナビゲーション情報をリンク元又はリンク先のコンテンツ付属情報ファイル用キャッシュデータに書き込む。ここで、ステップＳ９でリンク元があると判断され、リンク元のコンテンツ付属情報ファイルがクローズされている場合、リンク先のコンテンツ付属情報ファイル用キャッシュデータにナビゲーション情報が書き込まれ、ステップＳ９でリンク元がないと判断され、リンク元のコンテンツ付属情報ファイルがクローズされていない場合、リンク元のコンテンツ付属情報ファイル用キャッシュデータにナビゲーション情報が書き込まれる。【０１３３】  次に、ステップＳ１５において、コンテンツ制御部６１６は、アプリケーション部６１４から記録停止要求が入力されたか否かを判断する。ここで、記録停止要求が入力されていないと判断された場合（ステップＳ１５でＮＯ）、ステップＳ１２の処理へ戻り、コンテンツ制御部６１６は、コンテンツファイルのサイズが予め設定されている上限値に達したか否かを判断する。以降、ステップＳ１２からステップＳ１５までの処理が、コンテンツファイルのサイズが上限値に達したと判断されるまで、又は記録停止要求が入力されるまで繰り返し実行される。【０１３４】  記録停止要求が入力されたと判断された場合（ステップＳ１５でＹＥＳ）、ステップＳ１６において、コンテンツ付属情報管理部６１８は、リンク元又はリンク先のコンテンツ付属情報ファイル用キャッシュデータをリンク元又はリンク先のコンテンツ付属情報ファイルへ書き込む。ここで、ステップＳ９でリンク元があると判断され、リンク元のコンテンツ付属情報ファイルがクローズされている場合、リンク先のコンテンツ付属情報ファイルにリンク先のコンテンツ付属情��ファイル用キャッシュデータが書き込まれ、ステップＳ９でリンク元がないと判断され、リンク元のコンテンツ付属情報ファイルがクローズされていない場合、リンク元のコンテンツ付属情報ファイルにリンク元のコンテンツ付属情報ファイル用キャッシュデータが書き込まれる。【０１３５】  次に、ステップＳ１７において、コンテンツ制御部６１６は、現在記録中のコンテンツファイルをクローズする。次に、ステップＳ１８において、コンテンツ付属情報管理部６１８は、リンク元又はリンク先のコンテンツ付属情報ファイルをクローズし、記録処理を終了する。ここで、ステップＳ９でリンク元があると判断され、リンク元のコンテンツ付属情報ファイルがクローズされている場合、リンク先のコンテンツ付属情報ファイルがクローズされ、ステップＳ９でリンク元がないと判断され、リンク元のコンテンツ付属情報ファイルがクローズされていない場合、リンク元のコンテンツ付属情報ファイルがクローズされる。【０１３６】  このように、コンテンツ情報の一部分が第１の記録媒体へ記録されるとともに、コンテンツ情報の他の部分が、第１の記録媒体とは異なる第２の記録媒体に記録される。そして、コンテンツ情報の第１の記録媒体に記録されている一部分と第２の記録媒体に記録されている他の部分とが連続していることを表すリンク情報が作成され、作成されたリンク情報が第１の記録媒体及び第２の記録媒体の少なくとも一方に記録される。このとき、コンテンツ情報が記録されているファイルとは別のファイルにリンク情報が記録される。【０１３７】  したがって、コンテンツ情報の第１の記録媒体に記録されている一部分と第２の記録媒体に記録されている他の部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。【０１３８】  なお、コンテンツ情報の他の部分を記録している領域が複数存在する場合、コンテンツ情報の第１の記録媒体に記録されている一部分と第２の記録媒体に記録されているそれぞれの領域とが連続していることを表すリンク情報を作成し、作成したリンク情報を第１の記録媒体及び第２の記録媒体の少なくとも一方に記録してもよい。この場合、第２の記録媒体にコンテンツ情報が複数に分割されて記録された場合であっても、それぞれの再生順序を保証することができる。【０１３９】  また、本実施の形態では、１つのコンテンツ情報を複数の記録メディアにまたがって記録しているが、本発明は特にこれに限定されず、１つのコンテンツ情報を複数のファイルや複数のディレクトリにまたがって記録してもよい。【０１４０】  次に、コンテンツ情報を記録メディアから再生する再生処理について説明する。図１１は、図６に示す情報記録再生装置によるコンテンツ情報の記録処理について説明するためのフローチャートである。なお、以下の再生処理は、１Ｓｈｏｔ分のコンテンツ情報を再生する処理である。【０１４１】  まず、ステップＳ３１において、コンテンツ制御部６１６は、再生対象となるコンテンツが記録メディアに記録されているか否かを判断する。なお、ユーザインタフェース部６１２は、入力装置によりユーザからの再生対象コンテンツの指定を受け付ける。ここで、再生対象となるコンテンツが記録メディアに記録されていないと判断された場合（ステップＳ３１でＮＯ）、ステップＳ３２において、コンテンツ制御部６１６は、コンテンツ情報を再生することができないことを表す再生エラー通知をユーザインタフェース部６１２へ出力する。ユーザインタフェース部６１２は、再生エラー画面を表示装置に表示し、指定されたコンテンツを再生することができないことをユーザに通知する。【０１４２】  一方、再生対象となるコンテンツが記録メディアに記録されていると判断された場合（ステップＳ３１でＹＥＳ）、ステップＳ３３において、コンテンツ付属情報管理部６１８は、再生対象コンテンツに対応するコンテンツ付属情報ファイルをオープンする。【０１４３】  次に、ステップＳ３４において、コンテンツ付属情報管理部６１８は、コンテンツ付属情報ファイルに記憶されているナビゲーション情報及びリンク情報をコンテンツ付属情報ファイル用キャッシュデータへ読み出す。次に、ステップＳ３５において、コンテンツ付属情報管理部６１８は、コンテンツ付属情報ファイルをクローズする。【０１４４】  次に、ステップＳ３６において、コンテンツ制御部６１６は、再生対象コンテンツに対応するコンテンツファイルをオープンする。次に、ステップＳ３７において、コンテンツ制御部６１６は、コンテンツ付属情報ファイル用キャッシュデータに含まれるナビゲーション情報から再生対象コンテンツの記録位置を取得する。【０１４５】  次に、ステップＳ３８において、コンテンツ制御部６１６は、デバイスドライバ部に対して再生対象コンテンツの記録位置への移動を指示する。次に、ステップＳ３９において、コンテンツ制御部６１６は、コンテンツファイルの記録位置からストリーム情報を読み出し、コンテンツ情報を再生する。【０１４６】  次に、ステップＳ４０において、コンテンツ制御部６１６は、コンテンツファイルからのストリーム情報の読み出しが終了したか否かを判断する。ここで、ストリーム情報の読み出しが終了していないと判断された場合（ステップＳ４０でＮＯ）、ステップＳ３７の処理へ戻り、引き続きストリーム情報が読み出される。【０１４７】  一方、ストリーム情報の読み出しが終了したと判断された場合（ステップＳ４０でＹＥＳ）、ステップＳ４１において、コンテンツ制御部６１６は、コンテンツファイルをクローズする。次に、ステップＳ４２において、コンテンツ付属情報管理部６１８は、コンテンツ付属情報ファイル用キャッシュデータに含まれるリンク情報からリンク先情報を取得する。【０１４８】  次に、ステップＳ４３において、コンテンツ付属情報管理部６１８は、リンク先があるか否かを判断する。ここで、リンク先があると判断された場合（ステップＳ４３でＹＥＳ）、ステップＳ３１の処理へ戻り、リンク先情報に示される記録メディアに再生対象コンテンツが記録されているか否かを判断する。一方、リンク先がないと判断された場合（ステップＳ４３でＮＯ）、再生処理を終了する。【０１４９】  このように、リンク情報が読み出され、第１��記録媒体からコンテンツ情報が読み出されて再生されるとともに、読み出されたリンク情報に基づいて、第２の記録媒体からコンテンツ情報が読み出されて再生される。したがって、記録されているリンク情報を参照することにより、複数の記録媒体にまたがって記録されたコンテンツ情報をシームレスに再生することができる。【０１５０】  次に、記録メディアに記録されたコンテンツ情報を編集する編集処理について説明する。図１２は、図６に示す情報記録再生装置によるコンテンツ情報の編集処理について説明するためのフローチャートである。なお、以下の編集処理は、１Ｓｈｏｔ分のコンテンツ情報を削除する処理である。【０１５１】  まず、ステップＳ５１において、コンテンツ制御部６１６は、削除対象となるコンテンツが記録メディアに記録されているか否かを判断する。なお、ユーザインタフェース部６１２は、入力装置によりユーザからの削除対象コンテンツの指定を受け付ける。ここで、削除対象となるコンテンツが記録メディアに記録されていないと判断された場合（ステップＳ５１でＮＯ）、ステップＳ５２において、コンテンツ制御部６１６は、コンテンツ情報を削除することができないことを表す削除エラー通知をユーザインタフェース部６１２へ出力する。ユーザインタフェース部６１２は、削除エラー画面を表示装置に表示し、指定されたコンテンツを削除することができないことをユーザに通知する。【０１５２】  一方、削除対象となるコンテンツが記録メディアに記録されていると判断された場合（ステップＳ５１でＹＥＳ）、ステップＳ５３において、コンテンツ制御部６１６は、削除対象コンテンツに対応するコンテンツファイルを削除する。次に、ステップＳ５４において、コンテンツ付属情報管理部６１８は、削除対象コンテンツに対応するコンテンツ付属情報ファイルをオープンする。【０１５３】  次に、ステップＳ５５において、コンテンツ付属情報管理部６１８は、コンテンツ付属情報ファイルに記憶されているナビゲーション情報及びリンク情報をコンテンツ付属情報ファイル用キャッシュデータへ読み出す。次に、ステップＳ５６において、コンテンツ付属情報管理部６１８は、コンテンツ付属情報ファイル用キャッシュデータに含まれるリンク情報からリンク先情報を取得する。なお、取得されたリンク先情報は、キャッシュデータとは別の領域に記憶される。【０１５４】  次に、ステップＳ５７において、コンテンツ付属情報管理部６１８は、リンク情報を編集するリンク情報編集処理を実行する。ここで、リンク情報編集処理について説明する。図１３は、図１２のステップＳ５７におけるリンク情報編集処理について説明するためのフローチャートである。【０１５５】  ステップＳ７１において、コンテンツ付属情報管理部６１８は、削除対象コンテンツに対応するリンク情報があるか否かを判断する。ここで、削除対象コンテンツに対応するリンク情報がない場合（ステップＳ７１でＮＯ）、リンク情報編集処理を終了する。一方、削除対象コンテンツに対応するリンク情報があると判断された場合（ステップＳ７１でＹＥＳ）、ステップＳ７２において、コンテンツ付属情報管理部６１８は、削除対象コンテンツに対応するリンク先情報を削除し��リンク情報編集処理を終了する。【０１５６】  図１２に戻って、ステップＳ５８において、コンテンツ付属情報管理部６１８は、コンテンツ付属情報ファイル用キャッシュデータをコンテンツ付属情報ファイルへ書き込む。次に、ステップＳ５９において、コンテンツ付属情報管理部６１８は、コンテンツ付属情報ファイルをクローズする。【０１５７】  次に、ステップＳ６０において、コンテンツ付属情報管理部６１８は、ステップＳ５６で取得したリンク先情報を参照し、削除対象コンテンツにリンク先があるか否かを判断する。ここで、リンク先があると判断された場合（ステップＳ６０でＹＥＳ）、ステップＳ５１の処理へ戻り、リンク先情報に示される記録メディアに削除対象コンテンツが記録されているか否かを判断する。一方、リンク先がないと判断された場合（ステップＳ６０でＮＯ）、編集処理を終了する。【０１５８】  このように、第１の記録媒体からコンテンツ情報が削除され、リンク情報が読み出され、削除されたコンテンツ情報に対応するリンク情報が削除される。そして、読み出されたリンク情報に基づいてコンテンツ情報のリンク先である第２の記録媒体からコンテンツ情報が削除される。したがって、コンテンツ情報を削除した場合であっても、このコンテンツ情報の削除をリンク情報に反映させることができ、複数の記録媒体にまたがって記録されたコンテンツ情報を容易に編集することができる。【０１５９】  （実施の形態２）
次に、本発明の実施の形態２について説明をする。但し、本発明の実施の形態２は、多くの点について本発明の実施の形態１と同様であるから、本発明の実施の形態１と同様の部分については説明を省略し、異なる部分についてのみ説明する。従って、本発明の実施の形態２について説明しない部分については全て本発明の実施の形態１と同様である。【０１６０】  図１４は、本発明の実施の形態２に係る情報記録再生装置のモジュール構成を示す図である。図１５は、本発明の実施の形態２に係る情報記録再生装置の機能ブロックを示す図である。【０１６１】  図１４において、図６と異なる点は、コンテンツ付属情報管理部６１８がコンテンツ・リンク情報を記憶していることである。また、図１５において、図７と異なる点は、コンテンツ付属情報管理部７２３が、リンク情報処理部７１６及びリンク情報蓄積部７１７をさらに備えており、コンテンツ管理部７１２から、ＳＤリンク情報処理部７３２、ＢＤリンク情報処理部７３４、ＤＶＤリンク情報処理部７３６及びＨＤリンク情報処理部７３８が省かれていることである。【０１６２】  図１４のコンテンツ付属情報管理部６１８は、図１５のコンテンツ付属情報管理部７２３に対応している。コンテンツ付属情報管理部６１８は、アプリケーション部６１４からの制御信号に基づき、全メディア関連情報統合管理テーブルを管理する。全メディア関連情報統合管理テーブルは、図１４のコンテンツ・リンク情報６１９に対応する。【０１６３】  そして、図１５のリンク情報蓄積部７１７は、コンテンツ・リンク情報６１９を記憶している。リンク情報処理部７１６は、コンテンツ・リンク情報６１９をリンク情報蓄積部７１７から読み出して、リンクを辿るための処理を行う。また、リンク情報蓄積部７１７は、例えば上記のように、コンテンツ付属情報ファイルに相当するが、これもあくまでも１つの例であり、コンテンツ付属情報ファイル以外の記録メディアや、本発明に係る情報記録再生装置の他の部分、例えば不揮発性メモリや、揮発性メモリや、ＲＯＭ、ＲＡＭ、あるいはその他の外部記録媒体、他のコンピュータ、例えばネットワーク接続されたサーバ等に相当するものであっても構わない。【０１６４】  このように、メディア部７５１とは異なるリンク情報蓄積部７１７にコンテンツ付属情報ファイルが記録されるので、コンテンツ付属情報ファイルがコンテンツデータファイルとともに記録されておらず、コンテンツ付属情報ファイルのみを個別に読み出して利用することができる。また、コンテンツデータファイルが記録されるメディア部７５１にコンテンツ付属情報ファイルが記録されないので、コンテンツデータファイルの記録容量を増やすことができる。【０１６５】  図１６は、本発明の実施の形態２に係る情報記録再生装置の複数の情報記録メディアにコンテンツ情報がまたがって記録されている状態を示す概念図である。具体的には、図１６では、Ｓｈｏｔ８１１とＳｈｏｔ８１２とが、ＳＤカード８０１とＳＤカード８０２とＳＤカード８０３とにまたがって記録されている。【０１６６】  この図１６に示す例では、Ｓｈｏｔ８１１は複数の記録メディアにまたがらず、ＳＤカード８０１だけに記録されている。しかしながら、���ｈｏｔ８１２は、３つの記録メディア、すなわちＳＤカード８０１とＳＤカード８０２とＳＤカード８０３とにまたがって記録されている。そして、本発明の実施の形態２では、Ｓｈｏｔ８１２のＳＤカード８０１に記録されている部分、即ちＣｌｉｐ８２２から、Ｓｈｏｔ８１２のＳＤカード８０２に記録されている部分、即ちＣｌｉｐ８２３へのリンク情報が、Ｃｌｉｐ８２２の最後に記録されている。その情報が、例えば、図１６に示す‘ｂｂｂ’である。【０１６７】  同様に、Ｓｈｏｔ８１２のＳＤカード８０２に記録されている部分、即ちＣｌｉｐ８２３から、Ｓｈｏｔ８１２のＳＤカード８０１に記録されている部分、即ちＣｌｉｐ８２２への逆方向のリンク情報が、Ｃｌｉｐ８２３の最初に記録されている。その情報が、例えば、図１６に示す‘ａａａ’である。【０１６８】  なお、本実施の形態において、リンク情報は、Ｃｌｉｐ８２２の最後及びＣｌｉｐ８２３の最初に記録されているが、これはあくまでも一例であって、必ずしも最初や最後に記録されている必要はなく、どこに記録されていても構わない。【０１６９】  そして、上記のリンク情報‘ｂｂｂ’は、Ｃｌｉｐ８２３の第２番目のブロックに‘ｂｂｂ＋１’と示していることからもわかる通り、Ｃｌｉｐ８２３の最初のブロックの位置情報を示している。即ち、Ｃｌｉｐ８２２の最後のブロックにＣｌｉｐ８２３の最初のブロックの位置情報を記録しておくことによって、Ｃｌｉｐ８２２からＣｌｉｐ８２３へのリンクを行うことが可能になる。【０１７０】  同様に、上記のリンク情報‘ａａａ’は、Ｃｌｉｐ８２２の後ろから第２番目のブロックに‘ａａａ−１’と示していることからもわかる通り、Ｃｌｉｐ８２２の最後のブロックの位置情報を示している。即ち、Ｃｌｉｐ８２３の最初のブロックにＣｌｉｐ８２２の最後のブロックの位置情報を記録しておくことによって、Ｃｌｉｐ８２３からＣｌｉｐ８２２への逆方向のリンクを行うことが可能になる。【０１７１】  同様に、Ｓｈｏｔ８１２のＳＤカード８０２に記録されている部分、即ちＣｌｉｐ８２３から、Ｓｈｏｔ８１２のＳＤカード８０３に記録されている部分、即ちＣｌｉｐ８２４へのリンク情報が、Ｃｌｉｐ８２３の最後に記録されている。その情報が、例えば、図１６に示す‘ｄｄｄ’である。【０１７２】  同様に、Ｓｈｏｔ８１２のＳＤカード８０３に記録されている部分、即ちＣｌｉｐ８２４から、Ｓｈｏｔ８１２のＳＤカード８０２に記録されている部分、即ちＣｌｉｐ８２３への逆方向のリンク情報が、Ｃｌｉｐ８２３の最初に記録されている。その情報が、例えば、図１６に示す‘ｃｃｃ’である。【０１７３】  なお、本実施の形態において、リンク情報は、Ｃｌｉｐ８２３の最後及びＣｌｉｐ８２４の最初に記録されているが、これはあくまでも一例であって、必ずしも最初や最後に記録されている必要はなく、どこに記録されていても構わない。【０１７４】  そして、上記のリンク情報‘ｄｄｄ’は、Ｃｌｉｐ８２４の第２番目のブロックに‘ｄｄｄ＋１’と示していることからもわかる通り、Ｃｌｉｐ８２４の最初のブロックの位置情報を示している。即ち、Ｃｌｉｐ８２３の最後のブロックにＣｌｉｐ８２４の最初のブロックの位置情報を記録しておくことによって、Ｃｌｉｐ８２３からＣｌｉｐ８２４へのリンクを行うことが可能になる。【０１７５】  同様に、上記のリンク情報‘ｃｃｃ’は、Ｃｌｉｐ８２３の後ろから第２番目のブロックに‘ｃｃｃ−１’と示していることからもわかる通り、Ｃｌｉｐ８２３の最後のブロックの位置情報を示している。即ち、Ｃｌｉｐ８２４の最初のブロックにＣｌｉｐ８２３の最後のブロックの位置情報を記録しておくことによって、Ｃｌｉｐ８２４からＣｌｉｐ８２３への逆方向のリンクを行うことが可能になる。【０１７６】  このように、コンテンツ情報の一部分が第１の記録媒体へ記録されるとともに、コンテンツ情報の他の部分が、第１の記録媒体とは異なる第２の記録媒体に記録される。そして、第１の記録媒体に記録されているコンテンツ情報の一部分と、第２の記録媒体に記録されているコンテンツ情報の他の部分とが連続していることを表すリンク情報が作成され、作成されたリンク情報が第１の記録媒体に記録されているコンテンツ情報の一部分及び第２の記録媒体に記録されているコンテンツ情報の他の部分に記録される。【０１７７】  したがって、別途リンク情報を保持する必要が無く、第１の記録媒体に記録されているコンテンツ情報の一部分を再生しながら、第２の記録媒体に記録されているコンテンツ情報の他の部分を再生することができる。【０１７８】  また、第１の記録媒体に記録されているコンテンツ情報の終端部分と、第２の記録媒体に記録されているコンテンツ情報の先頭部分とが入れ替えて記録されるので、第１の記録媒体に記録されているコンテンツ情報の一部分を再生しながら、第２の記録媒体へのリンクを検知し、第２の記録媒体に記録されているコンテンツ情報の他の部分を再生することができる。【０１７９】  図１７は、本発明の実施の形態２に係る情報記録再生装置の複数の情報記録メディアにコンテンツ情報がまたがって記録されている状態の他の例を示す概念図である。【０１８０】  この図１７に示す他の例では、Ｓｈｏｔ８１１は複数の記録メディアにまたがらず、ＳＤカード８０１だけに記録されていることは、上記図１６に示す例と同様である。また、Ｓｈｏｔ８１２は、３つの記録メディア、すなわちＳＤカード８０１とＳＤカード８０２とＳＤカード８０３とにまたがって記録されていることも、上記図１６に示す例と同様である。【０１８１】  そして、図１７に示す他の例では、Ｓｈｏｔ８１２のＳＤカード８０１に記録されている部分、即ちＣｌｉｐ８２２から、Ｓｈｏｔ８１２のＳＤカード８０２に記録されている部分、即ちＣｌｉｐ８２３へのリンク情報が、Ｃｌｉｐ８２２の最後に記録されていることも、上記図１６に示す例と同様である。【０１８２】  同様に、Ｓｈｏｔ８１２のＳＤカード８０２に記録されている部分、即ちＣｌｉｐ８２３から、Ｓｈｏｔ８１２のＳＤカード８０１に記録されている部分、即ちＣｌｉｐ８２２への逆方向のリンク情報が、Ｃｌｉｐ８２３の最初に記録されていることも、上記図１６に示す例と同様である。【０１８３】  しかしながら、この図１７に示す他の例では、単に、Ｃｌｉｐ８２２からＣｌｉｐ８２３へのリンク情報が、Ｃｌｉｐ８２２の最後に記録されているだけではない。Ｃｌｉｐ８２２の最後のブロックである‘ａａａ’に含まれるコンテンツ情報と、Ｃｌｉｐ８２３の最初のブロックである‘ｂｂｂ’に含まれるコンテンツ情報とをインターリーブした情報が、それぞれ、Ｃｌｉｐ８２２の最後のブロックである‘ａａａ’とＣｌｉｐ８２３の最初のブロックである‘ｂｂｂ’とに記録されている。【０１８４】  このようにすることによって、Ｃｌｉｐ８２２の最後のブロックである‘ａａａ’を読み込んだ時に、次のＣｌｉｐ８２２の最後のブロックである‘ａａａ’を先読みするべきタイミングの通知代わりに利用することができる。【０１８５】  即ち、リンク先を検知してから先読みを始めていたのでは、次に表示するべきデータであるブロック‘ｂｂｂ’の取得が間に合わない可能性がある。そのため、先のブロックである‘ａａａ’を読み込んだ時に、次のデータへの跳びを事前に検知し、先読みのタイミングのトリガーとすることができる。【０１８６】  このように、第１の記録媒体に記録されているコンテンツ情報の終端部分と、第２の記録媒体に記録されているコンテンツ情報の先頭部分とがインターリーブして記録されるので、第１の記録媒体に記録されているコンテンツ情報の一部分を再生しながら、第２の記録媒体へのリンクを検知し、リンク先を検索している間も途切れることなくコンテンツ情報を再生することができる。【０１８７】  図１８は、本発明の実施の形態２に係る情報記録再生装置における全メディア関連情報統合管理テーブルの一例を示す図である。図１８に示す実施の形態２における全メディア関連情報統合管理テーブルの一例は、図５に示す実施の形態１における全メディア関連情報統合管理テーブルの一例と多くの点で同様である。実施の形態２における全メディア関連情報統合管理テーブルも、例えば、各ＳＤカードの各Ｓｈｏｔの各Ｃｌｉｐ単位に作成される。【０１８８】  全メディア関連情報統合管理テーブルに記録される項目は、例えば、記録年月日及び記録時分秒を含む関連情報、メディアの種別、メディアＩＤ番号、その記録メディアが存在する所在パス、このＣｌｉｐの前の部分が記録されているリンク先（ＰＲＥＶ）についての情報、このＣｌｉｐの後の部分が記録されているリンク先（ＮＥＸＴ）についての情報等である。【０１８９】  この全メディア関連情報統合管理テーブルについてのこれらの項目が、上記実施の形態１の全メディア関連情報統合管理テーブルの一例と異なるのは、‘コンテンツＩＤ’を含んでいること、リンク先として保持している情報が‘パス’だけであること、‘シームレスフラグ情報’を含んでいることである。しかしながら、全メディア関連情報統合管理テーブルについてのこれらの項目は、あくまでも１つの例であって、これらに限るものではない。【０１９０】  例えば、図１８に示す全メディア関連情報統合管理テーブルの最初の項目には、ＳＤカードに記録されている１つのＣｌｉｐについての関連情報が記録されている。その関連情報には、このＣｌｉｐが記録されたのが２００５年０２月２１日であり、記録された時刻が２３時２９分１１秒であることが記録されている。【０１９１】  なお、これもまたあくまでも１つの例であり、必ずしもこのような内容に限るものではなく、時刻もよ��詳細な時刻、例えばミリ秒単位やマイクロ秒、ナノ秒単位の情報を含んでいても構わないし、記録開始時刻と記録終了時刻、あるいは記録中の時間長に関する情報等を含んでいても構わない。【０１９２】  全メディア関連情報統合管理テーブルの第２の項目には、このＣｌｉｐが記録されている記録メディアの種別、例えばＳＤカードや、ＢＤ（ブルーレイディスク）、ＤＶＤ（デジタル・バーサタイル・ディスク）、ＨＤ（ハードディスク）、あるいはその他の各種記録メディアの種別が記録されている。図１８に示す最初のレコードには、記録メディアの種別がＳＤ（ＳＤカード）であることを示す情報が記録されており、このメディアＩＤは‘＃２１９’であることを示す情報が記録されている。なお、メディアＩＤは、記録メディアの種別に応じて、各種の形式があり得るが、その記録メディアを識別するための固有なＩＤ番号である。【０１９３】  図１８に示す最初のレコードには、記録メディアのメディアＩＤが‘＃２１９’であることが記録されており、図１８に示す第２のレコードには、記録メディアのメディアＩＤが‘＃２１９’であることが記録されている。したがって、これら２つの記録メディアは同じ記録メディアであることが解る。【０１９４】  また、図１８に示す第３のレコードには、記録メディアのメディアＩＤが‘＃２７７’であることが記録されており、図１８に示す第４のレコードには、記録メディアのメディアＩＤが‘＃３９０’であることが記録されている。したがって、これらの記録メディアはそれぞれ異なる記録メディアであることが解る。【０１９５】  なお、このメディアＩＤは、世界でただ１つの番号であっても構わないし、各利用者にとって不都合が無い限りでただ１つの番号であっても構わない。また、メディアＩＤは、必ずしも数字だけに限るものではなく、文字を含んでいても構わない。【０１９６】  次に、全メディア関連情報統合管理テーブルの第３の項目には、コンテンツＩＤが記録されている。これは、このコンテンツ情報に固有のＩＤ番号で、世界でただ１つの番号であっても構わないし、各利用者にとって不都合が無い限りでただ１つの番号であっても構わない。また、コンテンツＩＤも、必ずしも数字だけに限るものではなく、文字を含んでいても構わない。【０１９７】  図１８に示す例では、最初のコンテンツのコンテンツＩＤは‘Ｃｌｉｐ−１４５’であり、第２のコンテンツのコンテンツＩＤは‘Ｃｌｉｐ−１４６’であり、第３のコンテンツのコンテンツＩＤは‘Ｃｌｉｐ−１２８’であり、第４のコンテンツのコンテンツＩＤは‘Ｃｌｉｐ−１０１’である。【０１９８】  次に、全メディア関連情報統合管理テーブルの第４の項目には、このコンテンツ情報が記録されている記録メディアが存在する記録ドライブの所在、例えば、ファイルシステムやＯＳによって特定されるアクセスや管理のためのパスやドライブ名が記録されている。この情報によって、情報記録再生装置は、このＣｌｉｐが記録されている記録メディアが存在又は装着されている記録ドライブを識別することができると共に、その記録ドライブとその記録メディアとにアクセスすることができ、また、その記録ドライブとその記録メディアとを管理することができる。【０１９９】  図１８に示す最初のレコードには、記録ドライブの所在・パスが‘Ｄ：￥ＳＤ＿００５￥ＰＲＧ０１９￥’であることが記録されており、図１８に示す第２のレコードには、記録ドライブの所在・パスが‘Ｄ：￥ＳＤ＿００５￥ＰＲＧ０２０￥’であることが記録されている。また、図１８に示す第３のレコードには、記録ドライブの所在・パスが‘Ｅ：￥ＳＤ＿０３１￥ＰＲＧ００１￥’であることが記録されており、図１８に示す第４のレコードには、記録ドライブの所在・パスが‘Ｆ：￥ＳＤ＿０１２￥ＰＲＧ０２１￥’であることが記録されている。【０２００】  このように、図１８に示す最初のレコードと第２のレコードとは、ドライブ‘Ｄ’に装着されている同じＳＤカードであるが、図１８に示す第３のレコードと第４のレコードとは、ドライブ‘Ｅ’とドライブ‘Ｆ’とに装着されている異なるＳＤカードであることが解る。【０２０１】  次に、全メディア関連情報統合管理テーブルの第５の項目には、このコンテンツ情報の前の部分が記録されているリンク先（ＰＲＥＶ）についての情報が記録されている。具体的には、例えば、図１８に示す最初のレコードには、‘ＮＵＬＬ’と記録されていることから、このＣｌｉｐよりも前の部分は存在しないことが解る。【０２０２】  また、図１８に示す第２のレコードには、このＣｌｉｐの前の部分のパスが‘ＳＤ＿００５￥ＰＲＧ０１９’と記録されている。このパスは、上記図１８に示す最初のコンテンツの所在、ドライブ名及びパスのうちのパスと同じであることから、図１８に示す第２のコンテンツ情報の前の部分は、図１８に示す最初のコンテンツ情報であることが解る。【０２０３】  同様に、図１８に示す第３のレコードには、このＣｌｉｐの前の部分のパスが‘ＳＤ＿００５￥ＰＲＧ０２０’と記録されている。このパスは、上記図１８に示す第２のコンテンツの所在、ドライブ名及びパスのうちのパスと同じであることから、図１８に示す第３のコンテンツ情報の前の部分は、図１８に示す第２のコンテンツ情報であることが解る。【０２０４】  また同様に、図１８に示す第４のレコードには、このＣｌｉｐの前の部分のパスが‘ＳＤ＿０３１￥ＰＲＧ００１’と記録されている。このパスは、上記図１８に示す第３のコンテンツの所在、ドライブ名及びパスのうちのパスと同じであることから、図１８に示す第４のコンテンツ情報の前の部分は、図１８に示す第３のコンテンツ情報であることが解る。【０２０５】  次に、全メディア関連情報統合管理テーブルの第６の項目には、このコンテンツ情報の後の部分が記録されているリンク先（ＮＥＸＴ）についての情報が記録されている。具体的には、例えば、図１８に示す最初のレコードには、このＣｌｉｐの後の部分のパスが‘ＳＤ＿００５￥ＰＲＧ０２０’と記録されている。このパスは、上記図１８に示す第２のコンテンツの所在、ドライブ名及びパスのうちのパスと同じであることから、図１８に示す最初のコンテンツ情報の後の部分は、図１８に示す第２のコンテンツ情報であることが解る。【０２０６】  また、図１８に示す第２のレコードには、このＣｌｉｐの後の部分のパスが‘ＳＤ＿０３１￥ＰＲＧ００１’と記録されている。このパスは、上記図１８に��す第３のコンテンツの所在、ドライブ名及びパスのうちのパスと同じであることから、図１８に示す第２のコンテンツ情報の後の部分は、図１８に示す第３のコンテンツ情報であることが解る。【０２０７】  同様に、図１８に示す第３のレコードには、このＣｌｉｐの後の部分のパスが‘ＳＤ＿０１２￥ＰＲＧ０２１’と記録されている。このパスは、上記図１８に示す第４のコンテンツの所在、ドライブ名及びパスのうちのパスと同じであることから、図１８に示す第３のコンテンツ情報の後の部分は、図１８に示す第４のコンテンツ情報であることが解る。【０２０８】  また同様に、図１８に示す第４のレコードには、‘ＮＵＬＬ’と記録されていることから、このＣｌｉｐよりも後の部分は存在しないことが解る。言い換えると、図１８に示す全メディア関連情報統合管理テーブルに記録されている最初のコンテンツ情報から第４のコンテンツ情報までの４つのコンテンツ情報は、１つのＳｈｏｔの連続したＣｌｉｐであることが示される。【０２０９】  但し、これはあくまでも１つの例であって、必ずしもこの例のように、全メディア関連情報統合管理テーブルに記録されているＣｌｉｐは、１つのＳｈｏｔの連続したＣｌｉｐである必要は無いし、また仮に１つのＳｈｏｔの連続したＣｌｉｐである時にも、コンテンツ情報が記録再生される順に記録されていることは必要で無く、どのような順番に記録されていても構わない。【０２１０】  次に、全メディア関連情報統合管理テーブルの第７の項目には、このコンテンツ情報の前の部分と後の部分とが、インターリーブして記録されているか否かを示すシームレスフラグ情報が記録されている。このシームレスフラグ情報は、図１７のＳｈｏｔ８１２のＣｌｉｐ８２２の最後とＣｌｉｐ８２３の最初のように、それぞれのコンテンツ情報がインターリーブして記録されているか否かを示している。【０２１１】  これによって、本発明の実施の形態２に係る情報記録再生装置が、このコンテンツ情報を再生する時、図１７のＳｈｏｔ８１２のＣｌｉｐ８２２の最後からＣｌｉｐ８２３の最初にかけて、先読みする方法が変るので、その先読みに対応することができる。なおこの例では、簡単のために、シームレスフラグ情報を１つしか記録せず、前方向へのリンクと後方向へのリンクとが同じであると仮定した。しかしながら、シームレスフラグ情報を２つ記録し、前方向へのリンクと後方向へのリンクとを個別に設定しても構わない。【０２１２】  また、図１８に示す例では、各コンテンツ情報が存在する所在、ドライブ名及びパスには、ドライブ名を含めて記録しているが、リンク先（前と後とを含む）を示す情報には、パスだけを記録し、ドライブ名は記録していない。これは、この全メディア関連情報統合管理テーブルによって管理されている記録メディアがリムーバブル・タイプの記録メディアである場合、メディア種別やメディアＩＤは通常の利用形態に伴って変るということは普通考えられないが、その記録メディアが存在する記録ドライブの所在・パスは通常の利用形態に伴って変り得る。従って、各Ｃｌｉｐを記録している記録メディアが存在する記録ドライブの所在（ドライブ名）は利用に伴って変る可能性がある。この全メディア関連情報��合管理テーブルに記録されているのは、最新の状態を示す情報であるが、その状態が変わった時にはその都度自動的に更新されるか、あるいはその旨が表示画面等に表示されて利用者の注意を促す。【０２１３】  また、この図１８に示す全メディア関連情報統合管理テーブルには、４つのＣｌｉｐについてのみ示しているが、これもあくまでも１つの例であり、全メディア関連情報統合管理テーブルには幾つのＣｌｉｐについての情報が記録されていても構わない。【０２１４】  また、この例では、全メディア関連情報統合管理テーブルは、コンテンツ付属情報ファイルに記録されると仮定しているが、これもあくまでも１つの例であり、コンテンツ付属情報ファイル以外の記録メディアや、本発明に係る情報記録再生装置の他の部分、例えば不揮発性メモリや、揮発性メモリや、ＲＯＭ、ＲＡＭ、あるいはその他の外部記録媒体、他のコンピュータ、例えばネットワーク接続されたサーバ等に記録されていても構わない。【０２１５】  （実施の形態３）
次に、本発明の実施の形態３について説明をする。但し、本発明の実施の形態３は、多くの点について本発明の実施の形態１及び実施の形態２と同様であるから、同様の部分については説明を省略し、異なる部分についてのみ説明する。従って、本発明の実施の形態３について説明しない部分については全て本発明の実施の形態１及び実施の形態２と同様である。【０２１６】  図１９は、本発明の実施の形態３に係る情報記録再生装置の複数の情報記録メディアにコンテンツ情報がまたがって記録されている状態を示す概念図である。具体的には、図１９では、ＳＤカード１０２０とＳＤカード１０３０とに、コンテンツ１とコンテンツ２とコンテンツ３とがまたがって記録されている。【０２１７】  この図１９に示す例では、コンテンツ１はコンテンツ１−１ファイルとコンテンツ１−２ファイルとの２つのファイルからなり、複数の記録メディアにまたがることなく、ＳＤカード１０２０だけに記録されている。【０２１８】  同様に、コンテンツ２はコンテンツ２−１ファイルとコンテンツ２−２ファイルとコンテンツ２−３ファイルとの３つのファイルからなり、複数の記録メディアにまたがることなく、ＳＤカード１０２０だけに記録されている。【０２１９】  しかしながら、コンテンツ３はコンテンツ３−１ファイルとコンテンツ３−２ファイルとコンテンツ３−３ファイルと・・コンテンツ３−ＮファイルとのＮ個のファイルからなり、２つの記録メディアである、ＳＤカード１０２０とＳＤカード１０３０とに、またがって記録されている。【０２２０】  さらに図１９において、ＳＤカード１０２０に記録されているコンテンツ２の、コンテンツ２−１ファイルとコンテンツ２−２ファイルとの間では正常にリンクが行われているが、コンテンツ２−２ファイルとコンテンツ２−３ファイルとの間では何らかの異常によって、正常なリンクが行われていない状態を示している。この、何らかの異常によって正常なリンクが行われていない状態は、リンクの状態を示す半円弧状の矢印の上に、円内に斜線のマーク（交通道路標識で種々の禁止を表すマーク）を付して示している。【０２２１】  さらに図１９において、ＳＤカード１０２０に記録されているコンテンツ３のコンテンツ３−１ファイルと、ＳＤカード１０３０に記録されているコンテンツ３のコンテンツ３−２ファイルとの間では、１つのコンテンツ情報であるコンテンツ３が、２つの記録媒体であるＳＤカード１０２０とＳＤカード１０３０とにまたがって、正常にリンクが行われている状態を示している。また、ＳＤカード１０３０に記録されているコンテンツ３のコンテンツ３−２ファイルとコンテンツ３−３ファイルとの間でも、正常にリンクが行われている状態を示している。【０２２２】  図２０は、図１９に示すコンテンツ情報の記録状態における表示画面の一例を示す図である。上記のとおり、コンテンツ２は、ＳＤカード１０２０に記録されているコンテンツ２−１ファイルとコンテンツ２−２ファイルとコンテンツ２−３ファイルとから構成されており、コンテンツ２−１ファイルとコンテンツ２−２ファイルとの間では正常にリンクが行われている。そして、コンテンツ２−２ファイルとコンテンツ２−３ファイルとの間では���らかの異常によって正常なリンクが行われていない。【０２２３】  この場合、表示画面２０１０には、コンテンツ２−１ファイルの先頭の画面のサムネイル画像が表示され、続いてリンク先があることを表す矢印が表示される。矢印が示す方向には、次のコンテンツ２−２ファイルの先頭の画面のサムネイル画像が表示され、続いてリンク先があることを表す矢印が表示される。ここで、コンテンツ２−２ファイルとコンテンツ２−３ファイルとの間では正常なリンクが行われていないため、矢印が示す方向には、次のコンテンツ２−３ファイルの先頭の画面のサムネイル画像が表示されず、何らかの異常によって正常なリンクが行われていないことを示すマーク、例えば円内に斜線のマークが表示されている。【０２２４】  また、コンテンツ３は、ＳＤカード１０２０に記録されているコンテンツ３−１ファイルと、ＳＤカード１０３０に記録されているコンテンツ３−２ファイル、コンテンツ３−３ファイル、・・・コンテンツ３−Ｎファイルとの間で正常にリンクが行われている。表示画面２０１０には、コンテンツ３−１ファイルの先頭の画面のサムネイル画像が表示され、続いてリンク先があることを表す矢印が表示される。矢印が示す方向には、次のコンテンツ３−２ファイルの先頭の画面のサムネイル画像が表示され、続いてリンク先があることを表す矢印が表示される。さらに、矢印が示す方向には、次のコンテンツ３−３ファイルの先頭の画面のサムネイル画像が表示されている。このサムネイル画像は、スクロール操作等によって、例えばコンテンツ３−Ｎファイルまで表示することができる。【０２２５】  なお、例えば、コンテンツ２−１ファイルの先頭の画面のサムネイル画像が表示画面２０１０に表示されるのはあくまでも一例であって、必ずしも各コンテンツファイルの先頭の画像のサムネイル画像が表示されることは必要でなく、何らかのそのコンテンツファイルの内容を示す画像が表示されれば充分である。【０２２６】  すなわち、コンテンツファイルのファイル名のみを表示してもよく、コンテンツファイルのサムネイル画像の表示とファイル名のみの表示とを切り替えてもよい。この場合、ユーザインタフェース部６１２は、ユーザによる表示切り替えを受け付け、アプリケーション部６１４は、コンテンツファイルのサムネイル画像の表示とファイル名のみの表示とを切り替える。【０２２７】  また、本実施の形態における情報記録再生装置は、複数のコンテンツファイルを一括して表示する第１の表示態様と、複数のコンテンツファイルを記録媒体毎に表示する第２の表示態様との切り替えを受け付け、受け付けられた表示態様で表示してもよい。すなわち、図２０に示す複数のコンテンツファイルのサムネイル画像を一括して表示する第１の表示態様と、図１９に示す複数のコンテンツファイルのファイル名を記録媒体毎に表示する第２の表示態様との切り替えを受け付け、ユーザにより受け付けられた表示態様で表示する。【０２２８】  この場合、１つのコンテンツ情報が複数のコンテンツファイルに分割してＳＤカード１０２０（第１の記録媒体）とＳＤカード１０３０（第２の記録媒体）とに記録される。そして、記録媒体毎ではなく複数のコンテンツファイルを一括し���表示する第１の表示態様と、複数のコンテンツファイルを記録媒体毎に表示する第２の表示態様とに切り替えて表示されるので、ユーザは使用状況に応じて所望の表示態様を選択することができる。【０２２９】  同様に、図２１は、本発明の実施の形態３に係る情報記録再生装置の複数の情報記録メディアにコンテンツ情報がまたがって記録されている状態の他の例を示す概念図である。具体的には、図２１では、ＳＤカード１１２０とＳＤカード１１３０とに、コンテンツ１とコンテンツ２とコンテンツ３とがまたがって記録されている。【０２３０】  この図２１に示す例では、コンテンツ１はコンテンツ１−１ファイルとコンテンツ１−２ファイルとの２つのファイルからなり、複数の記録メディアにまたがることなく、ＳＤカード１１２０だけに記録されていることは、上記図１９の一例と同様である。【０２３１】  同様に、コンテンツ２はコンテンツ２−１ファイルとコンテンツ２−２ファイルとコンテンツ２−３ファイルとの３つのファイルからなり、複数の記録メディアにまたがることなく、ＳＤカード１１２０だけに記録されていることも、上記図１９の一例と同様である。【０２３２】  さらに、コンテンツ３はコンテンツ３−１ファイルとコンテンツ３−２ファイルとコンテンツ３−３ファイルと・・コンテンツ３−ＮファイルとのＮ個のファイルからなり、２つの記録メディアである、ＳＤカード１１２０とＳＤカード１１３０とに、またがって記録されていることも、上記図１９の一例と同様である。【０２３３】  また、ＳＤカード１１２０に記録されているコンテンツ２の、コンテンツ２−１ファイルとコンテンツ２−２ファイルとの間では正常にリンクが行われているが、コンテンツ２−２ファイルとコンテンツ２−３ファイルとの間では何らかの異常によって、正常なリンクが行われていない状態を示していることも、上記図１９の一例と同様である。【０２３４】  さらに図２１において、ＳＤカード１１２０に記録されているコンテンツ３のコンテンツ３−１ファイルと、ＳＤカード１１３０に記録されているコンテンツ３のコンテンツ３−２ファイルとの間では、１つのコンテンツ情報であるコンテンツ３が、２つの記録媒体であるＳＤカード１１２０とＳＤカード１１３０とにまたがって、正常にリンクが行われており、ＳＤカード１１３０に記録されているコンテンツ３のコンテンツ３−２ファイルとコンテンツ３−３ファイルとの間でも、正常にリンクが行われている状態を示している。これも、上記図１９の一例と同様である。【０２３５】  図２２は、図２１に示すコンテンツ情報の記録状態における表示画面の一例を示す図である。上記のとおり、コンテンツ２は、ＳＤカード１１２０に記録されているコンテンツ２−１ファイルとコンテンツ２−２ファイルとコンテンツ２−３ファイルとから構成されており、コンテンツ２−１ファイルとコンテンツ２−２ファイルとの間では正常にリンクが行われている。そして、コンテンツ２−２ファイルとコンテンツ２−３ファイルとの間では何らかの異常によって正常なリンクが行われていない。【０２３６】  この場合、表示画面２１１０には、コンテンツ２−１ファイルの先頭の画面のサムネイル画像が表示され、続いてリンク先があることを表す矢印が表示される。矢印が示す方向には、次のコンテンツ２−２ファイルの先頭の画面のサムネイル画像が表示され、続いてリンク先があることを表す矢印が表示される。ここで、コンテンツ２−２ファイルとコンテンツ２−３ファイルとの間では正常なリンクが行われていないため、矢印が示す方向には、次のコンテンツ２−３ファイルの先頭の画面のサムネイル画像が表示されず、何らかの異常によって正常なリンクが行われていないことを示すマークが表示されている。これも、上記図２０の一例と同様である。【０２３７】  また、コンテンツ３は、ＳＤカード１１２０に記録されているコンテンツ３−１ファイルと、ＳＤカード１１３０に記録されているコンテンツ３−２ファイル、コンテンツ３−３ファイル、・・・コンテンツ３−Ｎファイルとの間で正常にリンクが行われている。表示画面２１１０には、コンテンツ３−１ファイルの先頭の画面のサムネイル画像が表示され、続いてリンク先があることを表す矢印が表示される。矢印が示す方向には、次のコンテンツ３−２ファイルの先頭の画面のサムネイル画像が表示画面２１１０に表示される。これも、上記図２０の一例と同様である。【０２３８】  但し、このコンテンツ３−１ファイルとコンテンツ３−２ファイルとは、それぞれ異なる情報記録メディアであるＳＤカード１１２０とＳＤカード１１３０とにまたがって記録されている。そのため、図２２に示す他の例では、そのことを表すように、異なる情報記録メディアにまたがることなく同一の情報記録メディアに記録されてリンクしている時とは異なる矢印が表示され、リンクしていることが示されている。例えば、図２２に一例を示すように、色が異なる矢印や、あるいは図示しないが形が異なる矢印等が表示される。【０２３９】  ユーザは、この表示画面２１１０に表示されたリンクを表す矢印を見ることによって、各コンテンツファイルが同一情報記録メディア内でリンクしているのか、あるいは、異なる情報記録メディア間をまたがってリンクしているのかを知ることができる。【０２４０】  さらに、コンテンツ３は、ＳＤカード１１２０に記録されているコンテンツ３−１ファイルと、ＳＤカード１１３０に記録されているコンテンツ３−２ファイル、コンテンツ３−３ファイル、・・・コンテンツ３−Ｎファイルとの多くのファイルから構成されている。そのため、図２２に示す例では、これら同一情報記録メディアであるＳＤカード１１３０に含まれるコンテンツファイル毎にサムネイル画像を表示することを省略し、コンテンツ３−２ファイルを表すサムネイル画像の下に、ファイルが多く存在することを示すマークを表示している。【０２４１】  なお、このファイルが多く存在することを示すマークは、何らかの操作によって展開され、それぞれのサムネイル画像を表示することもできる。また、各表示しているサムネイル画像の下、あるいはその周辺に、そのサムネイル画像に対応するコンテンツ付属情報ファイルが記録されている情報記録メディアに関する情報、例えば、記録メディア種別、メディアＩＤ、コンテンツＩＤ、ドライブ名、所在及びパス等のうちの少なくとも１つが表示されても構わない。【０２４２】  また、例えば、図２３に示すように、一点鎖線の枠で１つの記録メディアであるＳＤカードを示し、コンテンツ２のコンテンツ２−１ファイルとコンテンツ２−２ファイルとコンテンツ２−３ファイルとコンテンツ３のコンテンツ３−１ファイルとは、ＳＤカード１１２０に記録されており、コンテンツ３のコンテンツ３−２ファイルとコンテンツ３−３ファイルとはＳＤカード１１３０に記録されていることを示しても構わない。【０２４３】  すなわち、表示画面２１２０には、コンテンツ２のコンテンツ２−１ファイル、コンテンツ２−２ファイル及びコンテンツ２−３ファイルのサムネイル画像と、コンテンツ３のコンテンツ３−１ファイル、コンテンツ３のコンテンツ３−２ファイル及びコンテンツ３−３ファイルのサムネイル画像とが表示されている。そして、表示画面２１２０には、各サムネイル画像を記録媒体毎に分割するための枠が表示される。【０２４４】  また、図２４に示すように、例えば、各サムネイル画像の下に、そのサムネイル画像に対応するコンテンツが記録されているメディア種別とそのメディアが装着されているスロット番号等が表示されても構わない。【０２４５】  図２４に示す表示画面２１３０には、サムネイル画像２−１及びサムネイル画像２−２の下部に‘ＳＤ−ｓｌｏｔ１’と表示され、サムネイル画像３の下部に‘ＢＤ−ｓｌｏｔ１’と表示され、サムネイル画像４の下部に‘ＢＤ−ｓｌｏｔ１＋２’と表示されている。これは、サムネイル画像２−１とサムネイル画像２−２とに対応するコンテンツ２はＳＤカードに記録されており、そのＳＤカードはスロット番号１のスロットに装着されていることを示している。また、サムネイル画像３に対応するコンテンツ３は、ＢＤ（ブルーレイディスク）に記録されており、そのＢＤはスロット番号１のスロットに装着されていることを示している。【０２４６】  さらに、サムネイル画像４に対応するコンテンツ４も、ＢＤ（ブルーレイディスク）に記録されており、そのＢＤはスロット番号１のスロットとスロット番号２のスロットとに装着されていることを示している。すなわち、この例では、サムネイル画像４に対応するコンテンツ４は、スロット番号１のスロットに装着されているＢＤと、スロット番号２のスロットに装着されているＢＤとに、またがって記録されていることが示されている。【０２４７】  また、図２５に示す例では、例えば、一点鎖線の枠で１つの記録メディアであるＳＤカードを示すと同時に、各サムネイル画像の下に、そのサムネイル画像に対応するコンテンツが記録されているメディア種別とそのメディアが装着されているスロット番号を示している。【０２４８】  例えば、コンテンツ２は、スロット番号１のスロットに装着されているＳＤカードと、スロット番号２のスロットに装着されているＳＤカード２とにまたがって記録されており、サムネイル画像２−１に対応するコンテンツ２−１ファイルはスロット番号１のスロットに装着されているＳＤカードに記録され、サムネイル画像２−２に対応するコンテンツ２−２ファイルはスロット番号２のスロットに装着されているＳＤカードに記録されていることが示される。【０２４９】  また、スロット番号１のスロットに装着されているＢＤには、コンテンツ３とコンテン���４の一部とが記録されている。サムネイル画像３に対応するコンテンツ３はその全てがスロット番号１のスロットに装着されているＢＤに記録されており、サムネイル画像４−１に対応するコンテンツ４の一部であるコンテンツ４−１ファイルがスロット番号１のスロットに装着されているＢＤに記録されている。【０２５０】  また、サムネイル画像４−２に対応するコンテンツ４の一部であるコンテンツ４−２ファイルがスロット番号２のスロットに装着されているＢＤに記録されている。すなわち、コンテンツ４は、スロット番号１のスロットに装着されているＢＤと、スロット番号２のスロットに装着されているＢＤとに、またがって記録されていることが示される。【０２５１】  これによって利用者は、そのサムネイル画像に対応するコンテンツ情報についてより詳細な情報、例えば記録メディアや装着されているドライブ・スロット等を知ることができる。【０２５２】  なお、図２５の表示画面２１４０では、各コンテンツファイルのサムネイル画像を記録媒体毎に分割するための枠が表示され、同一の記録メディア内でコンテンツファイルが連続していることを表す白抜きの矢印が表示され、異なる記録メディア間にまたがってコンテンツファイルが記録されていることを表す色付きの矢印が表示されている。【０２５３】  また、図２５では、１つの記録メディア毎に一点鎖線の枠で囲って示したが、必ずしも１つの記録メディア毎ではなく、図２６に示すように、１つのコンテンツ毎に一点鎖線の枠で囲って示しても構わない。これによって、コンテンツ毎に、どのような記録メディアにまたがって記録されているかを把握することが容易になる。なお、各図において、リンク状態を示す矢印等のマークは省略することも可能である。【０２５４】  なお、情報記録再生装置６００が各種のコンテンツ情報を記録し、再生するための手順は、本特許出願に係る情報記録再生方法の一実施の形態であり、この情報記録再生装置６００はマイクロコンピュータとその動作を制御するプログラムによって制御される。このプログラムは、本特許出願に係る情報記録再生プログラムの一実施の形態であり、ＲＡＭやＲＯＭ等の半導体メモリや、ＨＤＤやＤＶＤ等の磁気方式あるいは光方式あるいはこれらの組み合わせあるいはその他の各種方式で情報を記録する何らかの記録媒体に記録保持される。この記録媒体は、本発明に係る情報記録再生プログラムを記録したコンピュータ読み取り可能な記録媒体の一実施の形態である。【０２５５】  なお、上述した具体的実施形態には以下の構成を有する発明が主に含まれている。【０２５６】  本発明の一局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、前記リンク情報記録部は、前記コンテンツ情報が記録されて��るファイルとは別のファイルに前記リンク情報を記録する。【０２５７】  本発明の他の局面に係る情報記録再生方法は、コンテンツ情報の一部分を第１の記録媒体へ記録するとともに、前記コンテンツ情報の他の部分を、前記第１の記録媒体とは異なる第２の記録媒体に記録するコンテンツ情報記録ステップと、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、前記リンク情報記録制御ステップは、前記コンテンツ情報が記録されているファイルとは別のファイルに前記リンク情報を記録する。【０２５８】  本発明の他の局面に係る情報記録再生プログラムは、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、前記リンク情報記録制御部は、前記コンテンツ情報が記録されているファイルとは別のファイルに前記リンク情報を記録するように指示する。【０２５９】  本発明の他の局面に係る情報記録再生プログラムを記録したコンピュータ読み取り可能な記録媒体は、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させる情報記録再生プログラムを記録し、前記リンク情報記録制御部は、前記コンテンツ情報が記録されているファイルとは別のファイルに前記リンク情報を記録するように指示する。【０２６０】  これらの構成によれば、コンテンツ情報の一部分が第１の記録媒体へ記録されるとともに、コンテンツ情報の他の部分が、第１の記録媒体とは異なる第２の記録媒体に記録される。そして、コンテンツ情報の第１の記録媒体に記録されている一部分と第２の記録媒体に記録されている他の部分とが連続していることを表すリンク情報が作成され、作成されたリンク情報が第１の記録媒体及び第２の記録媒体の少なくとも一方に記録される。このとき、コンテンツ情報が記録されているファイルとは別のファイルにリンク情報が記録される。【０２６１】  したがって、コンテンツ情報の第１の記録媒体に記録されている一部分と第２の記録媒体に記録されている他���部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。【０２６２】  また、上記の情報記録再生装置において、前記リンク情報記録部は、前記コンテンツ情報が記録されているディレクトリとは別のディレクトリに前記リンク情報を記録することが好ましい。この構成によれば、コンテンツ情報が記録されているディレクトリとは別のディレクトリにリンク情報が記録されるので、リンク情報がコンテンツ情報とともに記録されておらず、リンク情報のみを個別に読み出して利用することができる。【０２６３】  また、上記の情報記録再生装置において、前記リンク情報記録部は、前記第１の記録媒体及び前記第２の記録媒体とは異なる第３の記録媒体に前記リンク情報を記録することが好ましい。【０２６４】  この構成によれば、第１の記録媒体及び第２の記録媒体とは異なる第３の記録媒体にリンク情報が記録されるので、リンク情報がコンテンツ情報とともに記録されておらず、リンク情報のみを個別に読み出して利用することができる。また、コンテンツ情報が記録される記録媒体にリンク情報が記録されないので、コンテンツ情報の記録容量を増やすことができる。【０２６５】  また、上記の情報記録再生装置において、前記リンク情報は、前記第１の記録媒体の種別を示す情報及び前記第２の記録媒体の種別を示す情報の少なくとも一方を含むことが好ましい。この構成によれば、リンク情報が第１の記録媒体の種別を示す情報及び第２の記録媒体の種別を示す情報の少なくとも一方を含んでいるので、複数の種別の記録媒体にまたがってコンテンツ情報を記録することができる。【０２６６】  また、上記の情報記録再生装置において、前記リンク情報は、前記第１の記録媒体を識別するための識別情報及び前記第２の記録媒体を識別するための識別情報の少なくとも一方を含むことが好ましい。この構成によれば、リンク情報が、第１の記録媒体を識別するための識別情報及び第２の記録媒体を識別するための識別情報の少なくとも一方を含んでいるので、コンテンツ情報が記録されている記録媒体を容易に特定することができる。【０２６７】  また、上記の情報記録再生装置において、前記リンク情報は、前記第１の記録媒体の前記コンテンツ情報が記録されているディレクトリを識別するための識別情報及び前記第２の記録媒体のコンテンツ情報が記録されているディレクトリを識別するための識別情報の少なくとも一方を含むことが好ましい。【０２６８】  この構成によれば、リンク情報が、第１の記録媒体のコンテンツ情報が記録されているディレクトリを識別するための識別情報及び第２の記録媒体のコンテンツ情報が記録されているディレクトリを識別するための識別情報の少なくとも一方を含んでいるので、コンテンツ情報が記録されているディレクトリを容易に特定することができる。【０２６９】  また、上記の情報記録再生装置において、前記リンク情報は、前記第１の記録媒体の前記コンテンツ情報が記録されているファイルを識別するための識別情報及び前記第２の記録媒体の前記コンテンツ情報が記録されているファイルを識別するための識別情報の少なくとも一方を含むことが好ましい。【０２７０】  この構成によれば、リンク情報が、第１の記録媒体のコンテンツ情報が記録されているファイルを識別するための識別情報及び第２の記録媒体のコンテンツ情報が記録されているファイルを識別するための識別情報の少なくとも一方を含んでいるので、コンテンツ情報が記録されているファイルを容易に特定することができる。【０２７１】  また、上記の情報記録再生装置において、前記リンク情報は、前記コンテンツ情報のリンク先を表すリンク先情報及びリンク元を表すリンク元情報の少なくとも一方を含むことが好ましい。この構成によれば、リンク情報が、コンテンツ情報のリンク先を表すリンク先情報及びリンク元を表すリンク元情報の少なくとも一方を含んでいるので、リンク先情報を参照することで、複数の記録媒体にまたがって記録されたコンテンツ情報を順方向に再生することができ、リンク元情報を参照することで、複数の記録媒体にまたがって記録されたコンテンツ情報を逆方向に再生することができる。【０２７２】  また、上記の情報記録再生装置において、前記リンク情報記録部は、前記コンテンツ情報の他の部分を記録している領域が複数存在する場合、前記コンテンツ情報の前記第１の記録媒体に記録されている一部分と前記第２の記録媒体に記録されているそれぞれの領域とが連続していることを表すリンク情報を作成し、作成したリンク情報を前記第１の記録媒体及び前記第２の記録媒体の少なくとも一方に記録することが好ましい。【０２７３】  この構成によれば、コンテンツ情報の他の部分を記録している領域が複数存在する場合、コンテンツ情報の第１の記録媒体に記録されている一部分と第２の記録媒体に記録されているそれぞれの領域とが連続していることを表すリンク情報が作成され、作成されたリンク情報が第１の記録媒体及び第２の記録媒体の少なくとも一方に記録される。したがって、第２の記録媒体にコンテンツ情報が複数に分割されて記録された場合であっても、それぞれの再生順序を保証することができる。【０２７４】  また、上記の情報記録再生装置において、前記リンク情報を読み出すリンク情報読出部と、前記第１の記録媒体から前記コンテンツ情報を読み出して再生するとともに、前記リンク情報読出部によって読み出されたリンク情報に基づいて、前記第２の記録媒体から前記コンテンツ情報を読み出して再生する再生部とをさらに備えることが好ましい。【０２７５】  この構成によれば、リンク情報が読み出され、第１の記録媒体からコンテンツ情報が読み出されて再生されるとともに、読み出されたリンク情報に基づいて、第２の記録媒体からコンテンツ情報が読み出されて再生される。したがって、記録されているリンク情報を参照することにより、複数の記録媒体にまたがって記録されたコンテンツ情報をシームレスに再生することができる。【０２７６】  また、上記の情報記録再生装置において、前記第１の記録媒体から前記コンテンツ情報を削除するコンテンツ情報削除部と、前記リンク情報を読み出すリンク情報読出部と、前記削除制御部によって削除された前記コンテンツ情報に対応す���前記リンク情報を削除するリンク情報削除部とを備え、前記コンテンツ情報削除部は、前記リンク情報読出部によって読み出されたリンク情報に基づいて前記コンテンツ情報のリンク先である前記第２の記録媒体から前記コンテンツ情報を削除することが好ましい。【０２７７】  この構成によれば、第１の記録媒体からコンテンツ情報が削除され、リンク情報が読み出され、削除されたコンテンツ情報に対応するリンク情報が削除される。そして、読み出されたリンク情報に基づいてコンテンツ情報のリンク先である第２の記録媒体からコンテンツ情報が削除される。したがって、コンテンツ情報を削除した場合であっても、このコンテンツ情報の削除をリンク情報に反映させることができ、複数の記録媒体にまたがって記録されたコンテンツ情報を容易に編集することができる。【０２７８】  また、上記の情報記録再生装置において、前記第１の記録媒体に記録されている前記コンテンツ情報と前記第２の記録媒体に記録されている前記コンテンツ情報とを対応付けて表示する表示部をさらに備えることが好ましい。【０２７９】  この構成によれば、第１の記録媒体に記録されているコンテンツ情報と第２の記録媒体に記録されているコンテンツ情報とが対応付けて表示されるので、複数の記録媒体にコンテンツ情報がまたがって記録されている場合であっても、あたかも１つの記録媒体に記録されているかのように表示することができる。【０２８０】  また、上記の情報記録再生装置において、前記表示部は、前記第１の記録媒体と前記第２の記録媒体とが同一の記録媒体であるか否かを区別して表示することが好ましい。【０２８１】  この構成によれば、第１の記録媒体と第２の記録媒体とが同一の記録媒体であるか否かが区別して表示されるので、ユーザは、複数の記録媒体に分割されたコンテンツ情報がどの記録媒体に記録されているかを確認することができる。【０２８２】  また、上記の情報記録再生装置において、前記表示部は、前記第１の記録媒体に記録されている前記コンテンツ情報と、前記第２の記録媒体に記録されている前記コンテンツ情報との順序関係を認識可能な態様で表示することが好ましい。【０２８３】  この構成によれば、第１の記録媒体に記録されているコンテンツ情報と、第２の記録媒体に記録されているコンテンツ情報との順序関係が認識可能な態様で表示されるので、ユーザは、複数の記録媒体に分割されたコンテンツ情報がどのような順番で記録媒体に記録されているかを確認することができる。【０２８４】  また、上記の情報記録再生装置において、前記表示部は、前記第１の記録媒体及び前記第２の記録媒体に記録されている前記コンテンツ情報のファイル数を認識可能な態様で表示することが好ましい。この構成によれば、第１の記録媒体及び第２の記録媒体に記録されているコンテンツ情報のファイル数が認識可能な態様で表示されるので、ユーザは、記録媒体に記録されているコンテンツ情報のファイル数を確認することができる。【０２８５】  また、上記の情報記録再生装置において、前記表示部は、前記第１の記録媒体及び前記第２の記録媒体の種別、前記第１の記録媒体及び前記第２の記録媒体を識別するための識別情報、前記第１の記録媒体及び前記第���の記録媒体が装着されているドライブ、及び前記第１の記録媒体及び前記第２の記録媒体が装着されているスロットの少なくとも１つを認識可能な態様で表示することが好ましい。【０２８６】  この構成によれば、第１の記録媒体及び第２の記録媒体の種別、第１の記録媒体及び第２の記録媒体を識別するための識別情報、第１の記録媒体及び第２の記録媒体が装着されているドライブ、及び第１の記録媒体及び第２の記録媒体が装着されているスロットの少なくとも１つが認識可能な態様で表示される。したがって、ユーザは、複数の記録媒体に分割されたコンテンツ情報がどの記録媒体に記録されているかを特定することができる。【０２８７】  また、上記の情報記録再生装置において、前記コンテンツ情報記録部は、１つのコンテンツ情報を複数のファイルに分割して前記第１の記録媒体と前記第２の記録媒体とに記録し、前記複数のファイルを一括して表示する第１の表示態様と、前記複数のファイルを記録媒体毎に表示する第２の表示態様との切り替えを受け付ける切替受付部をさらに備え、前記表示部は、前記切替受付部によって受け付けられた表示態様で表示することが好ましい。【０２８８】  この構成によれば、１つのコンテンツ情報が複数のファイルに分割して第１の記録媒体と第２の記録媒体とに記録される。そして、記録媒体毎ではなく複数のファイルを一括して表示する第１の表示態様と、複数のファイルを記録媒体毎に表示する第２の表示態様とに切り替えて表示されるので、ユーザは使用状況に応じて所望の表示態様を選択することができる。【０２８９】  本発明の他の局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備える。【０２９０】  この構成によれば、コンテンツ情報の一部分が第１の記録媒体へ記録されるとともに、コンテンツ情報の他の部分が、第１の記録媒体とは異なる第２の記録媒体に記録される。そして、第１の記録媒体に記録されているコンテンツ情報の一部分と、第２の記録媒体に記録されているコンテンツ情報の他の部分とが連続していることを表すリンク情報が作成され、作成されたリンク情報が第１の記録媒体のコンテンツ付属情報及び第２の記録媒体のコンテンツ付属情報に記録される。【０２９１】  したがって、別途リンク情報を保持する必要が無く、第１の記録媒体に記録されているコンテンツ情報の一部分を再生しながら、第２の記録媒体に記録されているコンテンツ情報の他の部分を再生することができる。【０２９２】  また、上記の情報記録再生装置において、前記リンク情報記録部は、前記第１の記録媒体に記録されている前記コンテンツ情報の終端部分と、前記第２の記録媒体に記録されて��る前記コンテンツ情報の先頭部分とを入れ替えて記録することが好ましい。【０２９３】  この構成によれば、第１の記録媒体に記録されているコンテンツ情報の終端部分と、第２の記録媒体に記録されているコンテンツ情報の先頭部分とが入れ替えて記録されるので、第１の記録媒体に記録されているコンテンツ情報の一部分を再生しながら、第２の記録媒体へのリンクを検知し、第２の記録媒体に記録されているコンテンツ情報の他の部分を再生することができる。【０２９４】  また、上記の情報記録再生装置において、前記リンク情報記録部は、前記第１の記録媒体に記録されている前記コンテンツ情報の終端部分と、前記第２の記録媒体に記録されている前記コンテンツ情報の先頭部分とをインターリーブして記録することが好ましい。【０２９５】  この構成によれば、第１の記録媒体に記録されているコンテンツ情報の終端部分と、第２の記録媒体に記録されているコンテンツ情報の先頭部分とがインターリーブして記録されるので、第１の記録媒体に記録されているコンテンツ情報の一部分を再生しながら、第２の記録媒体へのリンクを検知し、リンク先を検索している間も途切れることなくコンテンツ情報を再生することができる。
【産業上の利用可能性】
【０２９６】  本発明に係る情報記録再生装置、情報記録再生方法、情報記録再生プログラム及び情報記録再生プログラムを記録したコンピュータ読み取り可能な記録媒体は、１つのコンテンツ情報を複数の記録媒体にまたがって記録することができ、さらに再生順序を保証することができ、シームレスな再生を行うことができ、各種のコンテンツ情報を記録、再生及び編集する情報記録再生装置、情報記録再生方法、情報記録再生プログラム及び情報記録再生プログラムを記録したコンピュータ読み取り可能な記録媒体等に利用可能である。
【図１】
2006118119.tif 000002
【図２】
2006118119.tif 000003
【図３】
2006118119.tif 000004
【図４】
2006118119.tif 000005
【図５】
2006118119.tif 000006
【図６】
2006118119.tif 000007
【図７】
2006118119.tif 000008
【図８】
2006118119.tif 000009
【図９】
2006118119.tif 000010
【図１０】
2006118119.tif 000011
【図１１】
2006118119.tif 000012
【図１２】
2006118119.tif 000013
【図１３】
2006118119.tif 000014
【図１４】
2006118119.tif 000015
【図１５】
2006118119.tif 000016
【図１６】
2006118119.tif 000017
【図１７】
2006118119.tif 000018
【図１８】
2006118119.tif 000019
【図１９】
2006118119.tif 000020
【図２０】
2006118119.tif 000021
【図２１】
2006118119.tif 000022
【図２２】
2006118119.tif 000023
【図２３】
2006118119.tif 000024
【図２４】
2006118119.tif 000025
【図２５】
2006118119.tif 000026
【図２６】
2006118119.tif 000027
【図２７】
2006118119.tif 000028
【手続補正書】
【提出日】平成18年8月4日(2006.8.4)
【手続補正１】
【補正対象書類名】特許請求の範囲
【補正対象項目名】請求の範囲
【補正方法】変更
【補正の内容】
【書類名】請求の範囲
【請求項１】  コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、
前記リンク情報記録部は、前記コンテンツ情報が記録されているファイルとは別のファイルに前記リンク情報を記録し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示する表示部をさらに備えることを特徴とする情報記録再生装置。
【請求項２】  前記リンク情報記録部は、前記コンテンツ情報が記録されているディレクトリとは別のディレクトリに前記リンク情報を記録することを特徴とする請求項１記載の情報記録再生装置。
【請求項３】  前記リンク情報記録部は、前記第１の記録媒体及び前記第２の記録媒体とは異なる第３の記録媒体に前記リンク情報を記録することを特徴とする請求項１又は２記載の情報記録再生装置。
【請求項４】（削除）
【請求項５】  前記リンク情報は、前記第１の記録媒体を識別するための識別情報及び前記第２の記録媒体を識別するための識別情報の少なくとも一方を含むことを特徴とする請求項１〜４のいずれかに記載の情報記録再生装置。
【請求項６】  前記リンク情報は、前記第１の記録媒体の前記コンテンツ情報が記録されているディレクトリを識別するための識別情報及び前記第２の記録媒体のコンテンツ情報が記録されているディレクトリを識別するための識別情報の少なくとも一方を含むことを特徴とする請求項１〜５のいずれかに記載の情報記録再生装置。
【請求項７】  前記リンク情報は、前記第１の記録媒体の前記コンテンツ情報が記録されているファイルを識別するための識別情報及び前記第２の記録媒体の前記コンテンツ情報が記録されているファイルを識別するための識別情報の少なくとも一方を含むことを特徴とする請求項１〜６のいずれかに記載の情報記録再生装置。
【請求項８】  前記リンク情報は、前記コンテンツ情報のリンク先を表すリンク先情報及びリンク元を表すリンク元情報の少なくとも一方を含むことを特徴とする請求項１〜７のいずれかに記載の情報記録再生装置。
【請求項９】  前記リンク情報記録部は、前記コンテンツ情報の他の部分を記録している領域が複数存在する場合、前記コンテンツ情報の前記第１の記録媒体に記録されている一部分と前記第２の記録媒体に記録されているそれぞれの領域とが連続していることを表すリンク情報を作成し、作成したリンク情報を前記第１の記録媒体及び前記第２の記録媒体の少なくとも一方に記録することを特徴とする請求項１〜８のいずれかに記載の情報記録再生装置。
【請求項１０】  前記リンク情報を読み出すリンク情報読出部と、
前記第１の記録媒体から前記コンテンツ情報を読み出して再生するとともに、前記リンク情報読出部によって読み出されたリンク情報に基づいて、前記第２の記録媒体から前記コンテンツ情報を読み出して再生する再生部とをさらに備えることを特徴とする請求項１〜９のいずれかに記載の情報記録再生装置。
【請求項１１】  前記第１の記録媒体から前記コンテンツ情報を削除するコンテンツ情報削除部と、
前記リンク情報を読み出すリンク情報読出部と、
前記削除部によって削除された前記コンテンツ情報に対応する前記リンク情報を削除するリンク情報削除部とを備え、
前記コンテンツ情報削除部は、前記リンク情報読出部によって読み出されたリンク情報に基づいて前記コンテンツ情報のリンク先である前記第２の記録媒体から前記コンテンツ情報を削除することを特徴とする請求項１〜１０のいずれかに記載の情報記録再生装置。
【請求項１２】（削除）
【請求項１３】  前記表示部は、前記第１の記録媒体と前記第２の記録媒体とが同一の記録媒体であるか否かを区別して表示することを特徴とする請求項１〜１２のいずれかに記載の情報記録再生装置。
【請求項１４】  前記表示部は、前記第１の記録媒体に記録されている前記コンテンツ情報と、前記第２の記録媒体に記録されている前記コンテンツ情報との順序関係を認識可能な態様で表示することを特徴とする請求項１〜１３のいずれかに記載の情報記録再生装置。
【請求項１５】  前記表示部は、前記第１の記録媒体及び前記第２の記録媒体に記録されている前記コンテンツ情報のファイル数を認識可能な態様で表示することを特徴とする請求項１〜１４のいずれかに記載の情報記録再生装置。
【請求項１６】  前記表示部は、前記第１の記録媒体及び前記第２の記録媒体の種別、前記第１の記録媒体及び前記第２の記録媒体を識別するための識別情報、前記第１の記録媒体及び前記第２の記録媒体が装着されているドライブ、及び前記第１の記録媒体及び前記第２の記録媒体が装着されているスロットの少なくとも１つを認識可能な態様で表示することを特徴とする請求項１〜１５のいずれかに記載の情報記録再生装置。
【請求項１７】  前記コンテンツ情報記録部は、１つのコンテンツ情報を複数のファイルに分割して前記第１の記録媒体と前記第２の記録媒体とに記録し、
前記複数のファイルを一括して表示する第１の表示態様と、前記複数のファイルを記録媒体毎に表示する第２の表示態様との切り替えを受け付ける切替受付部をさらに備え、
前記表示部は、前記切替受付部によって受け付けられた表示態様で表示することを特徴とする請求項１〜１１のいずれかに記載の情報記録再生装置。
【請求項１８】（削除）
【請求項１９】  コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備え、
前記リンク情報記録部は、前記第１の記録媒体に記録されている前記コンテンツ情報の終端部分と、前記第２の記録媒体に記録されている前記コンテンツ情報の先頭部分とを入れ替えて記録することを特徴とする情報記録再生装置。
【請求項２０】  コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備え、
前記リンク情報記録部は、前記第１の記録媒体に記録されている前記コンテンツ情報の終端部分と、前記第２の記録媒体に記録されている前記コンテンツ情報の先頭部分とをインターリーブして記録することを特徴とする情報記録再生装置。
【請求項２１】  コンテンツ情報の一部分を第１の記録媒体へ記録するとともに、前記コンテンツ情報の他の部分を、前記第１の記録媒体とは異なる第２の記録媒体に記録するコンテンツ情報記録ステップと、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、
前記リンク情報記録ステップは、前記コンテンツ情報が記録されているファイルとは別のファイルに前記リンク情報を記録し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示する表示ステップをさらに含むことを特徴とする情報記録再生方法。
【請求項２２】  コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、
前記リンク情報記録制御部は、前記コンテンツ情報が記録されているファイルとは別のファイルに前記リンク情報を記録するように指示し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示するように指示する表示制御部としてさらにコンピュータを機能させることを特徴とする情報記録再生プログラム。
【請求項２３】  コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、
前記リンク情報記録制御部は、前記コンテンツ情報が記録されているファイルとは別のファイルに前記リンク情報を記録するように指示し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示するように指示する表示制御部としてさらにコンピュータを機能させることを特徴とする情報記録再生プログラムを記録したコンピュータ読み取り可能な記録媒体。
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、
前記リンク情報記録部は、前記コンテンツ情報が記録されているファイルとは別のファイルに前記リンク情報を記録し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示する表示部をさらに備えることを特徴とする情報記録再生装置。
【請求項２】
前記リンク情報記録部は、前記コンテンツ情報が記録されているディレクトリとは別のディレクトリに前記リンク情報を記録することを特徴とする請求項１記載の情報記録再生装置。
【請求項３】
前記リンク情報記録部は、前記第１の記録媒体及び前記第２の記録媒体とは異なる第３の記録媒体に前記リンク情報を記録することを特徴とする請求項１又は２記載の情報記録再生装置。
【請求項４】
前記リンク情報は、前記第１の記録媒体を識別するための識別情報及び前記第２の記録媒体を識別するための識別情報の少なくとも一方を含むことを特徴とする請求項１〜３のいずれかに記載の情報記録再生装置。
【請求項５】
前記リンク情報は、前記第１の記録媒体の前記コンテンツ情報が記録されているディレクトリを識別するための識別情報及び前記第２の記録媒体のコンテンツ情報が記録されているディレクトリを識別するための識別情報の少なくとも一方を含むことを特徴とする請求項１〜４のいずれかに記載の情報記録再生装置。
【請求項６】
前記リンク情報は、前記第１の記録媒体の前記コンテンツ情報が記録されているファイルを識別するための識別情報及び前記第２の記録媒体の前記コンテンツ情報が記録されているファイルを識別するための識別情報の少なくとも一方を含むことを特徴とする請求項１〜５のいずれかに記載の情報記録再生装置。
【請求項７】
前記リンク情報は、前記コンテンツ情報のリンク先を表すリンク先情報及びリンク元を表すリンク元情報の少なくとも一方を含むことを特徴とする請求項１〜６のいずれかに記載の情報記録再生装置。
【請求項８】
前記リンク情報記録部は、前記コンテンツ情報の他の部分を記録している領域が複数存在する場合、前記コンテンツ情報の前記第１の記録媒体に記録されている一部分と前記第２の記録媒体に記録されているそれぞれの領域とが連続していることを表すリンク情報を作成し、作成したリンク情報を前記第１の記録媒体及び前記第２の記録媒体の少なくとも一方に記録することを特徴とする請求項１〜７のいずれかに記載の情報記録再生装置。
【請求項９】
前記リンク情報を読み出すリンク情報読出部と、
前記第１の記録媒体から前記コンテンツ情報を読み出して再生するとともに、前記リンク情報読出部によって読み出されたリンク情報に基づいて、前記第２の記録媒体から前記コンテンツ情報を読み出して再生する再生部とをさらに備えることを特徴とする請求項１〜８のいずれかに記載の情報記録再生装置。
【請求項１０】
前記第１の記録媒体から前記コンテンツ情報を削除するコンテンツ情報削除部と、
前記リンク情報を読み出すリンク情報読出部と、
前記コンテンツ情報削除部によって削除された前記コンテンツ情報に対応する前記リンク情報を削除するリンク情報削除部とを備え、
前記コンテンツ情報削除部は、前記リンク情報読出部によって読み出されたリンク情報に基づいて前記コンテンツ情報のリンク先である前記第２の記録媒体から前記コンテンツ情報を削除することを特徴とする請求項１〜９のいずれかに記載の情報記録再生装置。
【請求項１１】
前記表示部は、前記第１の記録媒体と前記第２の記録媒体とが同一の記録媒体であるか否かを区別して表示することを特徴とする請求項１〜１０のいずれかに記載の情報記録再生装置。
【請求項１２】
前記表示部は、前記第１の記録媒体に記録されている前記コンテンツ情報と、前記第２の記録媒体に記録されている前記コンテンツ情報との順序関係を認識可能な態様で表示することを特徴とする請求項１〜１１のいずれかに記載の情報記録再生装置。
【請求項１３】
前記表示部は、前記第１の記録媒体及び前記第２の記録媒体に記録されている前記コンテンツ情報のファイル数を認識可能な態様で表示することを特徴とする請求項１〜１２のいずれかに記載の情報記録再生装置。
【請求項１４】
前記表示部は、前記第１の記録媒体及び前記第２の記録媒体の種別、前記第１の記録媒体及び前記第２の記録媒体を識別するための識別情報、前記第１の記録媒体及び前記第２の記録媒体が装着されているドライブ、及び前記第１の記録媒体及び前記第２の記録媒体が装着されているスロットの少なくとも１つを認識可能な態様で表示することを特徴とする請求項１〜１３のいずれかに記載の情報記録再生装置。
【請求項１５】
前記コンテンツ情報記録部は、１つのコンテンツ情報を複数のファイルに分割して前記第１の記録媒体と前記第２の記録媒体とに記録し、
前記複数のファイルを一括して表示する第１の表示態様と、前記複数のファイルを記録媒体毎に表示する第２の表示態様との切り替えを受け付ける切替受付部をさらに備え、
前記表示部は、前記切替受付部によって受け付けられた表示態様で表示することを特徴とする請求項１〜１０のいずれかに記載の情報記録再生装置。
【請求項１６】
コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備え、
前記リンク情報記録部は、前記第１の記録媒体に記録されている前記コンテンツ情報の終端部分と、前記第２の記録媒体に記録されている前記コンテンツ情報の先頭部分とを入れ替えて記録することを特徴とする情報記録再生装置。
【請求項１７】
コンテンツ情報の一部分を第１の記録媒体へ記録するとともに、前記コンテンツ情報の他の部分を、前記第１の記録媒体とは異なる第２の記録媒体に記録するコンテンツ情報記録部と、
前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備え、
前記リンク情報記録部は、前記第１の記録媒体に記録されている前記コンテンツ情報の終端部分と、前記第２の記録媒体に記録されている前記コンテンツ情報の先頭部分とをインターリーブして記録することを特徴とする情報記録再生装置。
【請求項１８】
コンテンツ情報の一部分を第１の記録媒体へ記録するとともに、前記コンテンツ情報の他の部分を、前記第１の記録媒体とは異なる第２の記録媒体に記録するコンテンツ情報記録ステップと、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、
前記リンク情報記録ステップは、前記コンテンツ情報が記録されているファイルとは別のファイルに前記リンク情報を記録し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示する表示ステップをさらに含むことを特徴とする情報記録再生方法。
【請求項１９】
コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、
前記リンク情報記録制御部は、前記コンテンツ情報が記録されているファイルとは別のファイルに前記リンク情報を記録するように指示し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示するように指示する表示制御部としてさらにコンピュータを機能させることを特徴とする情報記録再生プログラム。
【請求項２０】
コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、
前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、
前記リンク情報記録制御部は、前記コンテンツ情報が記録されているファイルとは別のファイルに前記リンク情報を記録するように指示し、
前記リンク情報は、前記第１の記録媒体の種別を示す情報及び前記第２の記録媒体の種別を示す情報の少なくとも一方を含み、
前記第１の記録媒体に記録されている前記コンテンツ情報と前記第２の記録媒体に記録されている前記コンテンツ情報とを対応付けて表示するように指示する表示制御部としてさらにコンピュータを機能させることを特徴とする情報記録再生プログラムを記録したコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、各種のコンテンツ情報、例えば動画像情報、静止画像情報、音声情報、文字情報、その他の情報、及びこれらの幾つかを記録、再生及び編集する情報記録再生装置、情報記録再生方法、情報記録再生プログラム及び情報記録再生プログラムを記録したコンピュータ読み取り可能な記録媒体に関するものである。
【０００２】
特に、１つのコンテンツ情報を複数の記録媒体に分けて記録し、これらの複数の記録媒体に分けて記録されたコンテンツ情報を系統的に再生する、情報記録再生装置、情報記録再生方法、情報記録再生プログラム及び情報記録再生プログラムを記録したコンピュータ読み取り可能な記録媒体に関するものである。
【背景技術】
【０００３】
従来の、各種のコンテンツ情報、例えば動画像情報、静止画像情報、音声情報、文字情報、その他の情報、およびこれらの幾つかを記録し、再生する、情報記録再生装置、情報記録再生方法、情報記録再生プログラム及び情報記録再生プログラムを記録したコンピュータ読み取り可能な記録媒体には、例えば、下記特許文献１に記載された情報記録装置があった。
【０００４】
図２７は、従来の情報記録装置の一例である情報記録装置９００の構成を示す図である。入力スタッカー９０１に、識別情報が付加された複数の記録媒体９０２が装填される。記録媒体９０２は、例えばフレキシブルディスクであり、識別情報は、例えばバーコードで表され、そのバーコードを表示したシールがフレキシブルディスクの表面に貼り付けられている。
【０００５】
入力スタッカー９０１に装填された記録媒体９０２は、１枚ずつ取り出し口９０９から取り出され、読み取り部９０３へ送られる。読み取り部９０３では、記録媒体９０２の表面に貼り付けられたバーコードを光学式スキャナで読み取り、この読み取った識別情報を制御部９０４へ送る。
【０００６】
制御部９０４は、この識別情報を記録管理し、この識別情報と関連付けて、記録媒体９０２に記録するべき情報を情報記録部９０５へ送る。読み取り部９０３でバーコードが読み取られた記録媒体９０２は、次に情報記録部９０５に送られる。情報記録部９０５は、制御部９０４から送られた情報を読み取り部９０３から送られた記録媒体９０２に記録する。
【０００７】
この時、この記録媒体９０２に記録するべき情報が必ずしも１つの記録媒体９０２に納まるとは限らない。例えば、記録するべき情報が高画質の動画像情報等である場合、通常極めて情報量が多いので、１つの記録媒体９０２に納まる可能性は低くなる。
【０００８】
このような時、制御部９０４は、１つの記録媒体９０２の記録容量を把握しているので、記録するべき情報のうち、１つの記録媒体９０２に記録可能な部分だけを情報記録部９０５に送る。そして、制御部９０４は、別の記録媒体９０２が情報記録部９０５に送られた時に、記録するべき情報のそれ以外の部分を情報記録部９０５に送る。このように、記録するべき情報のそれ以外の部分は別の記録媒体９０２に記録される。
【０００９】
上記のとおり、制御部９０４は、記録媒体９０２の識別情報と関連付けて、記録媒体９０２に記録するべき情報を情報記録部９０５へ送る。したがって、記録するべき情報が複数の記録媒体９０２にまたがって記録されている時にも、情報のどの部分がどの記録媒体に記録されているかを把握し管理することができる。
【００１０】
その後、情報記録部９０５で情報が記録された記録媒体９０２は、出力スタッカー９０６へ送られ、保管及び発送等の処理が行われる。また、読み取り部９０３で識別情報の読み取りに失敗した記録媒体９０２や、情報記録部９０５で情報の記録に失敗した記録媒体９０２は、不良品スタッカー９０７に送られる。
【特許文献１】特開平１０−１８７５０３号公報
【発明の開示】
【発明が解決しようとする課題】
【００１１】
しかしながら、上記のような、従来の情報記録装置９００では、制御部９０４が記録媒体９０２に記録されている情報と、その記録媒体９０２の識別情報との対応関係を把握管理している。そのため、１つの情報が複数の記録媒体９０２にまたがって記録されている時、この記録媒体９０２を他の機器で使用するならば、１つの情報が記録されている一連の記録媒体９０２を把握管理し、これらの記録媒体９０２を使って１つの情報を連続して利用することができないという課題があった。
【００１２】
また、他の機器が何らかの方法で、記録媒体９０２に記録されている情報と記録媒体９０２の識別情報との対応関係を把握したとしても、この対応関係は記録されている情報と記録媒体毎の識別情報であるため、例えば１つの記録媒体９０２に複数の情報が記録されているような時には、連続する情報が記録されている複数の情報のどれに相当するかは知ることができないという課題があった。
【００１３】
本発明は、上記の問題を解決するためになされたもので、１つのコンテンツ情報を複数の記録媒体にまたがって記録することができ、さらに再生順序を保証することができ、シームレスな再生を行うことができる情報記録再生装置、情報記録再生方法、情報記録再生プログラム及び情報記録再生プログラムを記録したコンピュータ読み取り可能な記録媒体を提供することを目的とするものである。
【課題を解決するための手段】
【００１４】
本発明の一局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、前記リンク情報記録部は、前記コンテンツ情報が記録されているファイルとは別のファイルに前記リンク情報を記録する。
【００１５】
本発明の他の局面に係る情報記録再生方法は、コンテンツ情報の一部分を第１の記録媒体へ記録するとともに、前記コンテンツ情報の他の部分を、前記第１の記録媒体とは異なる第２の記録媒体に記録するコンテンツ情報記録ステップと、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、前記リンク情報記録ステップは、前記コンテンツ情報が記録されているファイルとは別のファイルに前記リンク情報を記録する。
【００１６】
本発明の他の局面に係る情報記録再生プログラムは、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、前記リンク情報記録制御部は、前記コンテンツ情報が記録されているファイルとは別のファイルに前記リンク情報を記録するように指示する。
【００１７】
本発明の他の局面に係る情報記録再生プログラムを記録したコンピュータ読み取り可能な記録媒体は、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させる情報記録再生プログラムを記録し、前記リンク情報記録制御部は、前記コンテンツ情報が記録されているファイルとは別のファイルに前記リンク情報を記録するように指示する。
【００１８】
これらの構成によれば、コンテンツ情報の一部分が第１の記録媒体へ記録されるとともに、コンテンツ情報の他の部分が、第１の記録媒体とは異なる第２の記録媒体に記録される。そして、コンテンツ情報の第１の記録媒体に記録されている一部分と第２の記録媒体に記録されている他の部分とが連続していることを表すリンク情報が作成され、作成されたリンク情報が第１の記録媒体及び第２の記録媒体の少なくとも一方に記録される。このとき、コンテンツ情報が記録されているファイルとは別のファイルにリンク情報が記録される。
【００１９】
したがって、コンテンツ情報の第１の記録媒体に記録されている一部分と第２の記録媒体に記録されている他の部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。
【００２０】
本発明の他の局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備える。
【００２１】
この構成によれば、コンテンツ情報の一部分が第１の記録媒体へ記録されるとともに、コンテンツ情報の他の部分が、第１の記録媒体とは異なる第２の記録媒体に記録される。そして、第１の記録媒体に記録されているコンテンツ情報の一部分と、第２の記録媒体に記録されているコンテンツ情報の他の部分とが連続していることを表すリンク情報が作成され、作成されたリンク情報が第１の記録媒体に記録されているコンテンツ情報の一部分及び第２の記録媒体に記録されているコンテンツ情報の他の部分に記録される。
【００２２】
したがって、別途リンク情報を保持する必要が無く、第１の記録媒体に記録されているコンテンツ情報の一部分を再生しながら、第２の記録媒体に記録されているコンテンツ情報の他の部分を再生することができる。
【００２３】
本発明の目的、特徴及び利点は、以下の詳細な説明と添付図面とによって、より明白となる。
【発明の効果】
【００２４】
本発明によれば、コンテンツ情報の第１の記録媒体に記録されている一部分と第２の記録媒体に記録されている他の部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。
【発明を実施するための最良の形態】
【００２５】
以下に、本発明の一実施の形態に係る情報記録再生装置ついて図面を参照しながら説明する。
【００２６】
（実施の形態１）
図１は、本発明の実施の形態１に係る情報記録再生装置の複数の情報記録メディアにコンテンツ情報がまたがって記録されている状態を示す概念図である。具体的には、図１では、ＳＤ（Secure Digital）カード１０１、ＳＤカード１０２及びＳＤカード１０３にコンテンツ情報がまたがって記録されている。
【００２７】
図１に示すＳｈｏｔ１１１とＳｈｏｔ１１２とが、本発明に係るコンテンツ情報に相当し、具体的には例えば、動画像情報、静止画像情報、音声情報、文字情報、その他の情報、及びこれらの幾つかを含むストリーム情報である。
【００２８】
図１に示す例では、Ｓｈｏｔ１１１は比較的容量が小さなコンテンツ情報であるため、１つの記録メディアであるＳＤカード１０１に記録しているが、Ｓｈｏｔ１１２は比較的容量が大きなコンテンツ情報であるため、１つの記録メディアに記録することができず、ＳＤカード１０１とＳＤカード１０２とＳＤカード１０３との、３つのＳＤカードにまたがって記録されている。
【００２９】
また、１つのコンテンツ情報に相当する各Ｓｈｏｔの記録メディア毎の部分をＣｌｉｐと呼ぶ。Ｓｈｏｔ１１１は、全体がＳＤカード１０１に記録されているので、Ｃｌｉｐ１２１だけから構成されている。Ｓｈｏｔ１１２は、３つのＳＤカード１０１，１０２，１０３にまたがって記録されているので、Ｃｌｉｐ１２２、Ｃｌｉｐ１２３及びＣｌｉｐ１２４の３つのＣｌｉｐから構成されている。
【００３０】
Ｃｌｉｐ１２２は、Ｓｈｏｔ１１２のＳＤカード１０１内の部分であり、Ｃｌｉｐ１２３は、Ｓｈｏｔ１１２のＳＤカード１０２内の部分であり、Ｃｌｉｐ１２４は、Ｓｈｏｔ１１２のＳＤカード１０３内の部分である。
【００３１】
ＳＤカード１０２は、その記録可能な領域全てにＣｌｉｐ１２３を記録しており、他のコンテンツ情報を記録することはできないが、ＳＤカード１０１は、その記録可能な領域にＳｈｏｔ１１１のＣｌｉｐ１２１とＳｈｏｔ１１２のＣｌｉｐ１２２とを記録している。ＳＤカード１０３は、その記録可能な領域にＳｈｏｔ１１２のＣｌｉｐ１２４を記録しているが、その記録可能な領域全てを使い切っていない可能性があり、そのような時には、他のコンテンツ情報のＣｌｉｐを記録できる可能性も残されている。
【００３２】
従来のＳＤカード規格等に準拠したコンテンツ情報の記録では、例えばＦＡＴ（File Allocation Table）１６やＦＡＴ３２等のファイルシステムに基づく制限、メディアの記録容量に基づく制限、又は管理可能ファイル数及びディレクトリ数に基づく制限等のために、複数の記録メディアにまたがるコンテンツ情報であるＳｈｏｔ１１２の記録・再生ができない仕様になっている。また、仕様を拡張変更して複数の記録メディアにまたがってＳｈｏｔ１１２の記録を行ったとしても、機器によってどの記録メディアが装着されているかを特定することは困難である。特に、記録メディアがリムーバブルメディア等である場合、機器によってどの記録メディアが装着されているかを特定することは困難である。記録メディア間をまたがって記録されているコンテンツ情報の再生順序を保証したり、シームレスな再生を保証することができなかった。
【００３３】
しかしながら、本発明の実施の形態１に係る情報記録再生装置は、複数の記録メディア、すなわちＳＤカード１０１、ＳＤカード１０２及びＳＤカード１０３にまたがって記録されているコンテンツ情報の再生順序を保証し、シームレスな再生を保証することが可能である。
【００３４】
図２は、本発明の実施の形態１に係る情報記録再生装置の複数の情報記録メディアにコンテンツ情報がまたがって記録されている時のディレクトリ構造の第１例を示す図である。図２では、具体的には、ＳＤカード１０１、ＳＤカード１０２及びＳＤカード１０３にコンテンツ情報がまたがって記録されている時のディレクトリ構造を示している。
【００３５】
ＲＯＯＴディレクトリ２００は、１つの情報記録メディア全体の基本となるディレクトリであり、１つの記録メディア毎に必ず１つだけ存在するディレクトリである。１つの記録メディアの中の全てのディレクトリは、このＲＯＯＴディレクトリ２００の下に作られる。
【００３６】
この第１例では、ＲＯＯＴディレクトリ２００の下にメディアディレクトリ２１０が作成される。メディアディレクトリ２１０は、１つの情報記録メディアを管轄するディレクトリであるが、必ずしも１つの情報記録メディアに１つとは限らず、２つ以上あっても構わない。この場合、１つの情報記録メディアはあたかも２つ以上の情報記録メディアであるかのように管理される。
【００３７】
この第１例では、メディアディレクトリ２１０の下にコンテンツディレクトリが作成される。コンテンツディレクトリは、コンテンツ情報の数に応じて作成される。図２の例では、コンテンツ１−ディレクトリ２２０とコンテンツ２−ディレクトリ２３０だけを示しているが、必ずしもコンテンツディレクトリは２つに限るものではなく、各メディアディレクトリ２１０の下に幾つ存在しても構わない。
【００３８】
コンテンツディレクトリは、コンテンツ情報を記録するためのディレクトリであり、原則１つのコンテンツディレクトリに１つのコンテンツ情報が記録される。例えば、図１に示す例では、ＳＤカード１０１のメディアディレクトリの下に２つのコンテンツディレクトリが作成される。それは、例えばコンテンツ１１１ディレクトリとコンテンツ１１２ディレクトリとである。なお、ここでは、Ｓｈｏｔ１１１に対応するコンテンツディレクトリをコンテンツ１１１ディレクトリと呼び、Ｓｈｏｔ１１２に対応するコンテンツディレクトリをコンテンツ１１２ディレクトリと呼ぶ。
【００３９】
コンテンツ１１１ディレクトリには、Ｓｈｏｔ１１１のＳＤカード１０１に記録される部分、即ちＣｌｉｐ１２１が記録される。上記のとおり、このＣｌｉｐ１２１はＳｈｏｔ１１１の全体を含んでいる。コンテンツ１１２ディレクトリには、Ｓｈｏｔ１１２のＳＤカード１０１に記録される部分、即ちＣｌｉｐ１２２が記録される。上記のとおり、このＣｌｉｐ１２２はＳｈｏｔ１１２の全体ではなく、Ｓｈｏｔ１１２の他の部分はＳＤカード１０２とＳＤカード１０３とに記録されている。
【００４０】
同様に、ＳＤカード１０２のメディアディレクトリの下には、１つのコンテンツディレクトリが作成される。それは例えば、コンテンツ１１２ディレクトリである。しかしながら、必ずしもＳＤカード１０２のメディアディレクトリの下のコンテンツディレクトリは１つに限るものではなく、他のコンテンツディレクトリが存在しても構わない。このＳＤカード１０２のメディアディレクトリの下のコンテンツ１１２ディレクトリには、Ｓｈｏｔ１１２のＳＤカード１０２に記録される部分、即ちＣｌｉｐ１２３が記録される。
【００４１】
同様に、ＳＤカード１０３のメディアディレクトリの下には、１つのコンテンツディレクトリが作成される。それは例えば、コンテンツ１１２ディレクトリである。しかしながら、必ずしもＳＤカード１０３のメディアディレクトリの下のコンテンツディレクトリは１つに限るものではなく、他のコンテンツディレクトリが存在しても構わない。このＳＤカード１０３のメディアディレクトリの下のコンテンツ１１２ディレクトリには、Ｓｈｏｔ１１２のＳＤカード１０３に記録される部分、即ちＣｌｉｐ１２４が記録される。
【００４２】
各コンテンツディレクトリの下には、１つのコンテンツ付属情報ファイルと幾つかのコンテンツデータファイルとが作成され、それぞれにコンテンツ付属情報とコンテンツデータとが記録される。例えば、図２に示す例では、コンテンツ１−ディレクトリ２２０の下に、１つのコンテンツ１−付属情報ファイル２２１と、２つのコンテンツデータファイル、即ちコンテンツ１−データファイル２２２とコンテンツ１−データファイル２２３とが作成され、それぞれにコンテンツ付属情報とコンテンツデータとが記録されている。
【００４３】
同様に、コンテンツ２−ディレクトリ２３０の下に、１つのコンテンツ２−付属情報ファイル２３１と、２つのコンテンツデータファイル、即ちコンテンツ２−データファイル２３２とコンテンツ２−データファイル２３３とが作成され、それぞれにコンテンツ付属情報とコンテンツデータとが記録されている。
【００４４】
上記のとおり、各メディアディレクトリの下に含まれるコンテンツディレクトリの数が２つに限らないのと同様、各コンテンツディレクトリに含まれるコンテンツ付属情報ファイルは１つとは限らないし、コンテンツデータファイルは２つとは限らない。
【００４５】
コンテンツ付属情報ファイルには、このコンテンツディレクトリに含まれるコンテンツ情報に関する各種の属性情報や付属関連情報が記録される。なお、コンテンツ付属情報ファイルの詳細な例については後述する。
【００４６】
コンテンツデータファイルには、コンテンツ情報そのものが記録され、コンテンツ情報は、各ファイルシステム、ファイル管理及びそのコンテンツの属性や性質等に応じて、種々の形式で符号化、ストリーム化又は暗号化等が行われ、種々のサイズに分割されてコンテンツデータとして記録保存される。
【００４７】
例えば、コンテンツ情報が動画像情報であれば、コンテンツデータファイルには、ＭＰＥＧ−２形式やＭＰＥＧ−４形式で符号化されたトランスポートストリーム形式の情報が記憶され、コンテンツ情報が音声情報であれば、ＭＰ３形式で符号化された情報が記憶され、コンテンツ情報が静止画像情報であれば、ＪＰＥＧ形式で符号化された１枚の絵に関する情報が記憶され、コンテンツ情報が文書情報であれば、ＭＳ−ＷＯＲＤ（登録商標）形式の１つの文書情報が記憶される。
【００４８】
図３は、本発明の実施の形態１に係る情報記録再生装置の複数の情報記録メディアにコンテンツ情報がまたがって記録されている時のディレクトリ構造の第２例を示す図である。図３では、具体的には、ＳＤカード１０１、ＳＤカード１０２及びＳＤカード１０３にコンテンツ情報がまたがって記録されている時のディレクトリ構造を示している。
【００４９】
ＲＯＯＴディレクトリ３００は、１つの情報記録メディア全体の基本となるディレクトリであり、１つの記録メディア毎に必ず１つだけ存在するディレクトリである。１つの記録メディアの中の全てのディレクトリは、このＲＯＯＴディレクトリ３００の下に作られる。
【００５０】
この第２例では、ＲＯＯＴディレクトリ３００の下にメディアディレクトリ３１０が作成される。メディアディレクトリ３１０は、１つの情報記録メディアを管轄するディレクトリであるが、必ずしも１つの情報記録メディアに１つとは限らず、２つ以上あっても構わない。この場合、１つの情報記録メディアはあたかも２つ以上の情報記録メディアであるかのように管理される。これについては、上記第１例と同様である。
【００５１】
この第２例では、メディアディレクトリ３１０の下に１つのコンテンツ付属情報ディレクトリ３２０と、１つのコンテンツディレクトリ３３０とが作成される。なお、コンテンツ付属情報ディレクトリ３２０とコンテンツディレクトリ３３０とは、必ずしもそれぞれ１つだけに限るものではなく、それぞれ幾つ存在しても構わない。
【００５２】
コンテンツ付属情報ディレクトリ３２０は、コンテンツ付属情報ファイルを記録保管するためのディレクトリであり、コンテンツディレクトリ３３０はコンテンツ情報自体を記録保管するためのディレクトリである。コンテンツ付属情報ファイルは、コンテンツ情報の数に応じて作成される。そして、コンテンツ付属情報ファイルには、コンテンツディレクトリに記録保管されているコンテンツ情報に関する各種の属性情報や付属関連情報が記録される。なお、コンテンツ付属情報ファイルの詳細な例については後述する。図３の例では、コンテンツ１−付属情報ファイル３２１とコンテンツ２−付属情報ファイル３２２との２つだけが示されているが、必ずしもコンテンツ付属情報ファイルは２つに限るものではなく、各メディアディレクトリの下に幾つ存在しても構わない。
【００５３】
コンテンツディレクトリ３３０は、コンテンツ情報自体を記録保管するためのディレクトリである。コンテンツディレクトリ３３０には、コンテンツ１−データファイル３３１、コンテンツ１−データファイル３３２、・・・、コンテンツ２−データファイル３３３、コンテンツ２−データファイル３３４が記録保管されている。なお、これはあくまでも一例であって、コンテンツディレクトリ３３０に記録保管されるのはこれらのコンテンツデータファイルに限るものではなく、幾つのコンテンツデータファイルが記録保管されても構わない。
【００５４】
例えば、図１に示す例では、コンテンツ１−データファイル３３１とコンテンツ１−データファイル３３２とは、ＳＤカード１０１内に記録保管されているコンテンツ情報であるＳｈｏｔ１１１である。このＳｈｏｔ１１１が例えばＪＰＥＧ形式で符号化された静止画像情報である場合、コンテンツ１−データファイル３３１は１枚の静止画像情報であり、コンテンツ１−データファイル３３２は他の１枚の静止画像情報であっても構わない。
【００５５】
また、例えば、同様に図１に示す例では、コンテンツ２−データファイル３３３とコンテンツ２−データファイル３３４とは、ＳＤカード１０１内に記録保管されているコンテンツ情報であるＳｈｏｔ１１２のＣｌｉｐ１２２である。このＣｌｉｐ１２２が例えばＭＰＥＧ−２形式で符号化された動画像情報である場合、コンテンツ２−データファイル３３３は動画情報の１つのＧＯＰ（Group Of Picture）であり、コンテンツ２−データファイル３３４は他の１つのＧＯＰであっても構わない。なお、このようなケースでは、図３にはコンテンツ２−データファイルとして、コンテンツ２−データファイル３３３とコンテンツ２−データファイル３３４としか示していないが、実際にはより多くのコンテンツ２−データファイルが含まれている。
【００５６】
また、上記のとおり、コンテンツディレクトリ３３０に記録保管されるのは、図３に示すコンテンツデータファイルに限るものではなく、幾つのコンテンツデータファイルが記録保管されても構わない。例えば、コンテンツ１−データファイル、コンテンツ２−データファイル、コンテンツ３−データファイル、・・・、コンテンツＮ−データファイルが記録保管されても構わない。このようなケースでは、各コンテンツｎ−データファイル（１≦ｎ≦Ｎ）に対応したコンテンツｎ−付属情報ファイル（１≦ｎ≦Ｎ）がコンテンツ付属情報ディレクトリ３２０に記録保管される。
【００５７】
さらにまた、各コンテンツｎ−データファイル（１≦ｎ≦Ｎ）も、コンテンツｎ−データファイル１、コンテンツｎ−データファイル２、コンテンツｎ−データファイル３、・・・、コンテンツｎ−データファイルＫ（１≦Ｋ）のように、幾つのコンテンツデータファイルを含んでいても構わない。但し、Ｎ、ｎ、Ｋはそれぞれ正の整数である。
【００５８】
このように、コンテンツデータファイルが記録されているディレクトリとは別のディレクトリにコンテンツ付属情報ファイルが記録されるので、コンテンツ付属情報ファイルがコンテンツデータファイルとともに記録されておらず、コンテンツ付属情報ファイルのみを個別に読み出して利用することができる。
【００５９】
図４は、本発明の実施の形態１に係る情報記録再生装置の複数の情報記録メディアにコンテンツ情報がまたがって記録されている時のディレクトリ構造の第３例を示す図である。図４では、具体的には、ＳＤカード１０１、ＳＤカード１０２及びＳＤカード１０３にコンテンツ情報がまたがって記録されている時のディレクトリ構造を示している。
【００６０】
ＲＯＯＴディレクトリ４００は、１つの情報記録メディア全体の基本となるディレクトリであり、１つの記録メディア毎に必ず１つだけ存在するディレクトリである。１つの記録メディアの中の全てのディレクトリは、このＲＯＯＴディレクトリ４００の下に作られる。
【００６１】
この第３例では、ＲＯＯＴディレクトリ４００の下にメディアディレクトリ４１０が作成される。メディアディレクトリ４１０は、１つの情報記録メディアを管轄するディレクトリであるが、必ずしも１つの情報記録メディアに１つとは限らず、２つ以上あっても構わない。この場合、１つの情報記録メディアはあたかも２つ以上の情報記録メディアであるかのように管理される。これについては、上記第１例及び第２例と同様である。
【００６２】
この第３例では、メディアディレクトリ４１０の下に１つのコンテンツ付属情報ディレクトリ４２０と、任意の個数のコンテンツデータファイルとが作成される。なお、コンテンツ付属情報ディレクトリ４２０は、必ずしも１つだけに限るものではなく、幾つ存在しても構わない。
【００６３】
コンテンツ付属情報ディレクトリ４２０は、コンテンツ付属情報ファイルを記録保管するためのディレクトリである。コンテンツ付属情報ファイルは、コンテンツ情報の数に応じて作成される。そして、コンテンツ付属情報ファイルには、記録メディアに記録保管されているコンテンツ情報に関する各種の属性情報や付属関連情報が記録される。なお、コンテンツ付属情報ファイルの詳細な例については後述する。図４の例では、コンテンツ１−付属情報ファイル４２１とコンテンツ２−付属情報ファイル４２２との２つだけが示されているが、必ずしもコンテンツ付属情報ファイルは２つに限るものではなく、各メディアディレクトリの下に幾つ存在しても構わない。
【００６４】
上記第２例では、コンテンツ情報自体は、コンテンツ情報自体を記録保管するためのコンテンツディレクトリに記録保存されていたが、この第３例では、コンテンツディレクトリは存在せず、コンテンツ情報自体はメディアディレクトリ４１０の下に直接記録保存されている。すなわち、第３例では、メディアディレクトリ４１０の直下に、コンテンツ１−データファイル４３１、コンテンツ１−データファイル４３２、・・・、コンテンツ２−データファイル４３３、コンテンツ２−データファイル４３４が記録保管されている。なお、これはあくまでも一例であって、メディアディレクトリ４１０の直下に記録保管されるのはこれらのコンテンツデータファイルに限るものではなく、幾つのコンテンツデータファイルが記録保管されても構わない。
【００６５】
また、コンテンツ１−データファイル４３１、コンテンツ１−データファイル４３２、・・・、コンテンツ２−データファイル４３３、コンテンツ２−データファイル４３４の内容については、上記第２例と同様であるから、説明を省略する。また、メディアディレクトリ４１０の直下に記録保管されるのは、例えば、コンテンツ１−データファイル、コンテンツ２−データファイル、コンテンツ３−データファイル、・・・、コンテンツＮ−データファイルであっても構わないことも、上記第２例と同様である。このようなケースでは、各コンテンツｎ−データファイル（１≦ｎ≦Ｎ）に対応したコンテンツｎ−付属情報ファイル（１≦ｎ≦Ｎ）がコンテンツ付属情報ディレクトリ４２０に記録保管されていることも、上記第２例と同様である。
【００６６】
さらにまた、各コンテンツｎ−データファイル（１≦ｎ≦Ｎ）も、コンテンツｎ−データファイル１、コンテンツｎ−データファイル２、コンテンツｎ−データファイル３、・・・、コンテンツｎ−データファイルＫ（１≦Ｋ）のように、幾つのコンテンツデータファイルを含んでいても構わないことも、上記第２例と同様である。
【００６７】
このような、メディアディレクトリ、コンテンツ付属情報ディレクトリ、コンテンツディレクトリ、コンテンツ付属情報ファイル、コンテンツデータファイルによって、複数の記録メディアにまたがって記録されているコンテンツ情報の再生順序を保証し、シームレスな再生を保証することが可能になる。
【００６８】
ここで、コンテンツ付属情報ファイルについて説明する。図５は、コンテンツ付属情報ファイルに記録される全メディア関連情報統合管理テーブルの一例を示す図である。全メディア関連情報統合管理テーブルは、例えば、各ＳＤカードの各Ｓｈｏｔの各Ｃｌｉｐ単位に作成される。
【００６９】
記録される項目は、例えば、記録年月日及び記録時分秒を含む関連情報、記録メディアの種別、メディアＩＤ番号、その記録メディアが存在する所在パス、このＣｌｉｐの前の部分が記録されているリンク先（ＰＲＥＶ）についての情報、及びこのＣｌｉｐの後の部分が記録されているリンク先（ＮＥＸＴ）についての情報等である。なお、全メディア関連情報統合管理テーブルについてのこれらの項目は、あくまでも１つの例であって、これらに限るものではない。
【００７０】
例えば、図５に示す全メディア関連情報統合管理テーブルの最初の項目には、ＳＤカードに記録されている１つのＣｌｉｐについての関連情報が記録されている。その関連情報には、このＣｌｉｐが記録されたのが２００５年０２月２１日であり、記録された時刻が２３時１２分３０秒であることが記録されている。
【００７１】
なお、これもまたあくまでも１つの例であり、必ずしもこのような内容に限るものではなく、時刻もより詳細な時刻、例えばミリ秒単位やマイクロ秒、ナノ秒単位の情報を含んでいても構わないし、記録開始時刻と記録終了時刻、あるいは記録中の時間長に関する情報等を含んでいても構わない。
【００７２】
全メディア関連情報統合管理テーブルの第２の項目には、このＣｌｉｐが記録されている記録メディアの種別、例えばＳＤカードや、ＢＤ（ブルーレイディスク）、ＤＶＤ（デジタル・バーサタイル・ディスク）、ＨＤ（ハードディスク）、あるいはその他の各種記録メディアの種別が記録されている。図５に示す最初のレコードには、記録メディアの種別がＳＤ（ＳＤカード）であることを示す情報が記録されており、図５に示す第２のレコードには、記録メディアの種別がＤＶＤ（デジタル・バーサタイル・ディスク）であることを示す情報が記録されている。
【００７３】
全メディア関連情報統合管理テーブルの第３の項目には、このＣｌｉｐが記録されている記録メディアのメディアＩＤ番号が記録されている。このメディアＩＤ番号は、記録メディアの種別に応じて、各種の形式があり得るが、その記録メディアを識別するための固有のＩＤ番号である。
【００７４】
図５に示す最初のレコードには、記録メディアのメディアＩＤ番号が‘０１２４５’であることが記録されており、図５に示す第２のレコードには、記録メディアのメディアＩＤ番号が‘ＤＶＤ１０９’であることが記録されている。なお、このメディアＩＤ番号は、世界でただ１つの番号であっても構わないし、各利用者にとって不都合が無い限りでただ１つの番号であっても構わない。また、図５の例にも示すとおり、必ずしも数字だけに限るものではなく、文字を含んでいても構わない。
【００７５】
全メディア関連情報統合管理テーブルの第４の項目には、このＣｌｉｐが記録されている記録メディアが存在する記録ドライブの所在、例えば、ファイルシステムやＯＳ（Operating System）によって特定されるアクセスや管理のためのパスやドライブ名が記録されている。この情報によって、情報記録再生装置は、このＣｌｉｐが記録されている記録メディアが存在又は装着されている記録ドライブを識別することができると共に、その記録ドライブとその記録メディアとにアクセスすることができ、また、その記録ドライブとその記録メディアとを管理することができる。
【００７６】
図５に示す最初のレコードには、記録ドライブの所在・パスが‘／ＭＦ／ＣＦ１／ＳＤＲ００１’であることを示す情報が記録されており、図５に示す第２のレコードには、記録ドライブの所在・パスが‘／ＭＦ／ＣＦ２／ＤＶＤ００２’であることを示す情報が記録されている。
【００７７】
全メディア関連情報統合管理テーブルの第５の項目には、このＣｌｉｐの前の部分が記録されているリンク先（ＰＲＥＶ）についての情報が記録されている。具体的には、例えば、図５に示す最初のレコードには、このＣｌｉｐの前の部分が記録されている記録メディアのメディア種別がＨＤ（ハードディスク）であり、そのＨＤのメディアＩＤは‘ＨＤＤ０１６’であり、その記録メディアが存在する記録ドライブの所在・パスは‘／ＭＦ／ＣＦ３／ＨＤＤ０１３’であることが記録されている。
【００７８】
また、例えば、図５に示す第２のレコードには、このＣｌｉｐの前の部分が記録されている記録メディアのメディア種別がＳＤ（ＳＤカード）であり、そのＳＤカードのメディアＩＤは‘０１２４５’であり、その記録メディアが存在する記録ドライブの所在・パスは‘／ＭＦ／ＣＦ１／ＳＤＲ００１’であることが記録されている。
【００７９】
この第２のレコードのリンク先におけるメディアＩＤと記録ドライブの所在・パスとは、図５の第１番目のレコードに示すメディアＩＤ及び所在・パスと同一であり、このことから、図５に示す例の第２番目のレコードに記録されているＣｌｉｐの前の部分は、図５に示す例の第１番目のレコードに記録されているものであることが解る。すなわち、言い換えると、図５に示す例の全メディア関連情報統合管理テーブルに記録されている最初のレコードに対応するＣｌｉｐと、第２のレコードに対応するＣｌｉｐとは、１つのＳｈｏｔの連続したＣｌｉｐであることが解る。
【００８０】
但し、これはあくまでも１つの例であって、必ずしもこの例のように、全メディア関連情報統合管理テーブルに記録されているＣｌｉｐは、１つのＳｈｏｔの連続したＣｌｉｐの順に記録されていることは必要で無く、どのような順番に記録されていても構わない。
【００８１】
全メディア関連情報統合管理テーブルの第６の項目には、このＣｌｉｐの後の部分が記録されているリンク先（ＮＥＸＴ）についての情報が記録されている。具体的には、例えば、図５に示す最初のレコードには、このＣｌｉｐの後の部分が記録されている記録メディアのメディア種別がＤＶＤ（デジタル・バーサタイル・ディスク）であり、そのＤＶＤのメディアＩＤは‘ＤＶＤ１０９’であり、その記録メディアが存在する記録ドライブの所在・パスは‘／ＭＦ／ＣＦ２／ＤＶＤ００２’であることが記録されている。
【００８２】
この第１のレコードのリンク先におけるメディアＩＤと記録ドライブの所在・パスとは、図５の第２番目のレコードに示すメディアＩＤ及び所在・パスと同一であり、このことから、図５に示す例の第１番目のレコードに記録されているＣｌｉｐの後の部分は、図５に示す例の第２番目のレコードに記録されているものであることが解る。すなわち、言い換えると、図５に示す例の全メディア関連情報統合管理テーブルに記録されている最初のレコードに対応するＣｌｉｐと、第２のレコードに対応するＣｌｉｐとは、１つのＳｈｏｔの連続したＣｌｉｐであることが解る。
【００８３】
但し、これはあくまでも１つの例であって、必ずしもこの例のように、全メディア関連情報統合管理テーブルに記録されているＣｌｉｐは、１つのＳｈｏｔの連続したＣｌｉｐの順に記録されていることは必要で無く、どのような順番に記録されていても構わない。
【００８４】
また、例えば、図５に示す第２のレコードには、このＣｌｉｐの後の部分は‘−’だけが記録されている。これは、このＣｌｉｐの後の部分は存在しない、あるいは未だ記録されていない、あるいは未だ特定されていないことを示している。
【００８５】
また、この全メディア関連情報統合管理テーブルによって管理されている記録メディアがリムーバブル・タイプの記録メディアである場合、メディア種別やメディアＩＤは通常の利用形態に伴って変るということは普通考えられないが、その記録メディアが存在する記録ドライブの所在・パスは通常の利用形態に伴って変り得る。従って、各Ｃｌｉｐを記録している記録メディアが存在する記録ドライブの所在・パスは利用に伴って変る可能性がある。この全メディア関連情報統合管理テーブルに記録されているのは、最新の状態を示す情報であるが、その状態が変わった時にはその都度更新される。
【００８６】
これは、この全メディア関連情報統合管理テーブルの‘所在・ドライブ／パス’の項目だけでなく、‘リンク先（ＰＲＥＶ）’の項目の中の‘所在・ドライブ／パス’や、‘リンク先（ＮＥＸＴ）’の項目の中の‘所在・ドライブ／パス’も同様である。
【００８７】
また、この図５に示す全メディア関連情報統合管理テーブルには、２つのＣｌｉｐについてのみ示しているが、これもあくまでも１つの例であり、全メディア関連情報統合管理テーブルには幾つのＣｌｉｐについての情報が記録されていても構わない。
【００８８】
また、この例では、全メディア関連情報統合管理テーブルは、コンテンツ付属情報ファイルに記録されるとして説明したが、これもあくまでも１つの例であり、コンテンツ付属情報ファイル以外の記録メディアに記録されていてもよく、情報記録再生装置の他の部分、例えば不揮発性メモリや、揮発性メモリや、ＲＯＭ、ＲＡＭ、あるいはその他の外部記録媒体に記録されていてもよく、他のコンピュータ、例えばネットワーク接続されたサーバ等に記録されていても構わない。
【００８９】
このように、リンク情報が第１の記録媒体の種別を示す情報及び第２の記録媒体の種別を示す情報の少なくとも一方を含んでいるので、複数の種別の記録媒体にまたがってコンテンツ情報を記録することができる。
【００９０】
また、リンク情報が、第１の記録媒体を識別するためのメディアＩＤ及び第２の記録媒体を識別するためのメディアＩＤの少なくとも一方を含んでいるので、コンテンツ情報が記録されている記録媒体を容易に特定することができる。
【００９１】
さらに、リンク情報が、第１の記録媒体のコンテンツ情報が記録されているディレクトリを識別するための識別情報及び第２の記録媒体のコンテンツ情報が記録されているディレクトリを識別するための識別情報の少なくとも一方を含んでいるので、コンテンツ情報が記録されているディレクトリを容易に特定することができる。
【００９２】
さらにまた、リンク情報が、第１の記録媒体のコンテンツ情報が記録されているファイルを識別するための識別情報及び第２の記録媒体のコンテンツ情報が記録されているファイルを識別するための識別情報の少なくとも一方を含んでいるので、コンテンツ情報が記録されているファイルを容易に特定することができる。
【００９３】
また、リンク情報が、コンテンツ情報のリンク先を表すリンク先情報及びリンク元を表すリンク元情報の少なくとも一方を含んでいるので、リンク先情報を参照することで、複数の記録媒体にまたがって記録されたコンテンツ情報を順方向に再生することができ、リンク元情報を参照することで、複数の記録媒体にまたがって記録されたコンテンツ情報を逆方向に再生することができる。
【００９４】
図６は、本発明の実施の形態１に係る情報記録再生装置のモジュール構成を示す図である。図７は、本発明の実施の形態１に係る情報記録再生装置の機能ブロックを示す図である。
【００９５】
図６に示す情報記録再生装置６００は、ユーザインタフェース部６１２、アプリケーション部６１４、コンテンツ制御部６１６、コンテンツ付属情報管理部６１８、ＳＤメディアコア制御部６２１、ＢＤメディアコア制御部６２３、ＤＶＤメディアコア制御部６２５、ＨＤメディアコア制御部６２７、ファイルシステム・インタフェース部６３１、ＳＤファイルシステム部６４１、ＢＤファイルシステム部６４３、ＤＶＤファイルシステム部６４５、ＨＤファイルシステム部６４７、ＳＤデバイスドライバ部６５１、ＢＤデバイスドライバ部６５３、ＤＶＤデバイスドライバ部６５５、ＨＤデバイスドライバ部６５７、及びメディア部６７１を備えて構成される。
【００９６】
メディア部６７１は、各種の記録メディアであるＳＤ（ＳＤカード）６８１，６８２、ＢＤ（ブルーレイディスク）６８３，６８４、ＤＶＤ（デジタル・バーサタイル・ディスク）６８５，６８６、及びＨＤ（ハードディスク）６８７，６８８を備える。
【００９７】
なお、このような情報記録再生装置６００の主要モジュール構成は、あくまでも１つの例であって、このような構成に限るものではなく、特に各種のデバイスドライバや記録メディアの種類と数は、図６に示す例に限るものではない。
【００９８】
図７に示す情報記録再生装置６００の主要機能ブロックは、ユーザインタフェース処理部７１１、コンテンツ管理部７１２、メディアアクセス処理部７４１及びメディア部７５１を備えて構成される。コンテンツ管理部７１２は、コンテンツ制御部７２２、コンテンツ付属情報管理部７２３、ＳＤフォーマット処理部７３１、ＳＤリンク情報処理部７３２、ＢＤフォーマット処理部７３３、ＢＤリンク情報処理部７３４、ＤＶＤフォーマット処理部７３５、ＤＶＤリンク情報処理部７３６、ＨＤフォーマット処理部７３７、ＨＤリンク情報処理部７３８を備えて構成される。
【００９９】
コンテンツ制御部７２２は、コンテンツ処理部７１３及びリンク情報利用部７１４を備えて構成される。コンテンツ付属情報管理部７２３は、コンテンツ付属情報処理部７１５を備えて構成される。メディア部７５１は、各種の記録メディアであるＳＤ（ＳＤカード）７６１，７６２、ＢＤ（ブルーレイディスク）７６３，７６４、ＤＶＤ（デジタル・バーサタイル・ディスク）７６５，７６６、及びＨＤ（ハードディスク）７６７，７６８を備える。
【０１００】
なお、このような情報記録再生装置６００の主要機能ブロック構成は、あくまでも１つの例であって、このような構成に限るものではなく、特に各種のフォーマット処理部やリンク情報処理部や記録メディアの種類と数は、図７に示す例に限るものではない。
【０１０１】
図６のユーザインタフェース部６１２は、図７のユーザインタフェース処理部７１１に対応している。ユーザインタフェース部６１２は、情報記録再生装置６００を利用者が利用する時の操作、例えば操作ボタンの入力を検知し、入力に対応した動作を行う。また、ユーザインタフェース部６１２は、利用者による操作に対応する出力を液晶表示装置に表示したり、音声出力装置から出力したりする。
【０１０２】
図６のアプリケーション部６１４は、図７のコンテンツ管理部７１２の一部に対応している。アプリケーション部６１４は、アプリケーションプログラムによって制御される。アプリケーション部６１４は、ユーザインタフェース部６１２からの操作入力情報を受信し、各種情報を記録するための要求、各種情報を再生するための要求及び各種情報を編集するための要求に対応する制御信号を他のモジュールに送信するとともに、他のモジュールからの応答に対応する制御信号を受信する。
【０１０３】
図６のコンテンツ制御部６１６は、図７のコンテンツ制御部７２２に対応している。コンテンツ制御部６１６は、アプリケーション部６１４からの制御信号に基づき、コンテンツ情報の制御、例えばストリーム制御やファイル制御を行う。また、コンテンツ制御部６１６は、ストリーム制御やファイル制御が行われたコンテンツ情報を各種記録メディアに対応したメディアコア制御部６２１〜６２７へ出力する。
【０１０４】
また、コンテンツ情報の制御は、図７に示すように、コンテンツ処理部７１３によって行われるコンテンツ自体に対する処理と、リンク情報利用部７１４によって行われるコンテンツのリンク情報を利用した処理とに分けられる。
【０１０５】
コンテンツのリンク情報を利用した処理とは、上記のように例えば、コンテンツ付属情報ファイルに記録されている全メディア関連情報統合管理テーブルを読み出し、その内容を解析し、そのリンク情報を辿ることによってコンテンツ自体を読み出す処理である。これは、複数の記録メディアにまたがって記録されているコンテンツ情報の再生順序を保証し、シームレスな再生を保証するための処理の一部に相当する。なお、本実施の形態におけるコンテンツ付属情報ファイルは、メディア部７５１の少なくとも１つの記録媒体に記録される。
【０１０６】
図６のコンテンツ付属情報管理部６１８は、図７のコンテンツ付属情報管理部７２３に対応している。コンテンツ付属情報管理部６１８は、アプリケーション部６１４からの制御信号に基づき、全メディア関連情報統合管理テーブルを管理する。
【０１０７】
そして、図７のメディア部７５１は、コンテンツ・リンク情報（コンテンツ付属情報ファイル）を記憶している。また、メディア部７５１は、例えば上記のように、コンテンツ付属情報ファイルを記録しているが、これもあくまでも１つの例であり、本発明に係る情報記録再生装置の他の部分、例えば不揮発性メモリや、揮発性メモリや、ＲＯＭ、ＲＡＭ、あるいはその他の外部記録媒体、他のコンピュータ、例えばネットワーク接続されたサーバ等に相当するものであっても構わない。
【０１０８】
このコンテンツ付属情報管理部６１８が行う処理の１つである、コンテンツ・リンク情報に対する処理もまた、上記のように例えば、コンテンツ付属情報ファイルに記録されている全メディア関連情報統合管理テーブルを読み出し、その内容を解析し、そのリンク情報を辿ることによってコンテンツ自体を読み出す処理である。これは、複数の記録メディアにまたがって記録されているコンテンツ情報の再生順序を保証し、シームレスな再生を保証するための処理の一部に相当する。
【０１０９】
図６のＳＤメディアコア制御部６２１は、図７のＳＤフォーマット処理部７３１とＳＤリンク情報処理部７３２とに対応し、ＢＤメディアコア制御部６２３は、ＢＤフォーマット処理部７３３とＢＤリンク情報処理部７３４とに対応し、ＤＶＤメディアコア制御部６２５は、ＤＶＤフォーマット処理部７３５とＤＶＤリンク情報処理部７３６とに対応し、ＨＤメディアコア制御部６２７は、ＨＤフォーマット処理部７３７とＨＤリンク情報処理部７３８とに対応している。
【０１１０】
情報記録再生装置６００に装着されている記録メディアの一例である、例えば、ＳＤカード、ＢＤ（ブルーレイディスク）、ＤＶＤ（デジタル・バーサタイル・ディスク）及びＨＤ（ハードディスク）等は、それぞれ独自の規格化された記録フォーマットが定められており、コンテンツ情報やリンク情報を初めとするコンテンツ管理情報は、この規格化された記録フォーマットに従って記録する必要がある。
【０１１１】
そして、ＳＤフォーマット処理部７３１、ＢＤフォーマット処理部７３３、ＤＶＤフォーマット処理部７３５及びＨＤフォーマット処理部７３７は、この規格化された各記録フォーマットに対応した記録のための処理を行う。また、ＳＤリンク情報処理部７３２、ＢＤリンク情報処理部７３４、ＤＶＤリンク情報処理部７３６及びＨＤリンク情報処理部７３８は、各記録フォーマットと関連してリンク情報を辿ったり、更新管理するのに必要となる処理を行う。
【０１１２】
そして、これらは上記のとおり、記録メディア毎に必要となるので、これらの部分は各記録メディア、すなわち、ここに示す例では、ＳＤカード、ＢＤ（ブルーレイディスク）、ＤＶＤ（デジタル・バーサタイル・ディスク）及びＨＤ（ハードディスク）に対応してそれぞれ存在する。
【０１１３】
なお、上記のとおり、これらの記録メディアはあくまでも１つの例であるから、記録メディアが増えたり、新しい記録メディアが追加された時には、メディアコア制御部、すなわち新しく追加された記録メディア用のフォーマット処理部とリンク情報処理部とが必要になり、これらを追加しなければならない。
【０１１４】
逆にいうならば、これらのメディアコア制御部、すなわち新しい記録メディア用のフォーマット処理部とリンク情報処理部とさえ追加するならば、どのような記録メディアであっても、この情報記録再生装置６００に新たに追加することが可能である。しかも、その新しい記録メディアと既存の記録メディアとの間で、コンテンツ情報をまたがって記録することができる。さらに、新しく追加された如何なる記録メディアと、既存の記録メディアとにまたがって記録されているコンテンツ情報の再生順序を保証し、シームレスな再生を保証することが可能となる。これは、本発明の最も大きな特徴の１つである。
【０１１５】
図６のファイルシステム・インタフェース部６３１、ＳＤファイルシステム部６４１、ＳＤデバイスドライバ部６５１、ＢＤファイルシステム部６４３、ＢＤデバイスドライバ部６５３、ＤＶＤファイルシステム部６４５、ＤＶＤデバイスドライバ部６５５、ＨＤファイルシステム部６４７及びＨＤデバイスドライバ部６５７は、図７のメディアアクセス処理部７４１に相当する。
【０１１６】
すなわち、これらの全てのモジュールは、機能的には、各記録メディアにアクセスするための処理を行うものであり、ファイルシステム・インタフェース部６３１は、各メディアコア制御部と各記録メディアのファイルシステム部とのデータの受け渡しの仲介を行う。
【０１１７】
ＳＤファイルシステム部６４１、ＢＤファイルシステム部６４３、ＤＶＤファイルシステム部６４５及びＨＤファイルシステム部６４７のそれぞれは、既存のＰＣ（パーソナルコンピュータ）等で通常一般的に使用されている各記録メディアに対応したファイルシステム管理ソフトウエアと同じである。また、ＳＤデバイスドライバ部６５１、ＢＤデバイスドライバ部６５３、ＤＶＤデバイスドライバ部６５５及びＨＤデバイスドライバ部６５７のそれぞれは、各記録メディアに対応したデバイスドライバ・ソフトウエアと同じものである。これらは、それぞれの記録メディア毎に定められた規格に準拠したファイルシステムに従ってコンテンツ情報を記録するためのデバイスドライバに相当する部分である。
【０１１８】
但し、この時にも、新しい記録メディアが追加された時には、その記録メディアに対応したファイルシステム部とデバイスドライバ部とを追加しなければならない。また、逆にいうならば、これらのファイルシステム部とデバイスドライバ部とさえ追加するならば、どのような記録メディアであっても、この情報記録再生装置６００に新たに追加することが可能である。しかも、その新しい記録メディアと既存の記録メディアとの間で、コンテンツ情報をまたがって記録することができる。さらに、新しく追加された如何なる記録メディアと、既存の記録メディアとにまたがって記録されているコンテンツ情報の再生順序を保証し、シームレスな再生を保証することが可能となる。これは、本発明の最も大きな特徴の１つである。
【０１１９】
なお、本実施の形態において、コンテンツ制御部６１６がコンテンツ情報記録部及びコンテンツ情報記録制御部の一例に相当し、コンテンツ付属情報管理部６１８がリンク情報記録部及びリンク情報記録制御部の一例に相当し、コンテンツ付属情報管理部６１８がリンク情報読出部の一例に相当し、コンテンツ制御部６１６が再生部の一例に相当し、コンテンツ付属情報管理部６１８がコンテンツ情報削除部の一例に相当し、コンテンツ付属情報管理部６１８がリンク情報読出部の一例に相当し、コンテンツ付属情報管理部６１８がリンク情報削除部の一例に相当し、ユーザインタフェース部６１２が表示部の一例に相当する。
【０１２０】
ここで、本発明の実施の形態１に係る情報記録再生装置の動作について説明する。まず、コンテンツ情報を記録メディアに記録する記録処理について説明する。図８及び図９は、図６に示す情報記録再生装置による記録処理について説明するためのフローチャートである。
【０１２１】
まず、ステップＳ１において、コンテンツ制御部６１６は、これから記録しようとする記録メディアの空き容量、ディレクトリ数及びファイル数を取得し、記録メディアの空き容量が不足しているか否か、又は記録メディアのディレクトリ数及びファイル数が当該記録メディアに対して予め規格化されている上限数を超えているか否かを判断する。ここで、記録メディアの空き容量が不足していないと判断された場合、又は記録メディアのディレクトリ数及びファイル数が規格上限数を超えていないと判断された場合（ステップＳ１でＮＯ）、ステップＳ２において、コンテンツ付属情報管理部６１８は、同一の記録メディア内にこれから記録するコンテンツ情報に対応するコンテンツ付属情報ファイルをオープンする。
【０１２２】
一方、記録メディアの空き容量が不足していると判断された場合、又は記録メディアのディレクトリ数及びファイル数が規格上限数を超えていると判断された場合（ステップＳ１でＹＥＳ）、ステップＳ３において、コンテンツ付属情報管理部６１８は、他に記録可能な記録メディアがあるか否かを判断する。ここで、他に記録可能な記録メディアがないと判断された場合（ステップＳ３でＮＯ）、ステップＳ４において、コンテンツ付属情報管理部６１８は、コンテンツ情報を記録することができないことを表す記録エラー通知をユーザインタフェース部６１２へ出力する。ユーザインタフェース部６１２は、記録エラー画面を表示装置に表示し、コンテンツ情報を記録メディアに記録することができないことをユーザに通知する。
【０１２３】
他に記録可能な記録メディアがあると判断された場合（ステップＳ３でＹＥＳ）、ステップＳ５において、コンテンツ付属情報管理部６１８は、他の記録メディア内にこれから記録するコンテンツ情報に対応するコンテンツ付属情報ファイルをオープンする。
【０１２４】
次に、ステップＳ６において、コンテンツ付属情報管理部６１８は、リンク先のメディア種別とメディアＩＤとを取得し、内部のメモリに記憶する。なお、本実施の形態では、リンク先のメディア種別とメディアＩＤとを内部のメモリに記憶しているが、本発明は特にこれに限定されず、メディア種別及びメディアＩＤに加えてコンテンツを識別するためのコンテンツＩＤを取得して記憶してもよい。
【０１２５】
次に、ステップＳ７において、コンテンツ制御部６１６は、コンテンツ情報を記憶するためのコンテンツファイルをオープンする。次に、ステップＳ８において、コンテンツ付属情報管理部６１８は、リンク情報を作成するリンク情報作成処理を実行する。ここで、リンク情報作成処理について説明する。図１０は、図８のステップＳ８におけるリンク情報作成処理について説明するためのフローチャートである。
【０１２６】
ステップＳ２１において、コンテンツ付属情報管理部６１８は、リンク先があるか否かを判断する。すなわち、コンテンツ付属情報管理部６１８は、リンク先のメディア種別とメディアＩＤとが記憶されているか否かを判断し、リンク先のメディア種別とメディアＩＤとが記憶されている場合、リンク先があると判断し、リンク先のメディア種別とメディアＩＤとが記憶されていない場合、リンク先がないと判断する。
【０１２７】
ここで、リンク先があると判断された場合（ステップＳ２１でＹＥＳ）、ステップＳ２２において、コンテンツ付属情報管理部６１８は、リンク元のコンテンツ付属情報に含まれるリンク先情報を作成し、作成したリンク先情報をリンク元のコンテンツ付属情報ファイル用キャッシュデータに一時的に記憶する。具体的に、コンテンツ付属情報管理部６１８は、リンク先のメディア種別とメディアＩＤとをリンク先（ＮＥＸＴ）としてリンク元のコンテンツ付属情報ファイル用キャッシュデータに記憶する。
【０１２８】
次に、ステップＳ２３において、コンテンツ付属情報管理部６１８は、リンク先のコンテンツ付属情報に含まれるリンク先情報及びリンク元情報を作成し、作成したリンク先情報及びリンク元情報をリンク先のコンテンツ付属情報ファイル用キャッシュデータに一時的に記憶する。具体的に、コンテンツ付属情報管理部６１８は、リンク元のメディア種別とメディアＩＤとをリンク元（ＰＲＥＶ）としてリンク先のコンテンツ付属情報ファイル用キャッシュデータに記憶する。また、コンテンツ付属情報管理部６１８は、‘ＮＵＬＬ’という値をリンク先（ＮＥＸＴ）としてリンク先のコンテンツ付属情報ファイル用キャッシュデータに記憶する。
【０１２９】
一方、リンク先がないと判断された場合（ステップＳ２１でＮＯ）、ステップＳ２４において、コンテンツ付属情報管理部６１８は、リンク元のコンテンツ付属情報に含まれるリンク先情報を作成し、作成したリンク先情報をリンク元のコンテンツ付属情報ファイル用キャッシュデータに一時的に記憶する。ここでは、複数の記録メディアにまたがってコンテンツ情報が記録されないので、リンク先情報は、リンク先（ＮＥＸＴ）及びリンク先（ＰＲＥＶ）ともに‘ＮＵＬＬ’をリンク元のコンテンツ付属情報ファイル用キャッシュデータに記憶する。
【０１３０】
図８に戻って、ステップＳ９において、コンテンツ付属情報管理部６１８は、リンク元があるか否かを判断する。ここで、リンク元がないと判断された場合（ステップＳ９でＮＯ）、ステップＳ１２の処理へ移行する。一方、リンク元があると判断された場合（ステップＳ９でＹＥＳ）、ステップＳ１０において、コンテンツ付属情報管理部６１８は、リンク元のコンテンツ付属情報ファイル用キャッシュデータに一時的に記憶されているリンク先情報をリンク元のコンテンツ付属情報ファイルに書き込む。次に、ステップＳ１１において、コンテンツ付属情報管理部６１８は、リンク元のコンテンツ付属情報ファイルをクローズする。
【０１３１】
次に、ステップＳ１２において、コンテンツ制御部６１６は、コンテンツファイルのサイズが予め設定されている上限値に達したか否かを判断する。ここで、コンテンツファイルのサイズが上限値に達したと判断された場合（ステップＳ１２でＹＥＳ）、ステップＳ１の処理へ戻る。本実施の形態では、ＦＡＴ１６やＦＡＴ３２等のファイルシステムにより１つのコンテンツファイルのサイズ（容量）の上限値が予め規定されている。したがって、コンテンツファイルのサイズが上限値に達した場合、ステップＳ１の処理へ戻り、新たなコンテンツファイルが作成される。なお、ファイルシステムによってはコンテンツのファイルサイズの上限値が規定されていない場合もある（例えば、ＵＤＦ２．５等）。この場合、ステップＳ１２の処理を省略してもよく、また、任意の上限値を設定してもよい。
【０１３２】
コンテンツファイルのサイズが上限値に達していないと判断された場合（ステップＳ１２でＮＯ）、ステップＳ１３において、コンテンツ制御部６１６は、コンテンツファイルにストリーム情報を書き込む。次に、ステップＳ１４において、コンテンツ付属情報管理部６１８は、記録メディアにおけるコンテンツ情報の記録位置を表すナビゲーション情報をリンク元又はリンク先のコンテンツ付属情報ファイル用キャッシュデータに書き込む。ここで、ステップＳ９でリンク元があると判断され、リンク元のコンテンツ付属情報ファイルがクローズされている場合、リンク先のコンテンツ付属情報ファイル用キャッシュデータにナビゲーション情報が書き込まれ、ステップＳ９でリンク元がないと判断され、リンク元のコンテンツ付属情報ファイルがクローズされていない場合、リンク元のコンテンツ付属情報ファイル用キャッシュデータにナビゲーション情報が書き込まれる。
【０１３３】
次に、ステップＳ１５において、コンテンツ制御部６１６は、アプリケーション部６１４から記録停止要求が入力されたか否かを判断する。ここで、記録停止要求が入力されていないと判断された場合（ステップＳ１５でＮＯ）、ステップＳ１２の処理へ戻り、コンテンツ制御部６１６は、コンテンツファイルのサイズが予め設定されている上限値に達したか否かを判断する。以降、ステップＳ１２からステップＳ１５までの処理が、コンテンツファイルのサイズが上限値に達したと判断されるまで、又は記録停止要求が入力されるまで繰り返し実行される。
【０１３４】
記録停止要求が入力されたと判断された場合（ステップＳ１５でＹＥＳ）、ステップＳ１６において、コンテンツ付属情報管理部６１８は、リンク元又はリンク先のコンテンツ付属情報ファイル用キャッシュデータをリンク元又はリンク先のコンテンツ付属情報ファイルへ書き込む。ここで、ステップＳ９でリンク元があると判断され、リンク元のコンテンツ付属情報ファイルがクローズされている場合、リンク先のコンテンツ付属情報ファイルにリンク先のコンテンツ付属情報ファイル用キャッシュデータが書き込まれ、ステップＳ９でリンク元がないと判断され、リンク元のコンテンツ付属情報ファイルがクローズされていない場合、リンク元のコンテンツ付属情報ファイルにリンク元のコンテンツ付属情報ファイル用キャッシュデータが書き込まれる。
【０１３５】
次に、ステップＳ１７において、コンテンツ制御部６１６は、現在記録中のコンテンツファイルをクローズする。次に、ステップＳ１８において、コンテンツ付属情報管理部６１８は、リンク元又はリンク先のコンテンツ付属情報ファイルをクローズし、記録処理を終了する。ここで、ステップＳ９でリンク元があると判断され、リンク元のコンテンツ付属情報ファイルがクローズされている場合、リンク先のコンテンツ付属情報ファイルがクローズされ、ステップＳ９でリンク元がないと判断され、リンク元のコンテンツ付属情報ファイルがクローズされていない場合、リンク元のコンテンツ付属情報ファイルがクローズされる。
【０１３６】
このように、コンテンツ情報の一部分が第１の記録媒体へ記録されるとともに、コンテンツ情報の他の部分が、第１の記録媒体とは異なる第２の記録媒体に記録される。そして、コンテンツ情報の第１の記録媒体に記録されている一部分と第２の記録媒体に記録されている他の部分とが連続していることを表すリンク情報が作成され、作成されたリンク情報が第１の記録媒体及び第２の記録媒体の少なくとも一方に記録される。このとき、コンテンツ情報が記録されているファイルとは別のファイルにリンク情報が記録される。
【０１３７】
したがって、コンテンツ情報の第１の記録媒体に記録されている一部分と第２の記録媒体に記録されている他の部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。
【０１３８】
なお、コンテンツ情報の他の部分を記録している領域が複数存在する場合、コンテンツ情報の第１の記録媒体に記録されている一部分と第２の記録媒体に記録されているそれぞれの領域とが連続していることを表すリンク情報を作成し、作成したリンク情報を第１の記録媒体及び第２の記録媒体の少なくとも一方に記録してもよい。この場合、第２の記録媒体にコンテンツ情報が複数に分割されて記録された場合であっても、それぞれの再生順序を保証することができる。
【０１３９】
また、本実施の形態では、１つのコンテンツ情報を複数の記録メディアにまたがって記録しているが、本発明は特にこれに限定されず、１つのコンテンツ情報を複数のファイルや複数のディレクトリにまたがって記録してもよい。
【０１４０】
次に、コンテンツ情報を記録メディアから再生する再生処理について説明する。図１１は、図６に示す情報記録再生装置によるコンテンツ情報の再生処理について説明するためのフローチャートである。なお、以下の再生処理は、１Ｓｈｏｔ分のコンテンツ情報を再生する処理である。
【０１４１】
まず、ステップＳ３１において、コンテンツ制御部６１６は、再生対象となるコンテンツが記録メディアに記録されているか否かを判断する。なお、ユーザインタフェース部６１２は、入力装置によりユーザからの再生対象コンテンツの指定を受け付ける。ここで、再生対象となるコンテンツが記録メディアに記録されていないと判断された場合（ステップＳ３１でＮＯ）、ステップＳ３２において、コンテンツ制御部６１６は、コンテンツ情報を再生することができないことを表す再生エラー通知をユーザインタフェース部６１２へ出力する。ユーザインタフェース部６１２は、再生エラー画面を表示装置に表示し、指定されたコンテンツを再生することができないことをユーザに通知する。
【０１４２】
一方、再生対象となるコンテンツが記録メディアに記録されていると判断された場合（ステップＳ３１でＹＥＳ）、ステップＳ３３において、コンテンツ付属情報管理部６１８は、再生対象コンテンツに対応するコンテンツ付属情報ファイルをオープンする。
【０１４３】
次に、ステップＳ３４において、コンテンツ付属情報管理部６１８は、コンテンツ付属情報ファイルに記憶されているナビゲーション情報及びリンク情報をコンテンツ付属情報ファイル用キャッシュデータへ読み出す。次に、ステップＳ３５において、コンテンツ付属情報管理部６１８は、コンテンツ付属情報ファイルをクローズする。
【０１４４】
次に、ステップＳ３６において、コンテンツ制御部６１６は、再生対象コンテンツに対応するコンテンツファイルをオープンする。次に、ステップＳ３７において、コンテンツ制御部６１６は、コンテンツ付属情報ファイル用キャッシュデータに含まれるナビゲーション情報から再生対象コンテンツの記録位置を取得する。
【０１４５】
次に、ステップＳ３８において、コンテンツ制御部６１６は、デバイスドライバ部に対して再生対象コンテンツの記録位置への移動を指示する。次に、ステップＳ３９において、コンテンツ制御部６１６は、コンテンツファイルの記録位置からストリーム情報を読み出し、コンテンツ情報を再生する。
【０１４６】
次に、ステップＳ４０において、コンテンツ制御部６１６は、コンテンツファイルからのストリーム情報の読み出しが終了したか否かを判断する。ここで、ストリーム情報の読み出しが終了していないと判断された場合（ステップＳ４０でＮＯ）、ステップＳ３７の処理へ戻り、引き続きストリーム情報が読み出される。
【０１４７】
一方、ストリーム情報の読み出しが終了したと判断された場合（ステップＳ４０でＹＥＳ）、ステップＳ４１において、コンテンツ制御部６１６は、コンテンツファイルをクローズする。次に、ステップＳ４２において、コンテンツ付属情報管理部６１８は、コンテンツ付属情報ファイル用キャッシュデータに含まれるリンク情報からリンク先情報を取得する。
【０１４８】
次に、ステップＳ４３において、コンテンツ付属情報管理部６１８は、リンク先があるか否かを判断する。ここで、リンク先があると判断された場合（ステップＳ４３でＹＥＳ）、ステップＳ３１の処理へ戻り、リンク先情報に示される記録メディアに再生対象コンテンツが記録されているか否かを判断する。一方、リンク先がないと判断された場合（ステップＳ４３でＮＯ）、再生処理を終了する。
【０１４９】
このように、リンク情報が読み出され、第１の記録媒体からコンテンツ情報が読み出されて再生されるとともに、読み出されたリンク情報に基づいて、第２の記録媒体からコンテンツ情報が読み出されて再生される。したがって、記録されているリンク情報を参照することにより、複数の記録媒体にまたがって記録されたコンテンツ情報をシームレスに再生することができる。
【０１５０】
次に、記録メディアに記録されたコンテンツ情報を編集する編集処理について説明する。図１２は、図６に示す情報記録再生装置によるコンテンツ情報の編集処理について説明するためのフローチャートである。なお、以下の編集処理は、１Ｓｈｏｔ分のコンテンツ情報を削除する処理である。
【０１５１】
まず、ステップＳ５１において、コンテンツ制御部６１６は、削除対象となるコンテンツが記録メディアに記録されているか否かを判断する。なお、ユーザインタフェース部６１２は、入力装置によりユーザからの削除対象コンテンツの指定を受け付ける。ここで、削除対象となるコンテンツが記録メディアに記録されていないと判断された場合（ステップＳ５１でＮＯ）、ステップＳ５２において、コンテンツ制御部６１６は、コンテンツ情報を削除することができないことを表す削除エラー通知をユーザインタフェース部６１２へ出力する。ユーザインタフェース部６１２は、削除エラー画面を表示装置に表示し、指定されたコンテンツを削除することができないことをユーザに通知する。
【０１５２】
一方、削除対象となるコンテンツが記録メディアに記録されていると判断された場合（ステップＳ５１でＹＥＳ）、ステップＳ５３において、コンテンツ制御部６１６は、削除対象コンテンツに対応するコンテンツファイルを削除する。次に、ステップＳ５４において、コンテンツ付属情報管理部６１８は、削除対象コンテンツに対応するコンテンツ付属情報ファイルをオープンする。
【０１５３】
次に、ステップＳ５５において、コンテンツ付属情報管理部６１８は、コンテンツ付属情報ファイルに記憶されているナビゲーション情報及びリンク情報をコンテンツ付属情報ファイル用キャッシュデータへ読み出す。次に、ステップＳ５６において、コンテンツ付属情報管理部６１８は、コンテンツ付属情報ファイル用キャッシュデータに含まれるリンク情報からリンク先情報を取得する。なお、取得されたリンク先情報は、キャッシュデータとは別の領域に記憶される。
【０１５４】
次に、ステップＳ５７において、コンテンツ付属情報管理部６１８は、リンク情報を編集するリンク情報編集処理を実行する。ここで、リンク情報編集処理について説明する。図１３は、図１２のステップＳ５７におけるリンク情報編集処理について説明するためのフローチャートである。
【０１５５】
ステップＳ７１において、コンテンツ付属情報管理部６１８は、削除対象コンテンツに対応するリンク情報があるか否かを判断する。ここで、削除対象コンテンツに対応するリンク情報がない場合（ステップＳ７１でＮＯ）、リンク情報編集処理を終了する。一方、削除対象コンテンツに対応するリンク情報があると判断された場合（ステップＳ７１でＹＥＳ）、ステップＳ７２において、コンテンツ付属情報管理部６１８は、削除対象コンテンツに対応するリンク先情報を削除し、リンク情報編集処理を終了する。
【０１５６】
図１２に戻って、ステップＳ５８において、コンテンツ付属情報管理部６１８は、コンテンツ付属情報ファイル用キャッシュデータをコンテンツ付属情報ファイルへ書き込む。次に、ステップＳ５９において、コンテンツ付属情報管理部６１８は、コンテンツ付属情報ファイルをクローズする。
【０１５７】
次に、ステップＳ６０において、コンテンツ付属情報管理部６１８は、ステップＳ５６で取得したリンク先情報を参照し、削除対象コンテンツにリンク先があるか否かを判断する。ここで、リンク先があると判断された場合（ステップＳ６０でＹＥＳ）、ステップＳ５１の処理へ戻り、リンク先情報に示される記録メディアに削除対象コンテンツが記録されているか否かを判断する。一方、リンク先がないと判断された場合（ステップＳ６０でＮＯ）、編集処理を終了する。
【０１５８】
このように、第１の記録媒体からコンテンツ情報が削除され、リンク情報が読み出され、削除されたコンテンツ情報に対応するリンク情報が削除される。そして、読み出されたリンク情報に基づいてコンテンツ情報のリンク先である第２の記録媒体からコンテンツ情報が削除される。したがって、コンテンツ情報を削除した場合であっても、このコンテンツ情報の削除をリンク情報に反映させることができ、複数の記録媒体にまたがって記録されたコンテンツ情報を容易に編集することができる。
【０１５９】
（実施の形態２）
次に、本発明の実施の形態２について説明をする。但し、本発明の実施の形態２は、多くの点について本発明の実施の形態１と同様であるから、本発明の実施の形態１と同様の部分については説明を省略し、異なる部分についてのみ説明する。従って、本発明の実施の形態２について説明しない部分については全て本発明の実施の形態１と同様である。
【０１６０】
図１４は、本発明の実施の形態２に係る情報記録再生装置のモジュール構成を示す図である。図１５は、本発明の実施の形態２に係る情報記録再生装置の機能ブロックを示す図である。
【０１６１】
図１４において、図６と異なる点は、コンテンツ付属情報管理部６１８がコンテンツ・リンク情報を記憶していることである。また、図１５において、図７と異なる点は、コンテンツ付属情報管理部７２３が、リンク情報処理部７１６及びリンク情報蓄積部７１７をさらに備えており、コンテンツ管理部７１２から、ＳＤリンク情報処理部７３２、ＢＤリンク情報処理部７３４、ＤＶＤリンク情報処理部７３６及びＨＤリンク情報処理部７３８が省かれていることである。
【０１６２】
図１４のコンテンツ付属情報管理部６１８は、図１５のコンテンツ付属情報管理部７２３に対応している。コンテンツ付属情報管理部６１８は、アプリケーション部６１４からの制御信号に基づき、全メディア関連情報統合管理テーブルを管理する。全メディア関連情報統合管理テーブルは、図１４のコンテンツ・リンク情報６１９に対応する。
【０１６３】
そして、図１５のリンク情報蓄積部７１７は、コンテンツ・リンク情報６１９を記憶している。リンク情報処理部７１６は、コンテンツ・リンク情報６１９をリンク情報蓄積部７１７から読み出して、リンクを辿るための処理を行う。また、リンク情報蓄積部７１７は、例えば上記のように、コンテンツ付属情報ファイルに相当するが、これもあくまでも１つの例であり、コンテンツ付属情報ファイル以外の記録メディアや、本発明に係る情報記録再生装置の他の部分、例えば不揮発性メモリや、揮発性メモリや、ＲＯＭ、ＲＡＭ、あるいはその他の外部記録媒体、他のコンピュータ、例えばネットワーク接続されたサーバ等に相当するものであっても構わない。
【０１６４】
このように、メディア部７５１とは異なるリンク情報蓄積部７１７にコンテンツ付属情報ファイルが記録されるので、コンテンツ付属情報ファイルがコンテンツデータファイルとともに記録されておらず、コンテンツ付属情報ファイルのみを個別に読み出して利用することができる。また、コンテンツデータファイルが記録されるメディア部７５１にコンテンツ付属情報ファイルが記録されないので、コンテンツデータファイルの記録容量を増やすことができる。
【０１６５】
図１６は、本発明の実施の形態２に係る情報記録再生装置の複数の情報記録メディアにコンテンツ情報がまたがって記録されている状態を示す概念図である。具体的には、図１６では、Ｓｈｏｔ８１１とＳｈｏｔ８１２とが、ＳＤカード８０１とＳＤカード８０２とＳＤカード８０３とにまたがって記録されている。
【０１６６】
この図１６に示す例では、Ｓｈｏｔ８１１は複数の記録メディアにまたがらず、ＳＤカード８０１だけに記録されている。しかしながら、Ｓｈｏｔ８１２は、３つの記録メディア、すなわちＳＤカード８０１とＳＤカード８０２とＳＤカード８０３とにまたがって記録されている。そして、本発明の実施の形態２では、Ｓｈｏｔ８１２のＳＤカード８０１に記録されている部分、即ちＣｌｉｐ８２２から、Ｓｈｏｔ８１２のＳＤカード８０２に記録されている部分、即ちＣｌｉｐ８２３へのリンク情報が、Ｃｌｉｐ８２２の最後に記録されている。その情報が、例えば、図１６に示す‘ｂｂｂ’である。
【０１６７】
同様に、Ｓｈｏｔ８１２のＳＤカード８０２に記録されている部分、即ちＣｌｉｐ８２３から、Ｓｈｏｔ８１２のＳＤカード８０１に記録されている部分、即ちＣｌｉｐ８２２への逆方向のリンク情報が、Ｃｌｉｐ８２３の最初に記録されている。その情報が、例えば、図１６に示す‘ａａａ’である。
【０１６８】
なお、本実施の形態において、リンク情報は、Ｃｌｉｐ８２２の最後及びＣｌｉｐ８２３の最初に記録されているが、これはあくまでも一例であって、必ずしも最初や最後に記録されている必要はなく、どこに記録されていても構わない。
【０１６９】
そして、上記のリンク情報‘ｂｂｂ’は、Ｃｌｉｐ８２３の第２番目のブロックに‘ｂｂｂ＋１’と示していることからもわかる通り、Ｃｌｉｐ８２３の最初のブロックの位置情報を示している。即ち、Ｃｌｉｐ８２２の最後のブロックにＣｌｉｐ８２３の最初のブロックの位置情報を記録しておくことによって、Ｃｌｉｐ８２２からＣｌｉｐ８２３へのリンクを行うことが可能になる。
【０１７０】
同様に、上記のリンク情報‘ａａａ’は、Ｃｌｉｐ８２２の後ろから第２番目のブロックに‘ａａａ−１’と示していることからもわかる通り、Ｃｌｉｐ８２２の最後のブロックの位置情報を示している。即ち、Ｃｌｉｐ８２３の最初のブロックにＣｌｉｐ８２２の最後のブロックの位置情報を記録しておくことによって、Ｃｌｉｐ８２３からＣｌｉｐ８２２への逆方向のリンクを行うことが可能になる。
【０１７１】
同様に、Ｓｈｏｔ８１２のＳＤカード８０２に記録されている部分、即ちＣｌｉｐ８２３から、Ｓｈｏｔ８１２のＳＤカード８０３に記録されている部分、即ちＣｌｉｐ８２４へのリンク情報が、Ｃｌｉｐ８２３の最後に記録されている。その情報が、例えば、図１６に示す‘ｄｄｄ’である。
【０１７２】
同様に、Ｓｈｏｔ８１２のＳＤカード８０３に記録されている部分、即ちＣｌｉｐ８２４から、Ｓｈｏｔ８１２のＳＤカード８０２に記録されている部分、即ちＣｌｉｐ８２３への逆方向のリンク情報が、Ｃｌｉｐ８２３の最初に記録されている。その情報が、例えば、図１６に示す‘ｃｃｃ’である。
【０１７３】
なお、本実施の形態において、リンク情報は、Ｃｌｉｐ８２３の最後及びＣｌｉｐ８２４の最初に記録されているが、これはあくまでも一例であって、必ずしも最初や最後に記録されている必要はなく、どこに記録されていても構わない。
【０１７４】
そして、上記のリンク情報‘ｄｄｄ’は、Ｃｌｉｐ８２４の第２番目のブロックに‘ｄｄｄ＋１’と示していることからもわかる通り、Ｃｌｉｐ８２４の最初のブロックの位置情報を示している。即ち、Ｃｌｉｐ８２３の最後のブロックにＣｌｉｐ８２４の最初のブロックの位置情報を記録しておくことによって、Ｃｌｉｐ８２３からＣｌｉｐ８２４へのリンクを行うことが可能になる。
【０１７５】
同様に、上記のリンク情報‘ｃｃｃ’は、Ｃｌｉｐ８２３の後ろから第２番目のブロックに‘ｃｃｃ−１’と示していることからもわかる通り、Ｃｌｉｐ８２３の最後のブロックの位置情報を示している。即ち、Ｃｌｉｐ８２４の最初のブロックにＣｌｉｐ８２３の最後のブロックの位置情報を記録しておくことによって、Ｃｌｉｐ８２４からＣｌｉｐ８２３への逆方向のリンクを行うことが可能になる。
【０１７６】
このように、コンテンツ情報の一部分が第１の記録媒体へ記録されるとともに、コンテンツ情報の他の部分が、第１の記録媒体とは異なる第２の記録媒体に記録される。そして、第１の記録媒体に記録されているコンテンツ情報の一部分と、第２の記録媒体に記録されているコンテンツ情報の他の部分とが連続していることを表すリンク情報が作成され、作成されたリンク情報が第１の記録媒体に記録されているコンテンツ情報の一部分及び第２の記録媒体に記録されているコンテンツ情報の他の部分に記録される。
【０１７７】
したがって、別途リンク情報を保持する必要が無く、第１の記録媒体に記録されているコンテンツ情報の一部分を再生しながら、第２の記録媒体に記録されているコンテンツ情報の他の部分を再生することができる。
【０１７８】
また、第１の記録媒体に記録されているコンテンツ情報の終端部分と、第２の記録媒体に記録されているコンテンツ情報の先頭部分とが入れ替えて記録されるので、第１の記録媒体に記録されているコンテンツ情報の一部分を再生しながら、第２の記録媒体へのリンクを検知し、第２の記録媒体に記録されているコンテンツ情報の他の部分を再生することができる。
【０１７９】
図１７は、本発明の実施の形態２に係る情報記録再生装置の複数の情報記録メディアにコンテンツ情報がまたがって記録されている状態の他の例を示す概念図である。
【０１８０】
この図１７に示す他の例では、Ｓｈｏｔ８１１は複数の記録メディアにまたがらず、ＳＤカード８０１だけに記録されていることは、上記図１６に示す例と同様である。また、Ｓｈｏｔ８１２は、３つの記録メディア、すなわちＳＤカード８０１とＳＤカード８０２とＳＤカード８０３とにまたがって記録されていることも、上記図１６に示す例と同様である。
【０１８１】
そして、図１７に示す他の例では、Ｓｈｏｔ８１２のＳＤカード８０１に記録されている部分、即ちＣｌｉｐ８２２から、Ｓｈｏｔ８１２のＳＤカード８０２に記録されている部分、即ちＣｌｉｐ８２３へのリンク情報が、Ｃｌｉｐ８２２の最後に記録されていることも、上記図１６に示す例と同様である。
【０１８２】
同様に、Ｓｈｏｔ８１２のＳＤカード８０２に記録されている部分、即ちＣｌｉｐ８２３から、Ｓｈｏｔ８１２のＳＤカード８０１に記録されている部分、即ちＣｌｉｐ８２２への逆方向のリンク情報が、Ｃｌｉｐ８２３の最初に記録されていることも、上記図１６に示す例と同様である。
【０１８３】
しかしながら、この図１７に示す他の例では、単に、Ｃｌｉｐ８２２からＣｌｉｐ８２３へのリンク情報が、Ｃｌｉｐ８２２の最後に記録されているだけではない。Ｃｌｉｐ８２２の最後のブロックである‘ａａａ’に含まれるコンテンツ情報と、Ｃｌｉｐ８２３の最初のブロックである‘ｂｂｂ’に含まれるコンテンツ情報とをインターリーブした情報が、それぞれ、Ｃｌｉｐ８２２の最後のブロックである‘ａａａ’とＣｌｉｐ８２３の最初のブロックである‘ｂｂｂ’とに記録されている。
【０１８４】
このようにすることによって、Ｃｌｉｐ８２２の最後のブロックである‘ａａａ’を読み込んだ時に、次のＣｌｉｐ８２３の最初のブロックである‘ｂｂｂ’を先読みするべきタイミングの通知代わりに利用することができる。
【０１８５】
即ち、リンク先を検知してから先読みを始めていたのでは、次に表示するべきデータであるブロック‘ｂｂｂ’の取得が間に合わない可能性がある。そのため、先のブロックである‘ａａａ’を読み込んだ時に、次のデータへの跳びを事前に検知し、先読みのタイミングのトリガーとすることができる。
【０１８６】
このように、第１の記録媒体に記録されているコンテンツ情報の終端部分と、第２の記録媒体に記録されているコンテンツ情報の先頭部分とがインターリーブして記録されるので、第１の記録媒体に記録されているコンテンツ情報の一部分を再生しながら、第２の記録媒体へのリンクを検知し、リンク先を検索している間も途切れることなくコンテンツ情報を再生することができる。
【０１８７】
図１８は、本発明の実施の形態２に係る情報記録再生装置における全メディア関連情報統合管理テーブルの一例を示す図である。図１８に示す実施の形態２における全メディア関連情報統合管理テーブルの一例は、図５に示す実施の形態１における全メディア関連情報統合管理テーブルの一例と多くの点で同様である。実施の形態２における全メディア関連情報統合管理テーブルも、例えば、各ＳＤカードの各Ｓｈｏｔの各Ｃｌｉｐ単位に作成される。
【０１８８】
全メディア関連情報統合管理テーブルに記録される項目は、例えば、記録年月日及び記録時分秒を含む関連情報、メディアの種別、メディアＩＤ番号、その記録メディアが存在する所在パス、このＣｌｉｐの前の部分が記録されているリンク先（ＰＲＥＶ）についての情報、このＣｌｉｐの後の部分が記録されているリンク先（ＮＥＸＴ）についての情報等である。
【０１８９】
この全メディア関連情報統合管理テーブルについてのこれらの項目が、上記実施の形態１の全メディア関連情報統合管理テーブルの一例と異なるのは、‘コンテンツＩＤ’を含んでいること、リンク先として保持している情報が‘パス’だけであること、‘シームレスフラグ情報’を含んでいることである。しかしながら、全メディア関連情報統合管理テーブルについてのこれらの項目は、あくまでも１つの例であって、これらに限るものではない。
【０１９０】
例えば、図１８に示す全メディア関連情報統合管理テーブルの最初の項目には、ＳＤカードに記録されている１つのＣｌｉｐについての関連情報が記録されている。その関連情報には、このＣｌｉｐが記録されたのが２００５年０２月２１日であり、記録された時刻が２３時２９分１１秒であることが記録されている。
【０１９１】
なお、これもまたあくまでも１つの例であり、必ずしもこのような内容に限るものではなく、時刻もより詳細な時刻、例えばミリ秒単位やマイクロ秒、ナノ秒単位の情報を含んでいても構わないし、記録開始時刻と記録終了時刻、あるいは記録中の時間長に関する情報等を含んでいても構わない。
【０１９２】
全メディア関連情報統合管理テーブルの第２の項目には、このＣｌｉｐが記録されている記録メディアの種別、例えばＳＤカードや、ＢＤ（ブルーレイディスク）、ＤＶＤ（デジタル・バーサタイル・ディスク）、ＨＤ（ハードディスク）、あるいはその他の各種記録メディアの種別が記録されている。図１８に示す最初のレコードには、記録メディアの種別がＳＤ（ＳＤカード）であることを示す情報が記録されており、このメディアＩＤは‘＃２１９’であることを示す情報が記録されている。なお、メディアＩＤは、記録メディアの種別に応じて、各種の形式があり得るが、その記録メディアを識別するための固有なＩＤ番号である。
【０１９３】
図１８に示す最初のレコードには、記録メディアのメディアＩＤが‘＃２１９’であることが記録されており、図１８に示す第２のレコードには、記録メディアのメディアＩＤが‘＃２１９’であることが記録されている。したがって、これら２つの記録メディアは同じ記録メディアであることが解る。
【０１９４】
また、図１８に示す第３のレコードには、記録メディアのメディアＩＤが‘＃２７７’であることが記録されており、図１８に示す第４のレコードには、記録メディアのメディアＩＤが‘＃３９０’であることが記録されている。したがって、これらの記録メディアはそれぞれ異なる記録メディアであることが解る。
【０１９５】
なお、このメディアＩＤは、世界でただ１つの番号であっても構わないし、各利用者にとって不都合が無い限りでただ１つの番号であっても構わない。また、メディアＩＤは、必ずしも数字だけに限るものではなく、文字を含んでいても構わない。
【０１９６】
次に、全メディア関連情報統合管理テーブルの第３の項目には、コンテンツＩＤが記録されている。これは、このコンテンツ情報に固有のＩＤ番号で、世界でただ１つの番号であっても構わないし、各利用者にとって不都合が無い限りでただ１つの番号であっても構わない。また、コンテンツＩＤも、必ずしも数字だけに限るものではなく、文字を含んでいても構わない。
【０１９７】
図１８に示す例では、最初のコンテンツのコンテンツＩＤは‘Ｃｌｉｐ−１４５’であり、第２のコンテンツのコンテンツＩＤは‘Ｃｌｉｐ−１４６’であり、第３のコンテンツのコンテンツＩＤは‘Ｃｌｉｐ−１２８’であり、第４のコンテンツのコンテンツＩＤは‘Ｃｌｉｐ−１０１’である。
【０１９８】
次に、全メディア関連情報統合管理テーブルの第４の項目には、このコンテンツ情報が記録されている記録メディアが存在する記録ドライブの所在、例えば、ファイルシステムやＯＳによって特定されるアクセスや管理のためのパスやドライブ名が記録されている。この情報によって、情報記録再生装置は、このＣｌｉｐが記録されている記録メディアが存在又は装着されている記録ドライブを識別することができると共に、その記録ドライブとその記録メディアとにアクセスすることができ、また、その記録ドライブとその記録メディアとを管理することができる。
【０１９９】
図１８に示す最初のレコードには、記録ドライブの所在・パスが‘Ｄ：￥ＳＤ＿００５￥ＰＲＧ０１９￥’であることが記録されており、図１８に示す第２のレコードには、記録ドライブの所在・パスが‘Ｄ：￥ＳＤ＿００５￥ＰＲＧ０２０￥’であることが記録されている。また、図１８に示す第３のレコードには、記録ドライブの所在・パスが‘Ｅ：￥ＳＤ＿０３１￥ＰＲＧ００１￥’であることが記録されており、図１８に示す第４のレコードには、記録ドライブの所在・パスが‘Ｆ：￥ＳＤ＿０１２￥ＰＲＧ０２１￥’であることが記録されている。
【０２００】
このように、図１８に示す最初のレコードと第２のレコードとは、ドライブ‘Ｄ’に装着されている同じＳＤカードであるが、図１８に示す第３のレコードと第４のレコードとは、ドライブ‘Ｅ’とドライブ‘Ｆ’とに装着されている異なるＳＤカードであることが解る。
【０２０１】
次に、全メディア関連情報統合管理テーブルの第５の項目には、このコンテンツ情報の前の部分が記録されているリンク先（ＰＲＥＶ）についての情報が記録されている。具体的には、例えば、図１８に示す最初のレコードには、‘ＮＵＬＬ’と記録されていることから、このＣｌｉｐよりも前の部分は存在しないことが解る。
【０２０２】
また、図１８に示す第２のレコードには、このＣｌｉｐの前の部分のパスが‘ＳＤ＿００５￥ＰＲＧ０１９’と記録されている。このパスは、上記図１８に示す最初のコンテンツの所在、ドライブ名及びパスのうちのパスと同じであることから、図１８に示す第２のコンテンツ情報の前の部分は、図１８に示す最初のコンテンツ情報であることが解る。
【０２０３】
同様に、図１８に示す第３のレコードには、このＣｌｉｐの前の部分のパスが‘ＳＤ＿００５￥ＰＲＧ０２０’と記録されている。このパスは、上記図１８に示す第２のコンテンツの所在、ドライブ名及びパスのうちのパスと同じであることから、図１８に示す第３のコンテンツ情報の前の部分は、図１８に示す第２のコンテンツ情報であることが解る。
【０２０４】
また同様に、図１８に示す第４のレコードには、このＣｌｉｐの前の部分のパスが‘ＳＤ＿０３１￥ＰＲＧ００１’と記録されている。このパスは、上記図１８に示す第３のコンテンツの所在、ドライブ名及びパスのうちのパスと同じであることから、図１８に示す第４のコンテンツ情報の前の部分は、図１８に示す第３のコンテンツ情報であることが解る。
【０２０５】
次に、全メディア関連情報統合管理テーブルの第６の項目には、このコンテンツ情報の後の部分が記録されているリンク先（ＮＥＸＴ）についての情報が記録されている。具体的には、例えば、図１８に示す最初のレコードには、このＣｌｉｐの後の部分のパスが‘ＳＤ＿００５￥ＰＲＧ０２０’と記録されている。このパスは、上記図１８に示す第２のコンテンツの所在、ドライブ名及びパスのうちのパスと同じであることから、図１８に示す最初のコンテンツ情報の後の部分は、図１８に示す第２のコンテンツ情報であることが解る。
【０２０６】
また、図１８に示す第２のレコードには、このＣｌｉｐの後の部分のパスが‘ＳＤ＿０３１￥ＰＲＧ００１’と記録されている。このパスは、上記図１８に示す第３のコンテンツの所在、ドライブ名及びパスのうちのパスと同じであることから、図１８に示す第２のコンテンツ情報の後の部分は、図１８に示す第３のコンテンツ情報であることが解る。
【０２０７】
同様に、図１８に示す第３のレコードには、このＣｌｉｐの後の部分のパスが‘ＳＤ＿０１２￥ＰＲＧ０２１’と記録されている。このパスは、上記図１８に示す第４のコンテンツの所在、ドライブ名及びパスのうちのパスと同じであることから、図１８に示す第３のコンテンツ情報の後の部分は、図１８に示す第４のコンテンツ情報であることが解る。
【０２０８】
また同様に、図１８に示す第４のレコードには、‘ＮＵＬＬ’と記録されていることから、このＣｌｉｐよりも後の部分は存在しないことが解る。言い換えると、図１８に示す全メディア関連情報統合管理テーブルに記録されている最初のコンテンツ情報から第４のコンテンツ情報までの４つのコンテンツ情報は、１つのＳｈｏｔの連続したＣｌｉｐであることが示される。
【０２０９】
但し、これはあくまでも１つの例であって、必ずしもこの例のように、全メディア関連情報統合管理テーブルに記録されているＣｌｉｐは、１つのＳｈｏｔの連続したＣｌｉｐである必要は無いし、また仮に１つのＳｈｏｔの連続したＣｌｉｐである時にも、コンテンツ情報が記録再生される順に記録されていることは必要で無く、どのような順番に記録されていても構わない。
【０２１０】
次に、全メディア関連情報統合管理テーブルの第７の項目には、このコンテンツ情報の前の部分と後の部分とが、インターリーブして記録されているか否かを示すシームレスフラグ情報が記録されている。このシームレスフラグ情報は、図１７のＳｈｏｔ８１２のＣｌｉｐ８２２の最後とＣｌｉｐ８２３の最初のように、それぞれのコンテンツ情報がインターリーブして記録されているか否かを示している。
【０２１１】
これによって、本発明の実施の形態２に係る情報記録再生装置が、このコンテンツ情報を再生する時、図１７のＳｈｏｔ８１２のＣｌｉｐ８２２の最後からＣｌｉｐ８２３の最初にかけて、先読みする方法が変るので、その先読みに対応することができる。なおこの例では、簡単のために、シームレスフラグ情報を１つしか記録せず、前方向へのリンクと後方向へのリンクとが同じであると仮定した。しかしながら、シームレスフラグ情報を２つ記録し、前方向へのリンクと後方向へのリンクとを個別に設定しても構わない。
【０２１２】
また、図１８に示す例では、各コンテンツ情報が存在する所在、ドライブ名及びパスには、ドライブ名を含めて記録しているが、リンク先（前と後とを含む）を示す情報には、パスだけを記録し、ドライブ名は記録していない。これは、この全メディア関連情報統合管理テーブルによって管理されている記録メディアがリムーバブル・タイプの記録メディアである場合、メディア種別やメディアＩＤは通常の利用形態に伴って変るということは普通考えられないが、その記録メディアが存在する記録ドライブの所在・パスは通常の利用形態に伴って変り得る。従って、各Ｃｌｉｐを記録している記録メディアが存在する記録ドライブの所在（ドライブ名）は利用に伴って変る可能性がある。この全メディア関連情報統合管理テーブルに記録されているのは、最新の状態を示す情報であるが、その状態が変わった時にはその都度自動的に更新されるか、あるいはその旨が表示画面等に表示されて利用者の注意を促す。
【０２１３】
また、この図１８に示す全メディア関連情報統合管理テーブルには、４つのＣｌｉｐについてのみ示しているが、これもあくまでも１つの例であり、全メディア関連情報統合管理テーブルには幾つのＣｌｉｐについての情報が記録されていても構わない。
【０２１４】
また、この例では、全メディア関連情報統合管理テーブルは、コンテンツ付属情報ファイルに記録されると仮定しているが、これもあくまでも１つの例であり、コンテンツ付属情報ファイル以外の記録メディアや、本発明に係る情報記録再生装置の他の部分、例えば不揮発性メモリや、揮発性メモリや、ＲＯＭ、ＲＡＭ、あるいはその他の外部記録媒体、他のコンピュータ、例えばネットワーク接続されたサーバ等に記録されていても構わない。
【０２１５】
（実施の形態３）
次に、本発明の実施の形態３について説明をする。但し、本発明の実施の形態３は、多くの点について本発明の実施の形態１及び実施の形態２と同様であるから、同様の部分については説明を省略し、異なる部分についてのみ説明する。従って、本発明の実施の形態３について説明しない部分については全て本発明の実施の形態１及び実施の形態２と同様である。
【０２１６】
図１９は、本発明の実施の形態３に係る情報記録再生装置の複数の情報記録メディアにコンテンツ情報がまたがって記録されている状態を示す概念図である。具体的には、図１９では、ＳＤカード１０２０とＳＤカード１０３０とに、コンテンツ１とコンテンツ２とコンテンツ３とがまたがって記録されている。
【０２１７】
この図１９に示す例では、コンテンツ１はコンテンツ１−１ファイルとコンテンツ１−２ファイルとの２つのファイルからなり、複数の記録メディアにまたがることなく、ＳＤカード１０２０だけに記録されている。
【０２１８】
同様に、コンテンツ２はコンテンツ２−１ファイルとコンテンツ２−２ファイルとコンテンツ２−３ファイルとの３つのファイルからなり、複数の記録メディアにまたがることなく、ＳＤカード１０２０だけに記録されている。
【０２１９】
しかしながら、コンテンツ３はコンテンツ３−１ファイルとコンテンツ３−２ファイルとコンテンツ３−３ファイルと・・コンテンツ３−ＮファイルとのＮ個のファイルからなり、２つの記録メディアである、ＳＤカード１０２０とＳＤカード１０３０とに、またがって記録されている。
【０２２０】
さらに図１９において、ＳＤカード１０２０に記録されているコンテンツ２の、コンテンツ２−１ファイルとコンテンツ２−２ファイルとの間では正常にリンクが行われているが、コンテンツ２−２ファイルとコンテンツ２−３ファイルとの間では何らかの異常によって、正常なリンクが行われていない状態を示している。この、何らかの異常によって正常なリンクが行われていない状態は、リンクの状態を示す半円弧状の矢印の上に、円内に斜線のマーク（交通道路標識で種々の禁止を表すマーク）を付して示している。
【０２２１】
さらに図１９において、ＳＤカード１０２０に記録されているコンテンツ３のコンテンツ３−１ファイルと、ＳＤカード１０３０に記録されているコンテンツ３のコンテンツ３−２ファイルとの間では、１つのコンテンツ情報であるコンテンツ３が、２つの記録媒体であるＳＤカード１０２０とＳＤカード１０３０とにまたがって、正常にリンクが行われている状態を示している。また、ＳＤカード１０３０に記録されているコンテンツ３のコンテンツ３−２ファイルとコンテンツ３−３ファイルとの間でも、正常にリンクが行われている状態を示している。
【０２２２】
図２０は、図１９に示すコンテンツ情報の記録状態における表示画面の一例を示す図である。上記のとおり、コンテンツ２は、ＳＤカード１０２０に記録されているコンテンツ２−１ファイルとコンテンツ２−２ファイルとコンテンツ２−３ファイルとから構成されており、コンテンツ２−１ファイルとコンテンツ２−２ファイルとの間では正常にリンクが行われている。そして、コンテンツ２−２ファイルとコンテンツ２−３ファイルとの間では何らかの異常によって正常なリンクが行われていない。
【０２２３】
この場合、表示画面２０１０には、コンテンツ２−１ファイルの先頭の画面のサムネイル画像が表示され、続いてリンク先があることを表す矢印が表示される。矢印が示す方向には、次のコンテンツ２−２ファイルの先頭の画面のサムネイル画像が表示され、続いてリンク先があることを表す矢印が表示される。ここで、コンテンツ２−２ファイルとコンテンツ２−３ファイルとの間では正常なリンクが行われていないため、矢印が示す方向には、次のコンテンツ２−３ファイルの先頭の画面のサムネイル画像が表示されず、何らかの異常によって正常なリンクが行われていないことを示すマーク、例えば円内に斜線のマークが表示されている。
【０２２４】
また、コンテンツ３は、ＳＤカード１０２０に記録されているコンテンツ３−１ファイルと、ＳＤカード１０３０に記録されているコンテンツ３−２ファイル、コンテンツ３−３ファイル、・・・コンテンツ３−Ｎファイルとの間で正常にリンクが行われている。表示画面２０１０には、コンテンツ３−１ファイルの先頭の画面のサムネイル画像が表示され、続いてリンク先があることを表す矢印が表示される。矢印が示す方向には、次のコンテンツ３−２ファイルの先頭の画面のサムネイル画像が表示され、続いてリンク先があることを表す矢印が表示される。さらに、矢印が示す方向には、次のコンテンツ３−３ファイルの先頭の画面のサムネイル画像が表示されている。このサムネイル画像は、スクロール操作等によって、例えばコンテンツ３−Ｎファイルまで表示することができる。
【０２２５】
なお、例えば、コンテンツ２−１ファイルの先頭の画面のサムネイル画像が表示画面２０１０に表示されるのはあくまでも一例であって、必ずしも各コンテンツファイルの先頭の画像のサムネイル画像が表示されることは必要でなく、何らかのそのコンテンツファイルの内容を示す画像が表示されれば充分である。
【０２２６】
すなわち、コンテンツファイルのファイル名のみを表示してもよく、コンテンツファイルのサムネイル画像の表示とファイル名のみの表示とを切り替えてもよい。この場合、ユーザインタフェース部６１２は、ユーザによる表示切り替えを受け付け、アプリケーション部６１４は、コンテンツファイルのサムネイル画像の表示とファイル名のみの表示とを切り替える。
【０２２７】
また、本実施の形態における情報記録再生装置は、複数のコンテンツファイルを一括して表示する第１の表示態様と、複数のコンテンツファイルを記録媒体毎に表示する第２の表示態様との切り替えを受け付け、受け付けられた表示態様で表示してもよい。すなわち、図２０に示す複数のコンテンツファイルのサムネイル画像を一括して表示する第１の表示態様と、図１９に示す複数のコンテンツファイルのファイル名を記録媒体毎に表示する第２の表示態様との切り替えを受け付け、ユーザにより受け付けられた表示態様で表示する。
【０２２８】
この場合、１つのコンテンツ情報が複数のコンテンツファイルに分割してＳＤカード１０２０（第１の記録媒体）とＳＤカード１０３０（第２の記録媒体）とに記録される。そして、記録媒体毎ではなく複数のコンテンツファイルを一括して表示する第１の表示態様と、複数のコンテンツファイルを記録媒体毎に表示する第２の表示態様とに切り替えて表示されるので、ユーザは使用状況に応じて所望の表示態様を選択することができる。
【０２２９】
同様に、図２１は、本発明の実施の形態３に係る情報記録再生装置の複数の情報記録メディアにコンテンツ情報がまたがって記録されている状態の他の例を示す概念図である。具体的には、図２１では、ＳＤカード１１２０とＳＤカード１１３０とに、コンテンツ１とコンテンツ２とコンテンツ３とがまたがって記録されている。
【０２３０】
この図２１に示す例では、コンテンツ１はコンテンツ１−１ファイルとコンテンツ１−２ファイルとの２つのファイルからなり、複数の記録メディアにまたがることなく、ＳＤカード１１２０だけに記録されていることは、上記図１９の一例と同様である。
【０２３１】
同様に、コンテンツ２はコンテンツ２−１ファイルとコンテンツ２−２ファイルとコンテンツ２−３ファイルとの３つのファイルからなり、複数の記録メディアにまたがることなく、ＳＤカード１１２０だけに記録されていることも、上記図１９の一例と同様である。
【０２３２】
さらに、コンテンツ３はコンテンツ３−１ファイルとコンテンツ３−２ファイルとコンテンツ３−３ファイルと・・コンテンツ３−ＮファイルとのＮ個のファイルからなり、２つの記録メディアである、ＳＤカード１１２０とＳＤカード１１３０とに、またがって記録されていることも、上記図１９の一例と同様である。
【０２３３】
また、ＳＤカード１１２０に記録されているコンテンツ２の、コンテンツ２−１ファイルとコンテンツ２−２ファイルとの間では正常にリンクが行われているが、コンテンツ２−２ファイルとコンテンツ２−３ファイルとの間では何らかの異常によって、正常なリンクが行われていない状態を示していることも、上記図１９の一例と同様である。
【０２３４】
さらに図２１において、ＳＤカード１１２０に記録されているコンテンツ３のコンテンツ３−１ファイルと、ＳＤカード１１３０に記録されているコンテンツ３のコンテンツ３−２ファイルとの間では、１つのコンテンツ情報であるコンテンツ３が、２つの記録媒体であるＳＤカード１１２０とＳＤカード１１３０とにまたがって、正常にリンクが行われており、ＳＤカード１１３０に記録されているコンテンツ３のコンテンツ３−２ファイルとコンテンツ３−３ファイルとの間でも、正常にリンクが行われている状態を示している。これも、上記図１９の一例と同様である。
【０２３５】
図２２は、図２１に示すコンテンツ情報の記録状態における表示画面の一例を示す図である。上記のとおり、コンテンツ２は、ＳＤカード１１２０に記録されているコンテンツ２−１ファイルとコンテンツ２−２ファイルとコンテンツ２−３ファイルとから構成されており、コンテンツ２−１ファイルとコンテンツ２−２ファイルとの間では正常にリンクが行われている。そして、コンテンツ２−２ファイルとコンテンツ２−３ファイルとの間では何らかの異常によって正常なリンクが行われていない。
【０２３６】
この場合、表示画面２１１０には、コンテンツ２−１ファイルの先頭の画面のサムネイル画像が表示され、続いてリンク先があることを表す矢印が表示される。矢印が示す方向には、次のコンテンツ２−２ファイルの先頭の画面のサムネイル画像が表示され、続いてリンク先があることを表す矢印が表示される。ここで、コンテンツ２−２ファイルとコンテンツ２−３ファイルとの間では正常なリンクが行われていないため、矢印が示す方向には、次のコンテンツ２−３ファイルの先頭の画面のサムネイル画像が表示されず、何らかの異常によって正常なリンクが行われていないことを示すマークが表示されている。これも、上記図２０の一例と同様である。
【０２３７】
また、コンテンツ３は、ＳＤカード１１２０に記録されているコンテンツ３−１ファイルと、ＳＤカード１１３０に記録されているコンテンツ３−２ファイル、コンテンツ３−３ファイル、・・・コンテンツ３−Ｎファイルとの間で正常にリンクが行われている。表示画面２１１０には、コンテンツ３−１ファイルの先頭の画面のサムネイル画像が表示され、続いてリンク先があることを表す矢印が表示される。矢印が示す方向には、次のコンテンツ３−２ファイルの先頭の画面のサムネイル画像が表示画面２１１０に表示される。これも、上記図２０の一例と同様である。
【０２３８】
但し、このコンテンツ３−１ファイルとコンテンツ３−２ファイルとは、それぞれ異なる情報記録メディアであるＳＤカード１１２０とＳＤカード１１３０とにまたがって記録されている。そのため、図２２に示す他の例では、そのことを表すように、異なる情報記録メディアにまたがることなく同一の情報記録メディアに記録されてリンクしている時とは異なる矢印が表示され、リンクしていることが示されている。例えば、図２２に一例を示すように、色が異なる矢印や、あるいは図示しないが形が異なる矢印等が表示される。
【０２３９】
ユーザは、この表示画面２１１０に表示されたリンクを表す矢印を見ることによって、各コンテンツファイルが同一情報記録メディア内でリンクしているのか、あるいは、異なる情報記録メディア間をまたがってリンクしているのかを知ることができる。
【０２４０】
さらに、コンテンツ３は、ＳＤカード１１２０に記録されているコンテンツ３−１ファイルと、ＳＤカード１１３０に記録されているコンテンツ３−２ファイル、コンテンツ３−３ファイル、・・・コンテンツ３−Ｎファイルとの多くのファイルから構成されている。そのため、図２２に示す例では、これら同一情報記録メディアであるＳＤカード１１３０に含まれるコンテンツファイル毎にサムネイル画像を表示することを省略し、コンテンツ３−２ファイルを表すサムネイル画像の下に、ファイルが多く存在することを示すマークを表示している。
【０２４１】
なお、このファイルが多く存在することを示すマークは、何らかの操作によって展開され、それぞれのサムネイル画像を表示することもできる。また、各表示しているサムネイル画像の下、あるいはその周辺に、そのサムネイル画像に対応するコンテンツ付属情報ファイルが記録されている情報記録メディアに関する情報、例えば、記録メディア種別、メディアＩＤ、コンテンツＩＤ、ドライブ名、所在及びパス等のうちの少なくとも１つが表示されても構わない。
【０２４２】
また、例えば、図２３に示すように、一点鎖線の枠で１つの記録メディアであるＳＤカードを示し、コンテンツ２のコンテンツ２−１ファイルとコンテンツ２−２ファイルとコンテンツ２−３ファイルとコンテンツ３のコンテンツ３−１ファイルとは、ＳＤカード１１２０に記録されており、コンテンツ３のコンテンツ３−２ファイルとコンテンツ３−３ファイルとはＳＤカード１１３０に記録されていることを示しても構わない。
【０２４３】
すなわち、表示画面２１２０には、コンテンツ２のコンテンツ２−１ファイル、コンテンツ２−２ファイル及びコンテンツ２−３ファイルのサムネイル画像と、コンテンツ３のコンテンツ３−１ファイル、コンテンツ３のコンテンツ３−２ファイル及びコンテンツ３−３ファイルのサムネイル画像とが表示されている。そして、表示画面２１２０には、各サムネイル画像を記録媒体毎に分割するための枠が表示される。
【０２４４】
また、図２４に示すように、例えば、各サムネイル画像の下に、そのサムネイル画像に対応するコンテンツが記録されているメディア種別とそのメディアが装着されているスロット番号等が表示されても構わない。
【０２４５】
図２４に示す表示画面２１３０には、サムネイル画像２−１及びサムネイル画像２−２の下部に‘ＳＤ−ｓｌｏｔ１’と表示され、サムネイル画像３の下部に‘ＢＤ−ｓｌｏｔ１’と表示され、サムネイル画像４の下部に‘ＢＤ−ｓｌｏｔ１＋２’と表示されている。これは、サムネイル画像２−１とサムネイル画像２−２とに対応するコンテンツ２はＳＤカードに記録されており、そのＳＤカードはスロット番号１のスロットに装着されていることを示している。また、サムネイル画像３に対応するコンテンツ３は、ＢＤ（ブルーレイディスク）に記録されており、そのＢＤはスロット番号１のスロットに装着されていることを示している。
【０２４６】
さらに、サムネイル画像４に対応するコンテンツ４も、ＢＤ（ブルーレイディスク）に記録されており、そのＢＤはスロット番号１のスロットとスロット番号２のスロットとに装着されていることを示している。すなわち、この例では、サムネイル画像４に対応するコンテンツ４は、スロット番号１のスロットに装着されているＢＤと、スロット番号２のスロットに装着されているＢＤとに、またがって記録されていることが示されている。
【０２４７】
また、図２５に示す例では、例えば、一点鎖線の枠で１つの記録メディアであるＳＤカードを示すと同時に、各サムネイル画像の下に、そのサムネイル画像に対応するコンテンツが記録されているメディア種別とそのメディアが装着されているスロット番号を示している。
【０２４８】
例えば、コンテンツ２は、スロット番号１のスロットに装着されているＳＤカードと、スロット番号２のスロットに装着されているＳＤカード２とにまたがって記録されており、サムネイル画像２−１に対応するコンテンツ２−１ファイルはスロット番号１のスロットに装着されているＳＤカードに記録され、サムネイル画像２−２に対応するコンテンツ２−２ファイルはスロット番号２のスロットに装着されているＳＤカードに記録されていることが示される。
【０２４９】
また、スロット番号１のスロットに装着されているＢＤには、コンテンツ３とコンテンツ４の一部とが記録されている。サムネイル画像３に対応するコンテンツ３はその全てがスロット番号１のスロットに装着されているＢＤに記録されており、サムネイル画像４−１に対応するコンテンツ４の一部であるコンテンツ４−１ファイルがスロット番号１のスロットに装着されているＢＤに記録されている。
【０２５０】
また、サムネイル画像４−２に対応するコンテンツ４の一部であるコンテンツ４−２ファイルがスロット番号２のスロットに装着されているＢＤに記録されている。すなわち、コンテンツ４は、スロット番号１のスロットに装着されているＢＤと、スロット番号２のスロットに装着されているＢＤとに、またがって記録されていることが示される。
【０２５１】
これによって利用者は、そのサムネイル画像に対応するコンテンツ情報についてより詳細な情報、例えば記録メディアや装着されているドライブ・スロット等を知ることができる。
【０２５２】
なお、図２５の表示画面２１４０では、各コンテンツファイルのサムネイル画像を記録媒体毎に分割するための枠が表示され、同一の記録メディア内でコンテンツファイルが連続していることを表す白抜きの矢印が表示され、異なる記録メディア間にまたがってコンテンツファイルが記録されていることを表す色付きの矢印が表示されている。
【０２５３】
また、図２５では、１つの記録メディア毎に一点鎖線の枠で囲って示したが、必ずしも１つの記録メディア毎ではなく、図２６に示すように、１つのコンテンツ毎に一点鎖線の枠で囲って示しても構わない。これによって、コンテンツ毎に、どのような記録メディアにまたがって記録されているかを把握することが容易になる。なお、各図において、リンク状態を示す矢印等のマークは省略することも可能である。
【０２５４】
なお、情報記録再生装置６００が各種のコンテンツ情報を記録し、再生するための手順は、本特許出願に係る情報記録再生方法の一実施の形態であり、この情報記録再生装置６００はマイクロコンピュータとその動作を制御するプログラムによって制御される。このプログラムは、本特許出願に係る情報記録再生プログラムの一実施の形態であり、ＲＡＭやＲＯＭ等の半導体メモリや、ＨＤＤやＤＶＤ等の磁気方式あるいは光方式あるいはこれらの組み合わせあるいはその他の各種方式で情報を記録する何らかの記録媒体に記録保持される。この記録媒体は、本発明に係る情報記録再生プログラムを記録したコンピュータ読み取り可能な記録媒体の一実施の形態である。
【０２５５】
なお、上述した具体的実施形態には以下の構成を有する発明が主に含まれている。
【０２５６】
本発明の一局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録部とを備え、前記リンク情報記録部は、前記コンテンツ情報が記録されているファイルとは別のファイルに前記リンク情報を記録する。
【０２５７】
本発明の他の局面に係る情報記録再生方法は、コンテンツ情報の一部分を第１の記録媒体へ記録するとともに、前記コンテンツ情報の他の部分を、前記第１の記録媒体とは異なる第２の記録媒体に記録するコンテンツ情報記録ステップと、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するリンク情報記録ステップとを含み、前記リンク情報記録ステップは、前記コンテンツ情報が記録されているファイルとは別のファイルに前記リンク情報を記録する。
【０２５８】
本発明の他の局面に係る情報記録再生プログラムは、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させ、前記リンク情報記録制御部は、前記コンテンツ情報が記録されているファイルとは別のファイルに前記リンク情報を記録するように指示する。
【０２５９】
本発明の他の局面に係る情報記録再生プログラムを記録したコンピュータ読み取り可能な記録媒体は、コンテンツ情報の一部分を第１の記録媒体へ記録するように指示するとともに、前記コンテンツ情報の他の部分を、前記第１の記録媒体とは異なる第２の記録媒体に記録するように指示するコンテンツ情報記録制御部と、前記コンテンツ情報の前記第１の記録媒体に記録されている一部分と前記第２の記録媒体に記録されている他の部分とが連続していることを表すリンク情報を作成し、作成したリンク情報を前記第１の記録媒体及び前記第２の記録媒体の少なくとも一方に記録するように指示するリンク情報記録制御部としてコンピュータを機能させる情報記録再生プログラムを記録し、前記リンク情報記録制御部は、前記コンテンツ情報が記録されているファイルとは別のファイルに前記リンク情報を記録するように指示する。
【０２６０】
これらの構成によれば、コンテンツ情報の一部分が第１の記録媒体へ記録されるとともに、コンテンツ情報の他の部分が、第１の記録媒体とは異なる第２の記録媒体に記録される。そして、コンテンツ情報の第１の記録媒体に記録されている一部分と第２の記録媒体に記録されている他の部分とが連続していることを表すリンク情報が作成され、作成されたリンク情報が第１の記録媒体及び第２の記録媒体の少なくとも一方に記録される。このとき、コンテンツ情報が記録されているファイルとは別のファイルにリンク情報が記録される。
【０２６１】
したがって、コンテンツ情報の第１の記録媒体に記録されている一部分と第２の記録媒体に記録されている他の部分とが連続していることを表すリンク情報が第１の記録媒体及び第２の記録媒体の少なくとも一方に記録されるので、１つのコンテンツ情報を複数の記録媒体にまたがって記録することができ、さらに再生順序を保証することができ、シームレスな再生を行うことができる。
【０２６２】
また、上記の情報記録再生装置において、前記リンク情報記録部は、前記コンテンツ情報が記録されているディレクトリとは別のディレクトリに前記リンク情報を記録することが好ましい。この構成によれば、コンテンツ情報が記録されているディレクトリとは別のディレクトリにリンク情報が記録されるので、リンク情報がコンテンツ情報とともに記録されておらず、リンク情報のみを個別に読み出して利用することができる。
【０２６３】
また、上記の情報記録再生装置において、前記リンク情報記録部は、前記第１の記録媒体及び前記第２の記録媒体とは異なる第３の記録媒体に前記リンク情報を記録することが好ましい。
【０２６４】
この構成によれば、第１の記録媒体及び第２の記録媒体とは異なる第３の記録媒体にリンク情報が記録されるので、リンク情報がコンテンツ情報とともに記録されておらず、リンク情報のみを個別に読み出して利用することができる。また、コンテンツ情報が記録される記録媒体にリンク情報が記録されないので、コンテンツ情報の記録容量を増やすことができる。
【０２６５】
また、上記の情報記録再生装置において、前記リンク情報は、前記第１の記録媒体の種別を示す情報及び前記第２の記録媒体の種別を示す情報の少なくとも一方を含むことが好ましい。この構成によれば、リンク情報が第１の記録媒体の種別を示す情報及び第２の記録媒体の種別を示す情報の少なくとも一方を含んでいるので、複数の種別の記録媒体にまたがってコンテンツ情報を記録することができる。
【０２６６】
また、上記の情報記録再生装置において、前記リンク情報は、前記第１の記録媒体を識別するための識別情報及び前記第２の記録媒体を識別するための識別情報の少なくとも一方を含むことが好ましい。この構成によれば、リンク情報が、第１の記録媒体を識別するための識別情報及び第２の記録媒体を識別するための識別情報の少なくとも一方を含んでいるので、コンテンツ情報が記録されている記録媒体を容易に特定することができる。
【０２６７】
また、上記の情報記録再生装置において、前記リンク情報は、前記第１の記録媒体の前記コンテンツ情報が記録されているディレクトリを識別するための識別情報及び前記第２の記録媒体のコンテンツ情報が記録されているディレクトリを識別するための識別情報の少なくとも一方を含むことが好ましい。
【０２６８】
この構成によれば、リンク情報が、第１の記録媒体のコンテンツ情報が記録されているディレクトリを識別するための識別情報及び第２の記録媒体のコンテンツ情報が記録されているディレクトリを識別するための識別情報の少なくとも一方を含んでいるので、コンテンツ情報が記録されているディレクトリを容易に特定することができる。
【０２６９】
また、上記の情報記録再生装置において、前記リンク情報は、前記第１の記録媒体の前記コンテンツ情報が記録されているファイルを識別するための識別情報及び前記第２の記録媒体の前記コンテンツ情報が記録されているファイルを識別するための識別情報の少なくとも一方を含むことが好ましい。
【０２７０】
この構成によれば、リンク情報が、第１の記録媒体のコンテンツ情報が記録されているファイルを識別するための識別情報及び第２の記録媒体のコンテンツ情報が記録されているファイルを識別するための識別情報の少なくとも一方を含んでいるので、コンテンツ情報が記録されているファイルを容易に特定することができる。
【０２７１】
また、上記の情報記録再生装置において、前記リンク情報は、前記コンテンツ情報のリンク先を表すリンク先情報及びリンク元を表すリンク元情報の少なくとも一方を含むことが好ましい。この構成によれば、リンク情報が、コンテンツ情報のリンク先を表すリンク先情報及びリンク元を表すリンク元情報の少なくとも一方を含んでいるので、リンク先情報を参照することで、複数の記録媒体にまたがって記録されたコンテンツ情報を順方向に再生することができ、リンク元情報を参照することで、複数の記録媒体にまたがって記録されたコンテンツ情報を逆方向に再生することができる。
【０２７２】
また、上記の情報記録再生装置において、前記リンク情報記録部は、前記コンテンツ情報の他の部分を記録している領域が複数存在する場合、前記コンテンツ情報の前記第１の記録媒体に記録されている一部分と前記第２の記録媒体に記録されているそれぞれの領域とが連続していることを表すリンク情報を作成し、作成したリンク情報を前記第１の記録媒体及び前記第２の記録媒体の少なくとも一方に記録することが好ましい。
【０２７３】
この構成によれば、コンテンツ情報の他の部分を記録している領域が複数存在する場合、コンテンツ情報の第１の記録媒体に記録されている一部分と第２の記録媒体に記録されているそれぞれの領域とが連続していることを表すリンク情報が作成され、作成されたリンク情報が第１の記録媒体及び第２の記録媒体の少なくとも一方に記録される。したがって、第２の記録媒体にコンテンツ情報が複数に分割されて記録された場合であっても、それぞれの再生順序を保証することができる。
【０２７４】
また、上記の情報記録再生装置において、前記リンク情報を読み出すリンク情報読出部と、前記第１の記録媒体から前記コンテンツ情報を読み出して再生するとともに、前記リンク情報読出部によって読み出されたリンク情報に基づいて、前記第２の記録媒体から前記コンテンツ情報を読み出して再生する再生部とをさらに備えることが好ましい。
【０２７５】
この構成によれば、リンク情報が読み出され、第１の記録媒体からコンテンツ情報が読み出されて再生されるとともに、読み出されたリンク情報に基づいて、第２の記録媒体からコンテンツ情報が読み出されて再生される。したがって、記録されているリンク情報を参照することにより、複数の記録媒体にまたがって記録されたコンテンツ情報をシームレスに再生することができる。
【０２７６】
また、上記の情報記録再生装置において、前記第１の記録媒体から前記コンテンツ情報を削除するコンテンツ情報削除部と、前記リンク情報を読み出すリンク情報読出部と、前記コンテンツ情報削除部によって削除された前記コンテンツ情報に対応する前記リンク情報を削除するリンク情報削除部とを備え、前記コンテンツ情報削除部は、前記リンク情報読出部によって読み出されたリンク情報に基づいて前記コンテンツ情報のリンク先である前記第２の記録媒体から前記コンテンツ情報を削除することが好ましい。
【０２７７】
この構成によれば、第１の記録媒体からコンテンツ情報が削除され、リンク情報が読み出され、削除されたコンテンツ情報に対応するリンク情報が削除される。そして、読み出されたリンク情報に基づいてコンテンツ情報のリンク先である第２の記録媒体からコンテンツ情報が削除される。したがって、コンテンツ情報を削除した場合であっても、このコンテンツ情報の削除をリンク情報に反映させることができ、複数の記録媒体にまたがって記録されたコンテンツ情報を容易に編集することができる。
【０２７８】
また、上記の情報記録再生装置において、前記第１の記録媒体に記録されている前記コンテンツ情報と前記第２の記録媒体に記録されている前記コンテンツ情報とを対応付けて表示する表示部をさらに備えることが好ましい。
【０２７９】
この構成によれば、第１の記録媒体に記録されているコンテンツ情報と第２の記録媒体に記録されているコンテンツ情報とが対応付けて表示されるので、複数の記録媒体にコンテンツ情報がまたがって記録されている場合であっても、あたかも１つの記録媒体に記録されているかのように表示することができる。
【０２８０】
また、上記の情報記録再生装置において、前記表示部は、前記第１の記録媒体と前記第２の記録媒体とが同一の記録媒体であるか否かを区別して表示することが好ましい。
【０２８１】
この構成によれば、第１の記録媒体と第２の記録媒体とが同一の記録媒体であるか否かが区別して表示されるので、ユーザは、複数の記録媒体に分割されたコンテンツ情報がどの記録媒体に記録されているかを確認することができる。
【０２８２】
また、上記の情報記録再生装置において、前記表示部は、前記第１の記録媒体に記録されている前記コンテンツ情報と、前記第２の記録媒体に記録されている前記コンテンツ情報との順序関係を認識可能な態様で表示することが好ましい。
【０２８３】
この構成によれば、第１の記録媒体に記録されているコンテンツ情報と、第２の記録媒体に記録されているコンテンツ情報との順序関係が認識可能な態様で表示されるので、ユーザは、複数の記録媒体に分割されたコンテンツ情報がどのような順番で記録媒体に記録されているかを確認することができる。
【０２８４】
また、上記の情報記録再生装置において、前記表示部は、前記第１の記録媒体及び前記第２の記録媒体に記録されている前記コンテンツ情報のファイル数を認識可能な態様で表示することが好ましい。この構成によれば、第１の記録媒体及び第２の記録媒体に記録されているコンテンツ情報のファイル数が認識可能な態様で表示されるので、ユーザは、記録媒体に記録されているコンテンツ情報のファイル数を確認することができる。
【０２８５】
また、上記の情報記録再生装置において、前記表示部は、前記第１の記録媒体及び前記第２の記録媒体の種別、前記第１の記録媒体及び前記第２の記録媒体を識別するための識別情報、前記第１の記録媒体及び前記第２の記録媒体が装着されているドライブ、及び前記第１の記録媒体及び前記第２の記録媒体が装着されているスロットの少なくとも１つを認識可能な態様で表示することが好ましい。
【０２８６】
この構成によれば、第１の記録媒体及び第２の記録媒体の種別、第１の記録媒体及び第２の記録媒体を識別するための識別情報、第１の記録媒体及び第２の記録媒体が装着されているドライブ、及び第１の記録媒体及び第２の記録媒体が装着されているスロットの少なくとも１つが認識可能な態様で表示される。したがって、ユーザは、複数の記録媒体に分割されたコンテンツ情報がどの記録媒体に記録されているかを特定することができる。
【０２８７】
また、上記の情報記録再生装置において、前記コンテンツ情報記録部は、１つのコンテンツ情報を複数のファイルに分割して前記第１の記録媒体と前記第２の記録媒体とに記録し、前記複数のファイルを一括して表示する第１の表示態様と、前記複数のファイルを記録媒体毎に表示する第２の表示態様との切り替えを受け付ける切替受付部をさらに備え、前記表示部は、前記切替受付部によって受け付けられた表示態様で表示することが好ましい。
【０２８８】
この構成によれば、１つのコンテンツ情報が複数のファイルに分割して第１の記録媒体と第２の記録媒体とに記録される。そして、記録媒体毎ではなく複数のファイルを一括して表示する第１の表示態様と、複数のファイルを記録媒体毎に表示する第２の表示態様とに切り替えて表示されるので、ユーザは使用状況に応じて所望の表示態様を選択することができる。
【０２８９】
本発明の他の局面に係る情報記録再生装置は、コンテンツ情報の一部分を第１の記録媒体へ記録するとともに、前記コンテンツ情報の他の部分を、前記第１の記録媒体とは異なる第２の記録媒体に記録するコンテンツ情報記録部と、前記第１の記録媒体に記録されている前記コンテンツ情報の一部分と、前記第２の記録媒体に記録されている前記コンテンツ情報の他の部分とが連続していることを表すリンク情報を作成し、作成したリンク情報を第１の記録媒体に記録されている前記コンテンツ情報の一部分及び前記第２の記録媒体に記録されている前記コンテンツ情報の他の部分に記録するリンク情報記録部とを備える。
【０２９０】
この構成によれば、コンテンツ情報の一部分が第１の記録媒体へ記録されるとともに、コンテンツ情報の他の部分が、第１の記録媒体とは異なる第２の記録媒体に記録される。そして、第１の記録媒体に記録されているコンテンツ情報の一部分と、第２の記録媒体に記録されているコンテンツ情報の他の部分とが連続していることを表すリンク情報が作成され、作成されたリンク情報が第１の記録媒体に記録されているコンテンツ情報の一部分及び第２の記録媒体に記録されているコンテンツ情報の他の部分に記録される。
【０２９１】
したがって、別途リンク情報を保持する必要が無く、第１の記録媒体に記録されているコンテンツ情報の一部分を再生しながら、第２の記録媒体に記録されているコンテンツ情報の他の部分を再生することができる。
【０２９２】
また、上記の情報記録再生装置において、前記リンク情報記録部は、前記第１の記録媒体に記録されている前記コンテンツ情報の終端部分と、前記第２の記録媒体に記録されている前記コンテンツ情報の先頭部分とを入れ替えて記録することが好ましい。
【０２９３】
この構成によれば、第１の記録媒体に記録されているコンテンツ情報の終端部分と、第２の記録媒体に記録されているコンテンツ情報の先頭部分とが入れ替えて記録されるので、第１の記録媒体に記録されているコンテンツ情報の一部分を再生しながら、第２の記録媒体へのリンクを検知し、第２の記録媒体に記録されているコンテンツ情報の他の部分を再生することができる。
【０２９４】
また、上記の情報記録再生装置において、前記リンク情報記録部は、前記第１の記録媒体に記録されている前記コンテンツ情報の終端部分と、前記第２の記録媒体に記録されている前記コンテンツ情報の先頭部分とをインターリーブして記録することが好ましい。
【０２９５】
この構成によれば、第１の記録媒体に記録されているコンテンツ情報の終端部分と、第２の記録媒体に記録されているコンテンツ情報の先頭部分とがインターリーブして記録されるので、第１の記録媒体に記録されているコンテンツ情報の一部分を再生しながら、第２の記録媒体へのリンクを検知し、リンク先を検索している間も途切れることなくコンテンツ情報を再生することができる。
【産業上の利用可能性】
【０２９６】
本発明に係る情報記録再生装置、情報記録再生方法、情報記録再生プログラム及び情報記録再生プログラムを記録したコンピュータ読み取り可能な記録媒体は、１つのコンテンツ情報を複数の記録媒体にまたがって記録することができ、さらに再生順序を保証することができ、シームレスな再生を行うことができ、各種のコンテンツ情報を記録、再生及び編集する情報記録再生装置、情報記録再生方法、情報記録再生プログラム及び情報記録再生プログラムを記録したコンピュータ読み取り可能な記録媒体等に利用可能である。
【図面の簡単な説明】
【０２９７】
【図１】本発明の実施の形態１に係る情報記録再生装置の複数の情報記録メディアにコンテンツ情報がまたがって記録されている状態を示す概念図である。
【図２】本発明の実施の形態１に係る情報記録再生装置の複数の情報記録メディアにコンテンツ情報がまたがって記録されている時のディレクトリ構造の第１例を示す図である。
【図３】本発明の実施の形態１に係る情報記録再生装置の複数の情報記録メディアにコンテンツ情報がまたがって記録されている時のディレクトリ構造の第２例を示す図である。
【図４】本発明の実施の形態１に係る情報記録再生装置の複数の情報記録メディアにコンテンツ情報がまたがって記録されている時のディレクトリ構造の第３例を示す図である。
【図５】コンテンツ付属情報ファイルに記録される全メディア関連情報統合管理テーブルの一例を示す図である。
【図６】本発明の実施の形態１に係る情報記録再生装置のモジュール構成を示す図である。
【図７】本発明の実施の形態１に係る情報記録再生装置の機能ブロックを示す図である。
【図８】図６に示す情報記録再生装置による記録処理について説明するための第１のフローチャートである。
【図９】図６に示す情報記録再生装置による記録処理について説明するための第２のフローチャートである。
【図１０】図８のステップＳ８におけるリンク情報作成処理について説明するためのフローチャートである。
【図１１】図６に示す情報記録再生装置によるコンテンツ情報の再生処理について説明するためのフローチャートである。
【図１２】図６に示す情報記録再生装置によるコンテンツ情報の編集処理について説明するためのフローチャートである。
【図１３】図１２のステップＳ５７におけるリンク情報編集処理について説明するためのフローチャートである。
【図１４】本発明の実施の形態２に係る情報記録再生装置のモジュール構成を示す図である。
【図１５】本発明の実施の形態２に係る情報記録再生装置の機能ブロックを示す図である。
【図１６】本発明の実施の形態２に係る情報記録再生装置の複数の情報記録メディアにコンテンツ情報がまたがって記録されている状態を示す概念図である。
【図１７】本発明の実施の形態２に係る情報記録再生装置の複数の情報記録メディアにコンテンツ情報がまたがって記録されている状態の他の例を示す概念図である。
【図１８】本発明の実施の形態２に係る情報記録再生装置における全メディア関連情報統合管理テーブルの一例を示す図である。
【図１９】本発明の実施の形態３に係る情報記録再生装置の複数の情報記録メディアにコンテンツ情報がまたがって記録されている状態を示す概念図である。
【図２０】図１９に示すコンテンツ情報の記録状態における表示画面の一例を示す図である。
【図２１】本発明の実施の形態３に係る情報記録再生装置の複数の情報記録メディアにコンテンツ情報がまたがって記録されている状態の他の例を示す概念図である。
【図２２】図２１に示すコンテンツ情報の記録状態における表示画面の一例を示す図である。
【図２３】コンテンツ情報が情報記録メディアにまたがって記録されている状態の他の第２例を示す図である。
【図２４】コンテンツ情報が情報記録メディアにまたがって記録されている状態の他の第３例を示す図である。
【図２５】コンテンツ情報が情報記録メディアにまたがって記録されている状態の他の第４例を示す図である。
【図２６】コンテンツ情報が情報記録メディアにまたがって記録されている状態の他の第５例を示す図である。
【図２７】従来の情報記録装置の一例である情報記録装置の構成を示す図である。
【手続補正３】
【補正対象書類名】図面
【補正対象項目名】全図
【補正方法】変更
【補正の内容】
【図１】
2006118119.tif 000029
【図２】
2006118119.tif 000030
【図３】
2006118119.tif 000031
【図４】
2006118119.tif 000032
【図５】
2006118119.tif 000033
【図６】
2006118119.tif 000034
【図７】
2006118119.tif 000035
【図８】
2006118119.tif 000036
【図９】
2006118119.tif 000037
【図１０】
2006118119.tif 000038
【図１１】
2006118119.tif 000039
【図１２】
2006118119.tif 000040
【図１３】
2006118119.tif 000041
【図１４】
2006118119.tif 000042
【図１５】
2006118119.tif 000043
【図１６】
2006118119.tif 000044
【図１７】
2006118119.tif 000045
【図１８】
2006118119.tif 000046
【図１９】
2006118119.tif 000047
【図２０】
2006118119.tif 000048
【図２１】
2006118119.tif 000049
【図２２】
2006118119.tif 000050
【図２３】
2006118119.tif 000051
【図２４】
2006118119.tif 000052
【図２５】
2006118119.tif 000053
【図２６】
2006118119.tif 000054
【図２７】
2006118119.tif 000055
【国際調査報告】
2006118119.tif 000056
2006118119.tif 000057
2006118119.tif 000058
2006118119.tif 000059